(57)【要約】【課題】不特定多数の無歯顎患者の顎堤形状に適用可能で、且つ、左右両側の中切歯、側切歯、犬歯、第一小臼歯、第二小臼歯、第一大臼歯、第二大臼歯の１４歯全ての部位が理想的な歯列弓形状、及び理想的な上下顎の咬合接触関係で連結された、上下顎一対の連結人工歯セットを提供する。【解決手段】仮想の３次元座標中に特定の条件で配置した時の全部位の排列領域、上下顎人工歯の接触関係、平均値咬合器上の運動時に調和した接触滑走関係を明確に規定した上下顎一対の連結人工歯を提供する。これにより、術者の技量、及び、無歯顎患者の顎堤形状を問わず、短時間で容易に全部床義歯として基本的に必要な咬合関係（両側性平衡咬合）を確立する事ができ、且つ、良質な全部床義歯の提供を可能とする。【選択図】図１
2019198630.tif 000002
【特許請求の範囲】
【請求項１】
弓形状を有する下顎用連結人工歯（５）と上顎用連結人工歯（６）とを備える上下顎嵌合型連結人工歯セットであって、
下顎用連結人工歯（５）は、左右両側にそれぞれ配置される、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）を有し、
下顎用連結人工歯（５）の中央において、左右の下顎中切歯部（Ｔ８）が互いに連結されており、
下顎用連結人工歯（５）の左右両側の部位のそれぞれにおいて、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）がこの順に連結され、
下顎用連結人工歯（５）を仮想ＸＹＺ直交座標系に表した場合、
左右の下顎中切歯部（Ｔ８）の近心切縁隅角間の中点である下顎切歯点（１０）は、Ｘ座標値０ｍｍ、Ｙ座標値０ｍｍ、Ｚ座標値０ｍｍである仮想ＸＹＺ直交座標系の原点（１）に一致し、
左右の下顎第一大臼歯部（Ｔ１３）の遠心頬側咬頭頂（ｃ１５）は、Ｚ座標値０ｍｍの位置に配置され、
下顎用連結人工歯（５）の左側の部位は正（＋）のＸ座標値側に配置され、下顎用連結人工歯（５）の右側の部位は負（−）のＸ座標値側に配置され、
下顎用連結人工歯（５）の左側の部位における切歯及び犬歯の切縁、及び臼歯の咬頭頂の位置するＸ座標値、Ｙ座標値、Ｚ座標値の絶対値と、下顎用連結人工歯（５）の右側の部位における切歯及び犬歯の切縁、及び臼歯の咬頭頂の位置するＸ座標値、Ｙ座標値、Ｚ座標値の絶対値とは、それぞれ、等しく、
下顎用連結人工歯（５）の左右両側における、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）の歯冠形態は、仮想ＸＹＺ直交座標系のＸＹ平面において、二次関数Ｙｍｍ＝｛（Ｘｍｍ×Ｘｍｍ）／α１ｍｍ｝−β１ｍｍで表現される第１仮想曲線（１８）と、Ｙｍｍ＝｛（Ｘｍｍ×Ｘｍｍ）／α２ｍｍ｝＋β２ｍｍで表現される第２仮想曲線（１９）との間に配置され、ここでα１ｍｍは３０〜３２ｍｍの範囲、β１は３〜５ｍｍの範囲、α２ｍｍは８〜１６ｍｍの範囲、β２ｍｍは２〜５ｍｍの範囲でそれぞれ決定され、
左側の下顎第二大臼歯部（Ｔ１４）から右側の下顎第二大臼歯部（Ｔ１４）までの近遠心方向の幅径の合計（Ｌ１）は８０．０ｍｍ〜１３０．０ｍｍの間にあり、
下顎用連結人工歯（５）における全ての切歯及び犬歯の切縁、及び全ての臼歯の咬頭頂のＺ座標値は、−１０．０〜＋５．０ｍｍの間にあり、
上顎用連結人工歯（６）は、左右両側にそれぞれ配置される、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）を有し、
上顎用連結人工歯（６）の中央において、左右の上顎中切歯部（Ｔ１）が互いに連結されており、
上顎用連結人工歯（６）の左右両側の部位のそれぞれにおいて、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）がこの順に連結され、
上顎用連結人工歯（６）を仮想ＸＹＺ直交座標系で表した場合、
左右の上顎中切歯部（Ｔ１）の近心切縁隅角間の中点である上顎切歯点（２０）は、仮想のＸＹＺ直交座標系の原点（１）に対し、Ｘ座標値０ｍｍ、Ｙ座標値−１０．０ｍｍ〜０ｍｍ、Ｚ座標値−１０．０ｍｍ〜０ｍｍの間に配置され、
上顎用連結人工歯（６）の左側の部位は正（＋）のＸ座標値側に配置され、上顎用連結人工歯（６）の右側の部位は負（−）のＸ座標値側に配置され、
上顎用連結人工歯（６）の左側の部位における切歯及び犬歯の切縁、及び臼歯の咬頭頂の位置するＸ座標値、Ｙ座標値、Ｚ座標値の絶対値と、上顎用連結人工歯（６）の右側の部位における切歯の切縁、及び臼歯の咬頭頂の位置するＸ座標値、Ｙ座標値、Ｚ座標値の絶対値とが、それぞれ、等しく、
上顎第一大臼歯部（Ｔ６）の中央窩（Ｓ６）のＸ座標値及びＹ座標値は、下顎第一大臼歯部（Ｔ１３）の遠心頬側咬頭頂（ｃ１５）を中心とする半径５．０ｍｍ以内、且つＺ座標値０ｍｍ〜＋５．０ｍｍの間であり、
上顎用連結人工歯（６）の左右両側における、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）の歯冠形態は、仮想ＸＹＺ直交座標系のＸＹ平面において、二次関数Ｙｍｍ＝｛（Ｘｍｍ×Ｘｍｍ）／α３ｍｍ｝−β３ｍｍで表現される第３仮想曲線（２８）と、Ｙｍｍ＝｛（Ｘｍｍ×Ｘｍｍ）／α４ｍｍ｝＋β４ｍｍで表現される第４仮想曲線（２９）との間に配置され、ここでα３は３２〜３６の範囲、β３は８〜１２の範囲、α４は８〜１６の範囲、β４は１〜５の範囲でそれぞれ決定され、
左側の上顎第二大臼歯部（Ｔ７）から右側の上顎第二大臼歯部（Ｔ７）までの近遠心方向の幅径の合計（Ｌ２）が９０．０ｍｍ〜１４０．０ｍｍの間にあり、
上顎用連結人工歯（６）における全ての切歯及び犬歯の切縁、及び全ての臼歯の咬頭頂のＺ座標値は、−５．０ｍｍ〜＋１０．０ｍｍの間にあり、
下顎用連結人工歯（５）と上顎用連結人工歯（６）とが咬頭嵌合状態のとき、
左側の部位と右側の部位のそれぞれにおいて、
下顎第一小臼歯部（Ｔ１１）と下顎第二小臼歯部（Ｔ１２）との少なくとも一方は、上顎第一小臼歯部（Ｔ４）と上顎第二小臼歯部（Ｔ５）との少なくとも一方に１箇所以上で接触し、
下顎第一大臼歯部（Ｔ１３）と下顎第二大臼歯部（Ｔ１４）の少なくとも一方は、少なくとも、上顎第一大臼歯部（Ｔ６）と上顎第二大臼歯部（Ｔ７）の少なくとも一方に１箇所以上で接触し、
下顎用連結人工歯（５）と上顎用連結人工歯（６）との左右両側の部位における接触箇所の合計が４箇所以上であり、
下顎用連結人工歯（５）と上顎用連結人工歯（６）との左右両側の部位における臼歯において、同名部位の１歯対１歯、または１歯対２歯の関係で接触嵌合する、上下顎嵌合型連結人工歯セット。
【請求項２】
咬合平面板と切歯指導標を具備し、顆頭間距離が１０５ｍｍ、矢状顆路角が水平面に対し２５．０°、咬合三角と咬合平面のなす角度が１５．０°、矢状切歯路角が１０．０°、側方切歯路角が１０．０°である、咬合器上において、
切歯指導標の先端を仮想ＸＹＺ直交座標系の原点（１）と一致させ、咬合平面板の咬合平面（Ｐ１）を仮想ＸＹＺ直交座標系のＸＹ平面とし、矢状面（Ｐ２）を仮想ＸＹＺ直交座標系のＹＺ平面とし、前頭面（Ｐ３）を仮想ＸＹＺ直交座標系のＺＸ平面とし、下顎用連結人工歯（５）及び上顎用連結人工歯（６）の左側の部位が正（＋）のＸ座標値側に配置され、下顎用連結人工歯（５）及び上顎用連結人工歯（６）の右側の部位が負（−）のＸ座標値側に配置される場合において、
上顎中切歯部（Ｔ１）は、
切縁（ｉ１）に前方咬合小面（ｆ１）と前方咬合小面（ｆ２）の２面を有し、
前方咬合小面（ｆ１）が咬合平面（Ｐ１）と成す角度が、矢状面（Ｐ２）との断面における角度で２２．０°〜２５．５°であると同時に、前頭面（Ｐ３）との断面における角度で１．５°〜６．５°であり、
前方咬合小面（ｆ２）が咬合平面（Ｐ１）と成す角度が、矢状面（Ｐ２）との断面における角度で２０．５°〜２３．０°あると同時に、前頭面（Ｐ３）との断面における角度で１．５°〜６．５°であり、
上顎側切歯部（Ｔ２）は、
切縁（ｉ２）に前方咬合小面（ｆ３）と前方咬合小面（ｆ４）の２面を有し、
前方咬合小面（ｆ３）が咬合平面（Ｐ１）と成す角度が、矢状面（Ｐ２）との断面における角度で２３．０°〜２８．０°であると同時に、前頭面（Ｐ３）との断面における角度で１５．０°〜１７．０°であり、
前方咬合小面（ｆ４）が咬合平面（Ｐ１）と成す角度が、矢状面（Ｐ２）との断面における角度で１６．０°〜２２．０°であると同時に、前頭面（Ｐ３）との断面における角度で９．５°〜１０．５°であり、
上顎犬歯部（Ｔ３）は、
切縁（ｉ３）に前方咬合小面（ｆ５）と後方咬合小面（ｆ６）の２面を有し、
前方咬合小面（ｆ５）が咬合平面（Ｐ１）と成す角度が、矢状面（Ｐ２）との断面における角度で２５．０°〜３１．０°であると同時に、前頭面（Ｐ３）との断面における角度で１．５°〜５．０°であり、
後方咬合小面（ｆ６）が咬合平面（Ｐ１）と成す角度が、矢状面（Ｐ２）との断面における角度で８．５°〜２２．５°であると同時に、前頭面（Ｐ３）との断面における角度で１８．０°〜２５．０°であり、
上顎第一小臼歯部（Ｔ４）は、
頬側咬頭頂（Ｃ１）の周囲に前方咬合小面（ｆ７）と後方咬合小面（ｆ８）の２面を有し、さらに舌側咬頭頂（Ｃ２）の周囲に平衡咬合小面（ｆ９）の１面を有し、
頬側咬頭頂（Ｃ１）付近の前方咬合小面（ｆ７）が咬合平面（Ｐ１）と成す角度が、矢状面（Ｐ２）との断面における角度で２４．５°〜２７．５°であると同時に、前頭面（Ｐ３）との断面における角度で８．５°〜１６．４°であり
頬側咬頭頂（Ｃ１）付近の後方咬合小面（ｆ８）が咬合平面（Ｐ１）と成す角度が、矢状面（Ｐ２）との断面における角度で１８．５°〜２７．０°であると同時に、前頭面（Ｐ３）との断面における角度で１０．０°〜１８．０°であり、
舌側咬頭頂（Ｃ２）付近の平衡咬合小面（ｆ９）が咬合平面（Ｐ１）と成す角度が、矢状面（Ｐ２）との断面における角度で１．５°〜４．５°であると同時に、前頭面（Ｐ３）との断面における角度で２９．５°〜３５．５°であり、
上顎第二小臼歯部（Ｔ５）は、
頬側咬頭頂（Ｃ３）の周囲に前方咬合小面（ｆ１０）と後方咬合小面（ｆ１１）の２面を有し、さらに舌側咬頭頂（Ｃ４）の周囲に平衡咬合小面（ｆ１２）の１面を有し、
頬側咬頭頂（Ｃ３）付近の前方咬合小面（ｆ１０）が咬合平面（Ｐ１）と成す角度が、矢状面（Ｐ２）との断面における角度で２３．０°〜２８．０°であると同時に、前頭面（Ｐ３）との断面における角度が１０．０°〜１９．０°であり、
頬側咬頭頂（Ｃ３）付近の後方咬合小面（ｆ１１）が咬合平面（Ｐ１）と成す角度が、矢状面（Ｐ２）との断面における角度で１６．５°〜１９．０°であると同時に、前頭面（Ｐ３）との断面における角度で１３．０°〜１７．５°であり、
舌側咬頭頂（Ｃ４）付近の平衡咬合小面（ｆ１２）が咬合平面（Ｐ１）と成す角度が、矢状面（Ｐ２）との断面における角度で６．０°〜１０．０°であると同時に、前頭面（Ｐ３）との断面における角度で２５．５°〜２９．０°であり、
上顎第一大臼歯部（Ｔ６）は、
近心頬側咬頭頂（Ｃ５）の周囲に前方咬合小面（ｆ１３）と後方咬合小面（ｆ１４）の２面を有し、遠心頬側咬頭頂（Ｃ６）の周囲に前方咬合小面（ｆ１５）と後方咬合小面（ｆ１６）の２面を有し、近心舌側咬頭頂（Ｃ７）の周囲に前方咬合小面（ｆ１８）と平衡咬合小面（ｆ１７）の２面を有し、遠心舌側咬頭頂（Ｃ８）の周囲に後方咬合小面（ｆ１９）と平衡咬合小面（ｆ２０）の２面を有し、
近心頬側咬頭頂（Ｃ５）付近の前方咬合小面（ｆ１３）が咬合平面（Ｐ１）と成す角度が、矢状面（Ｐ２）との断面における角度で１８．５°〜２１．０°であると同時に、前頭面（Ｐ３）との断面における角度が５．０°〜１１．０°であり、
近心頬側咬頭頂（Ｃ５）付近の後方咬合小面（ｆ１４）が咬合平面（Ｐ１）と成す角度が、矢状面（Ｐ２）との断面における角度で７．０°〜１２．０°であると同時に、前頭面（Ｐ３）との断面における角度で９．０°〜１３．０°であり、
遠心頬側咬頭頂（Ｃ６）付近の前方咬合小面（ｆ１５）が咬合平面（Ｐ１）と成す角度が、矢状面（Ｐ２）との断面における角度で１５．５°〜１９．５°であると同時に、前頭面（Ｐ３）との断面における角度で８．０°〜９．０°であり、
遠心頬側咬頭頂（Ｃ６）付近の後方咬合小面（ｆ１６）が咬合平面（Ｐ１）と成す角度が、矢状面（Ｐ２）との断面における角度で１８．５°〜２３．０°であると同時に、前頭面（Ｐ３）との断面における角度が１１．０°〜１３．５°であり、
近心舌側咬頭頂（Ｃ７）付近の平衡咬合小面（ｆ１７）が咬合平面（Ｐ１）と成す角度が、矢状面（Ｐ２）との断面における角度で１４．５°〜１６．５°であると同時に、前頭面（Ｐ３）との断面における角度で４０．０°〜４２．０°であり、
近心舌側咬頭頂（Ｃ７）付近の前方咬合小面（ｆ１８）が咬合平面（Ｐ１）と成す角度が、矢状面（Ｐ２）との断面における角度で１８．５°〜１９．５°あると同時に、前頭面（Ｐ３）との断面における角度が４．５°〜６．５°であり、
遠心舌側咬頭頂（Ｃ８）付近の後方咬合小面（ｆ１９）が咬合平面（Ｐ１）と成す角度が、矢状面（Ｐ２）との断面における角度で６．５°〜７．５°であると同時に、前頭面（Ｐ３）との断面における角度で１５．５°〜１８．０°であり、
遠心舌側咬頭頂（Ｃ８）付近の平衡咬合小面（ｆ２０）が咬合平面（Ｐ１）と成す角度が、矢状面（Ｐ２）との断面における角度で３．０°〜１２．０°であると同時に、前頭面（Ｐ３）との断面における角度で３２．０°〜３８．５°であり、
上顎第二大臼歯部（Ｔ７）は、
近心頬側咬頭頂（Ｃ９）の周囲に前方咬合小面（ｆ２１）と後方咬合小面（ｆ２２）の２面を有し、遠心頬側咬頭頂（Ｃ１０）の周囲に後方咬合小面（ｆ２３）の１面を有し、近心舌側咬頭頂（Ｃ１１）の周囲に前方咬合小面（ｆ２５）と平衡咬合小面（ｆ２４）の２面を有し、
近心頬側咬頭頂（Ｃ９）付近の前方咬合小面（ｆ２１）が咬合平面（Ｐ１）と成す角度が、矢状面（Ｐ２）との断面における角度で２２．５°〜２５．５°であると同時に、前頭面（Ｐ３）との断面における角度で１．０°〜２．５°であり、
近心頬側咬頭頂（Ｃ９）付近の後方咬合小面（ｆ２２）が咬合平面（Ｐ１）と成す角度が、矢状面（Ｐ２）との断面における角度で９．５°〜１７．５°であると同時に、前頭面（Ｐ３）との断面における角度で１３．０°〜１６．５°であり、
遠心頬側咬頭頂（Ｃ１０）付近の後方咬合小面（ｆ２３）が咬合平面（Ｐ１）と成す角度が、矢状面（Ｐ２）との断面における角度で６．５°〜１２．０°であると同時に、前頭面（Ｐ３）との断面における角度で４．５°〜７．０°であり、
近心舌側咬頭頂（Ｃ１１）付近の平衡咬合小面（ｆ２４）が咬合平面（Ｐ１）と成す角度が、矢状面（Ｐ２）との断面における角度で０．５°〜１０．０°であると同時に、前頭面（Ｐ３）との断面における角度で３８．５°〜４７．０°であり、
近心舌側咬頭頂（Ｃ１１）付近の前方咬合小面（ｆ２５）が咬合平面（Ｐ１）と成す角度が、矢状面（Ｐ２）との断面における角度で２０．５°〜２２．５°であると同時に、前頭面（Ｐ３）との断面における角度で１．５°〜６．０°であり、
下顎中切歯部（Ｔ８）は、
切縁（ｉ４）に前方咬合小面（ｆ２６）を有し、
前方咬合小面（ｆ２６）が咬合平面（Ｐ１）と成す角度が、矢状面（Ｐ２）との断面における角度で２７．０°〜３５．０°であると同時に、前頭面（Ｐ３）との断面における角度で３．５°〜１２．５°であり、
下顎側切歯部（Ｔ９）は、
切縁（ｉ５）に前方咬合小面（ｆ２７）と前方咬合小面（ｆ２８）を有し、
前方咬合小面（ｆ２７）が咬合平面（Ｐ１）と成す角度が、矢状面（Ｐ２）との断面における角度で３１．０°〜３５．０°であると同時に、前頭面（Ｐ３）との断面における角度で０．０°〜１．５°であり、
前方咬合小面（ｆ２８）が咬合平面（Ｐ１）と成す角度が、矢状面（Ｐ２）との断面における角度で２２．０°〜３５．０°であると同時に、前頭面（Ｐ３）との断面における角度で１７．５°〜２６．５°であり、
下顎犬歯部（Ｔ１０）は、
切縁（ｉ６）に前方咬合小面（ｆ２９）と後方咬合小面（ｆ３０）を有し、
前方咬合小面（ｆ２９）が咬合平面（Ｐ１）と成す角度が、矢状面（Ｐ２）との断面における角度で２３．０°〜２８．０°であると同時に、前頭面（Ｐ３）との断面における角度で０．５°〜１０．０°であり、
後方咬合小面（ｆ３０）が咬合平面（Ｐ１）と成す角度が、矢状面（Ｐ２）との断面における角度で１４．５°〜１８．０°であると同時に、前頭面（Ｐ３）との断面における角度で１６．０°〜２１．０°であり、
下顎第一小臼歯部（Ｔ１１）は、
頬側咬頭頂（Ｃ１２）の周囲に前方咬合小面（ｆ３１）と後方咬合小面（ｆ３２）の２面を有し、遠心辺縁隆線に平衡咬合小面（ｆ３３）の１面を有し、舌側咬頭頂の周囲に前方咬合小面（ｆ３４）の１面を有し、
頬側咬頭頂（Ｃ１２）付近の前方咬合小面（ｆ３１）が咬合平面（Ｐ１）と成す角度が、矢状面（Ｐ２）との断面における角度で３８．０°〜４１．０°であると同時に、前頭面（Ｐ３）との断面における角度が５．０°〜８．５°であり、
頬側咬頭頂（Ｃ１２）付近の後方咬合小面（ｆ３２）が咬合平面（Ｐ１）と成す角度が、矢状面（Ｐ２）との断面における角度で７．０°〜１７．５°であると同時に、前頭面（Ｐ３）との断面における角度で９．０°〜１５．５°であり、
遠心小窩付近の平衡咬合小面（ｆ３３）が咬合平面（Ｐ１）と成す角度が、矢状面（Ｐ２）との断面における角度で１５．０°〜２４．０°であると同時に、前頭面（Ｐ３）との断面における角度で２９．０°〜３２．０°であり、
遠心小窩付近の前方咬合小面（ｆ３４）が咬合平面（Ｐ１）と成す角度が、矢状面（Ｐ２）との断面における角度で３．５°〜１０．０°であると同時に、前頭面（Ｐ３）との断面における角度で１．０°〜５．０°であり、
下顎第二小臼歯部（Ｔ１２）は、
頬側咬頭頂（Ｃ１３）の周囲に前方咬合小面（ｆ３５）と後方咬合小面（ｆ３６）の２面を有し、遠心辺縁隆線に平衡咬合小面（ｆ３７）の１面を有し、舌側咬頭頂の周囲に前方咬合小面（ｆ３８）の１面を有し、
頬側咬頭頂（Ｃ１３）付近の前方咬合小面（ｆ３５）が咬合平面（Ｐ１）と成す角度が、矢状面（Ｐ２）との断面における角度で２７．５°〜３０．０°であると同時に、前頭面（Ｐ３）との断面における角度で１６．０°〜１９．０°であり、
頬側咬頭頂（Ｃ１３）付近の後方咬合小面（ｆ３６）が咬合平面（Ｐ１）と成す角度が、矢状面（Ｐ２）との断面における角度で１３．０°〜１５．０°であると同時に、前頭面（Ｐ３）との断面における角度で１７．０°〜２４．０°であり、
遠心小窩付近の平衡咬合小面（ｆ３７）が咬合平面（Ｐ１）と成す角度が、矢状面（Ｐ２）との断面における角度で１．５°〜１７．０°であると同時に、前頭面（Ｐ３）との断面における角度で１０．０°〜１６．５°であり、
遠心小窩付近の前方咬合小面（ｆ３８）が咬合平面（Ｐ１）と成す角度が、矢状面（Ｐ２）との断面における角度で２．０°〜５．０°であると同時に、前頭面（Ｐ３）との断面における角度で１２．０°〜１４．５°であり、
下顎第一大臼歯部（Ｔ１３）は、
近心頬側咬頭頂（Ｃ１４）の周囲に前方咬合小面（ｆ３９）と後方咬合小面（ｆ４０）と平衡咬合小面（ｆ４１）の３面を有し、遠心頬側咬頭頂（Ｃ１５）の周囲に前方咬合小面（ｆ４２）と後方咬合小面（ｆ４３）と平衡咬合小面（ｆ４４）の３面を有し、遠心咬頭頂（Ｃ１６）の周囲に前方咬合小面（ｆ４５）と平衡咬合小面（ｆ４６）の２面を有し、中央窩（Ｓ３）付近に前方咬合小面（ｆ４７）の１面を有し、
近心頬側咬頭頂（Ｃ１４）付近の前方咬合小面（ｆ３９）が咬合平面（Ｐ１）と成す角度が、矢状面（Ｐ２）との断面における角度で２３．５°〜３２．０°であると同時に、前頭面（Ｐ３）との断面における角度で７．０°〜１５．０°であり、
近心頬側咬頭頂（Ｃ１４）付近の後方咬合小面（ｆ４０）が咬合平面（Ｐ１）と成す角度が、矢状面（Ｐ２）との断面における角度で７．５°〜１２．０°であると同時に、前頭面（Ｐ３）との断面における角度で１４．０°〜１６．０°であり、
近心頬側咬頭頂（Ｃ１４）付近の平衡咬合小面（ｆ４１）が咬合平面（Ｐ１）と成す角度が、矢状面（Ｐ２）との断面における角度で２．０°〜５．５°であると同時に、前頭面（Ｐ３）との断面における角度が３０．０°〜３２．０°であり、
遠心頬側咬頭頂（Ｃ１５）付近の前方咬合小面（ｆ４２）が咬合平面（Ｐ１）と成す角度が、矢状面（Ｐ２）との断面における角度で１５．５°〜２１．０であると同時に、前頭面（Ｐ３）との断面における角度で８．０°〜１１．０°であり、
遠心頬側咬頭頂（Ｃ１５）付近の後方咬合小面（ｆ４３）が咬合平面（Ｐ１）と成す角度が、矢状面（Ｐ２）との断面における角度で２５．０°〜２７．０°であると同時に、前頭面（Ｐ３）との断面における角度が２４．０°〜２５．０°であり、
遠心頬側咬頭頂（Ｃ１５）付近の平衡咬合小面（ｆ４４）が咬合平面（Ｐ１）と成す角度が、矢状面（Ｐ２）との断面における角度で１２．０°〜２０．０°であると同時に、前頭面（Ｐ３）との断面における角度で３０．０°〜３７．０°であり、
遠心咬頭頂（Ｃ１６）付近の前方咬合小面（ｆ４５）が咬合平面（Ｐ１）と成す角度が、矢状面（Ｐ２）との断面における角度で７．５°〜１３．０°であると同時に、前頭面（Ｐ３）との断面における角度で１０．０°〜１３．０°であり、
遠心咬頭頂（Ｃ１６）付近の平衡咬合小面（ｆ４６）が咬合平面（Ｐ１）と成す角度が、矢状面（Ｐ２）との断面における角度で２．５°〜４．５°であると同時に、前頭面（Ｐ３）との断面における角度で２７．０°〜３３．０°であり、
中央窩（Ｓ３）付近の前方咬合小面（ｆ４７）が咬合平面（Ｐ１）と成す角度が、矢状面（Ｐ２）との断面における角度で１０．５°〜１８．５°であると同時に、前頭面（Ｐ３）との断面における角度で１．０°〜８．０°であり、
下顎第二大臼歯部（Ｔ１４）は、
近心頬側咬頭頂（Ｃ１７）の周囲に前方咬合小面（ｆ４８）と後方咬合小面（ｆ４９）と平衡咬合小面（ｆ５０）の３面を有し、遠心頬側咬頭頂（Ｃ１８）の周囲に前方咬合小面（ｆ５１）と後方咬合小面（ｆ５２）と平衡咬合小面（ｆ５３）の３面を有し、中央窩（Ｓ４）付近の周囲に前方咬合小面（ｆ５４）の１面を有し、
近心頬側咬頭頂（Ｃ１７）付近の前方咬合小面（ｆ４８）が咬合平面（Ｐ１）と成す角度が、矢状面（Ｐ２）との断面における角度で２６．０°〜３０．０°であると同時に、前頭面（Ｐ３）との断面における角度で１０．０°〜１３．０°であり、
近心頬側咬頭頂（Ｃ１７）付近の後方咬合小面（ｆ４９）が咬合平面（Ｐ１）と成す角度が、矢状面（Ｐ２）の断面における角度で１４．０°〜１６．０°であると同時に、前頭面（Ｐ３）との断面における角度で１５．０°〜１７．５°であり、
近心頬側咬頭頂（Ｃ１７）付近の平衡咬合小面（ｆ５０）が咬合平面（Ｐ１）と成す角度が、矢状面（Ｐ２）との断面における角度で２．５°〜３．５°であると同時に、前頭面（Ｐ３）との断面における角度で３４．０°〜３８．０°であり、遠心頬側咬頭頂（Ｃ１８）付近の前方咬合小面（ｆ５１）が咬合平面（Ｐ１）と成す角度が、矢状面（Ｐ２）との断面における角度で１７．０°〜２１．０°であると同時に、前頭面（Ｐ３）との断面における角度で４．５°〜６．５°であり、
遠心頬側咬頭頂（Ｃ１８）付近の後方咬合小面（ｆ５２）が咬合平面（Ｐ１）と成す角度が、矢状面（Ｐ２）との断面における角度で１９．０°〜２２．０°であると同時に、前頭面（Ｐ３）との断面における角度で１３．０°〜１４．５°であり、
遠心頬側咬頭頂（Ｃ１８）付近の平衡咬合小面（ｆ５３）が咬合平面（Ｐ１）と成す角度が、矢状面（Ｐ２）との断面における角度で１．０°〜３．０°であると同時に、前頭面（Ｐ３）との断面における角度で３４．０°〜３８．０°であり、
中央窩（Ｓ４）付近の前方咬合小面（ｆ５４）が咬合平面（Ｐ１）と成す角度が、矢状面（Ｐ２）との断面における角度で１５．５°〜２３．０°であると同時に、前頭面（Ｐ３）との断面における角度で５．５°〜１２．０°であり、
咬頭嵌合位では、
上顎中切歯部（Ｔ１）の前方咬合小面（ｆ１）は、下顎側切歯部（Ｔ９）の前方咬合小面（ｆ２７）と一部接触し、
上顎中切歯部（Ｔ１）の前方咬合小面（ｆ２）は、下顎中切歯部（Ｔ８）の前方咬合小面（ｆ２６）と一部接触し、
上顎側切歯部（Ｔ２）の前方咬合小面（ｆ３）は、下顎犬歯部（Ｔ１０）の前方咬合小面（ｆ２９）と一部接触し、
上顎側切歯部（Ｔ２）の前方咬合小面（ｆ４）は、下顎側切歯部（Ｔ９）の前方咬合小面（ｆ２８）と一部接触し、
上顎犬歯部（Ｔ３）の前方咬合小面（ｆ５）は、下顎第一小臼歯部（Ｔ１１）の前方咬合小面（ｆ３１）と一部接触し、
上顎犬歯部（Ｔ３）の後方咬合小面（ｆ６）は、下顎犬歯部（Ｔ１０）の後方咬合小面（ｆ３０）と一部接触し、
上顎第一小臼歯部（Ｔ４）の前方咬合小面（ｆ７）は、下顎第二小臼歯部（Ｔ１２）の前方咬合小面（ｆ３５）と一部接触し、
上顎第一小臼歯部（Ｔ４）の後方咬合小面（ｆ８）は、下顎第一小臼歯部（Ｔ１１）の後方咬合小面（ｆ３２）と一部接触し、
上顎第一小臼歯部（Ｔ４）の平衡咬合小面（ｆ９）は、下顎第一小臼歯部（Ｔ１１）の平衡咬合小面（ｆ３３）と一部接触し、
上顎第二小臼歯部（Ｔ５）の前方咬合小面（ｆ１０）は、下顎第一大臼歯部（Ｔ１３）の前方咬合小面（ｆ３９）と一部接触し、
上顎第二小臼歯部（Ｔ５）の後方咬合小面（ｆ１１）は、下顎第二小臼歯部（Ｔ１２）の後方咬合小面（ｆ３６）と一部接触し、
上顎第二小臼歯部（Ｔ５）の平衡咬合小面（ｆ１２）は、下顎第二小臼歯部（Ｔ１２）の平衡咬合小面（ｆ３７）と一部接触し、
上顎第一大臼歯部（Ｔ６）の前方咬合小面（ｆ１３）は、下顎第一大臼歯部（Ｔ１３）の前方咬合小面（ｆ４２）と一部接触し、
上顎第一大臼歯部（Ｔ６）の後方咬合小面（ｆ１４）は、下顎第一大臼歯部（Ｔ１３）の後方咬合小面（ｆ４０）と一部接触し、
上顎第一大臼歯部（Ｔ６）の前方咬合小面（ｆ１５）は、下顎第一大臼歯部（Ｔ１３）の前方咬合小面（ｆ４５）と一部接触し、
上顎第一大臼歯部（Ｔ６）の後方咬合小面（ｆ１６）は、下顎第一大臼歯部（Ｔ１３）の後方咬合小面（ｆ４３）と一部接触し、
上顎第一大臼歯部（Ｔ６）の平衡咬合小面（ｆ１７）は、下顎第一大臼歯部（Ｔ１３）の平衡咬合小面（ｆ４４）と一部接触し、
上顎第一大臼歯部（Ｔ６）の前方咬合小面（ｆ１８）は、下顎第一大臼歯部（Ｔ１３）の前方咬合小面（ｆ４７）と一部接触し、
上顎第二大臼歯部（Ｔ７）の前方咬合小面（ｆ２１）は、下顎第二大臼歯部（Ｔ１４）の前方咬合小面（ｆ５１）と一部接触し、
上顎第二大臼歯部（Ｔ７）の後方咬合小面（ｆ２２）は、下顎第二大臼歯部（Ｔ１４）の後方咬合小面（ｆ４９）と一部接触し、
上顎第二大臼歯部（Ｔ７）の後方咬合小面（ｆ２３）は、下顎第二大臼歯部（Ｔ１４）の後方咬合小面（ｆ５２）と一部接触し、
上顎第二大臼歯部（Ｔ７）の平衡咬合小面（ｆ２４）は、下顎第二大臼歯部（Ｔ１４）の平衡咬合小面（ｆ５３）と一部接触し、
上顎第二大臼歯部（Ｔ７）の前方咬合小面（ｆ２５）は、下顎第二大臼歯部（Ｔ１４）の前方咬合小面（ｆ５４）と一部接触し、
側方運動時には、作業側において、
上顎側切歯部（Ｔ２）の前方咬合小面（ｆ４）は、下顎側切歯部（Ｔ９）の前方咬合小面（ｆ２８）と一部滑走し、
上顎犬歯部（Ｔ３）の後方咬合小面（ｆ６）は、下顎犬歯部（Ｔ１０）の後方咬合小面（ｆ３０）と一部滑走し、
上顎第一小臼歯部（Ｔ４）の後方咬合小面（ｆ８）は、下顎第一小臼歯部（Ｔ１１）の後方咬合小面（ｆ３２）と一部滑走し、
上顎第二小臼歯部（Ｔ５）の後方咬合小面（ｆ１１）は、下顎第二小臼歯部（Ｔ１２）の後方咬合小面（ｆ３６）と一部滑走し、
上顎第一大臼歯部（Ｔ６）の後方咬合小面（ｆ１４）は、下顎第一大臼歯部（Ｔ１３）の後方咬合小面（ｆ４０）と一部滑走し、
上顎第一大臼歯部（Ｔ６）の後方咬合小面（ｆ１６）は、下顎第一大臼歯部（Ｔ１３）の後方咬合小面（ｆ４３）と一部滑走し、
上顎第一大臼歯部（Ｔ６）の前方咬合小面（ｆ１８）は、下顎第一大臼歯部（Ｔ１３）の前方咬合小面（ｆ４７）と一部滑走し、
上顎第二大臼歯部（Ｔ７）の後方咬合小面（ｆ２２）は、下顎第二大臼歯部（Ｔ１４）の後方咬合小面（ｆ４９）と一部滑走し、
上顎第二大臼歯部（Ｔ７）の後方咬合小面（ｆ２３）は、下顎第二大臼歯部（Ｔ１４）の後方咬合小面（ｆ５２）と一部滑走し、
上顎第二大臼歯部（Ｔ７）の前方咬合小面（ｆ２５）は、下顎第二大臼歯部（Ｔ１４）の前方咬合小面（ｆ５４）と一部滑走すると同時に、平衡側において、
上顎第一小臼歯部（Ｔ４）の平衡咬合小面（ｆ９）は、下顎第一小臼歯部（Ｔ１１）の平衡咬合小面（ｆ３３）と一部滑走し、
上顎第二小臼歯部（Ｔ５）の平衡咬合小面（ｆ１２）は、下顎第二小臼歯部（Ｔ１２）の平衡咬合小面（ｆ３７）及び下顎第一大臼歯部（Ｔ１３）の平衡咬合小面（ｆ４１）と一部滑走し、
上顎第一大臼歯部（Ｔ６）の平衡咬合小面（ｆ１７）は、下顎第一大臼歯部（Ｔ１３）の平衡咬合小面（ｆ４４）と一部滑走し、
上顎第一大臼歯部（Ｔ６）の平衡咬合小面（ｆ２０）は、下顎第一大臼歯部（Ｔ１３）の平衡咬合小面（ｆ４６）及び下顎第二大臼歯部（Ｔ１４）の平衡咬合小面（ｆ５０）と一部滑走し、
上顎第二大臼歯部（Ｔ７）の平衡咬合小面（ｆ２４）は、下顎第二大臼歯部（Ｔ１４）の平衡咬合小面（ｆ５３）と一部滑走し、
前方運動時には、
上顎中切歯部（Ｔ１）の前方咬合小面（ｆ１）は、下顎側切歯部（Ｔ９）の前方咬合小面（ｆ２７）と一部滑走し、
上顎中切歯部（Ｔ１）の前方咬合小面（ｆ２）は、下顎中切歯部（Ｔ８）の前方咬合小面（ｆ２６）と一部滑走し、
上顎側切歯部（Ｔ２）の前方咬合小面（ｆ３）は、下顎犬歯部（Ｔ１０）の前方咬合小面（ｆ２９）と一部滑走し、
上顎犬歯部（Ｔ３）の前方咬合小面（ｆ５）は、下顎第一小臼歯部（Ｔ１１）の前方咬合小面（ｆ３１）と一部滑走し、
上顎第一小臼歯部（Ｔ４）の前方咬合小面（ｆ７）は、下顎第二小臼歯部（Ｔ１２）の前方咬合小面（ｆ３５）と一部滑走し、
上顎第二小臼歯部（Ｔ５）の前方咬合小面（ｆ１０）は、下顎第一大臼歯部（Ｔ１３）の前方咬合小面（ｆ３９）と一部滑走し、
上顎第一大臼歯部（Ｔ６）の前方咬合小面（ｆ１３）は、下顎第一大臼歯部（Ｔ１３）の前方咬合小面（ｆ４２）と一部滑走し、
上顎第一大臼歯部（Ｔ６）の前方咬合小面（ｆ１５）は、下顎第一大臼歯用人工歯（Ｔ１３）の前方咬合小面（ｆ４５）及び下顎第二大臼歯用人工歯（Ｔ１４）の前方咬合小面（ｆ４８）と一部滑走し、
上顎第一大臼歯部（Ｔ６）の前方咬合小面（ｆ１８）は、下顎第一大臼歯用人工歯（Ｔ１３）の前方咬合小面（ｆ４７）と一部滑走し、
上顎第二大臼歯部（Ｔ７）の前方咬合小面（ｆ２１）は、下顎第二大臼歯部（Ｔ１４）の前方咬合小面（ｆ５１）と一部滑走し、
上顎第二大臼歯部（Ｔ７）の前方咬合小面（ｆ２５）は、下顎第二大臼歯部（Ｔ１４）の前方咬合小面（ｆ５４）と一部滑走する、
請求項１に記載の上下顎嵌合型連結人工歯セット。
【発明の詳細な説明】
【技術分野】
【０００１】
本発明は有床義歯、特に全部床義歯の作製時に用いられる既成の人工歯に関する。
【背景技術】
【０００２】
人工歯は歯科の補綴治療分野において、歯牙を欠損した患者に対する処置として有床義歯を作製する際の部材として用いられている。
【０００３】
また、人工歯は、有床義歯を作製する際に、患者が歯牙を欠損する以前に有していた摂食・発音・嚥下などの口腔機能を回復するように位置決めされる。例えば、患者個人個人に合わせて、咬み合わせの位置関係（咬合関係という。）や審美性（見た目の自然観）を考慮しながら、蝋で作製された仮床の上に各部位の人工歯が弓形状（歯列弓という。）となる様、人工歯の位置決めを行っている。（この操作を排列という。）
【０００４】
有床義歯は全部床義歯と部分床義歯に大別され、全て歯を欠損した顎に対して製作するものを全部床義歯、部分的に歯を欠損した顎に対して製作するものを部分床義歯という。
【０００５】
従来の人工歯の多くは、全部床義歯のみならず、部分床義歯の製作にも対応するため、各人工歯が独立した状態で提供されている。部分床義歯の症例で、且つ、欠損歯数の少ない場合は、周囲の残存歯及び対合歯の位置を参考に人工歯を排列する事が可能である。特に使用上の問題は無いが、欠損数が多くなるに従い、人工歯の最適な排列位置の特定が困難となる。
【０００６】
全部床義歯の症例では、参考となる残存歯が存在しないばかりでなく、歯槽骨の吸収も加わり、平坦な顎（顎堤という。）の形状をしている事も多い。そのため、人工歯の最適な排列位置を特定する事は高度な知識と経験が要求される。
【０００７】
全部床義歯の製作工程においても部分床義歯と同様に、人工歯の排列位置は、患者の顎堤の形状を参考に、元々歯牙が萌出していたと思われる位置を考慮して決定することが望ましい。それは、義歯を装着したときに、人工歯が患者個々の舌や頬粘膜など、口腔内の周辺組織と調和するためである。
【０００８】
その他にも、患者が咀嚼や発音などの顎運動を行ったときに義歯自体が口腔内から脱離しない様に、力学的な安定性を得るため、適切な咬合関係を確立することが求められている。そのためには、患者が顎運動を行う際の上顎と下顎の人工歯の接触関係も考慮することが求められている。
【０００９】
しかしながら、一つ一つ独立した従来の人工歯を使って、上記の要件を満たす位置関係に排列する事は、高度な知識、技術、そして極めて煩雑な操作が要求される。
【００１０】
また、人工歯排列の後、蝋義歯の義歯床部を蝋からアクリルなどの樹脂に置換し、重合する操作を行う。この操作により、少なからず義歯床材料の重合収縮に起因する義歯自体の歪みや変形、個々の人工歯の排列位置の狂いを生じさせるため、最終的には人工歯を削る（咬合調整という。）ことで最適な咬合関係を確立するが、非常に煩雑な操作となり、時間を要しているのが現状である。
【００１１】
こうした状況に対し、過去からその技術的難易度や排列作業時間を削減するため、幾つかの試みがなされている。
【００１２】
特許文献１には全弓型プラスチック人工歯と呼ばれるものが記載されている。特許文献１に記載の人工歯は、Ｕ字構造の空間の間に支持体を設ける事や金型の分割を容易にするための歯冠軸面の勾配を規定する事により、可及的にヒトの自然歯に似せた形状の人工歯の製造を可能としている。
【００１３】
しかし、特許文献１には、連結人工歯の歯列弓の形状が具体的に開示されていない。また、上顎用人工歯と下顎用人工歯の咬合接触関係が不明瞭であり、上顎用人工歯と下顎用人工歯のセットとして適切な咬合関係を確保できていない為、却って通常の人工歯よりも煩雑な操作が要求される。
【００１４】
その結果として、必ずしも、患者の口腔内で機能する義歯が提供されているとは言えない現状がある。
【先行技術文献】
【特許文献】
【００１５】
【特許文献１】特開昭６０-２２２０５１号報
【発明の概要】
【発明が解決しようとする課題】
【００１６】
本発明が解決しようとする課題は、術者の技量、及び、無歯顎患者の顎堤形状の違いを問わず調和し、且つ、短時間で容易に理想的な咬合接触関係が確立できる全部床義歯の製作を可能とすることである。
【課題を解決するための手段】
【００１７】
前記課題を解決するため、本発明の一態様に係る上下顎嵌合型連結人工歯セットは、
弓形状を有する下顎用連結人工歯（５）と上顎用連結人工歯（６）とを備える上下顎嵌合型連結人工歯セットであって、
下顎用連結人工歯（５）は、左右両側にそれぞれ配置される、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）を有し、
下顎用連結人工歯（５）の中央において、左右の下顎中切歯部（Ｔ８）が互いに連結されており、
下顎用連結人工歯（５）の左右両側の部位のそれぞれにおいて、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）がこの順に連結され、
下顎用連結人工歯（５）を仮想ＸＹＺ直交座標系に表した場合、
左右の下顎中切歯部（Ｔ８）の近心切縁隅角間の中点である下顎切歯点（１０）は、Ｘ座標値０ｍｍ、Ｙ座標値０ｍｍ、Ｚ座標値０ｍｍである仮想ＸＹＺ直交座標系の原点（１）に一致し、
左右の下顎第一大臼歯部（Ｔ１３）の遠心頬側咬頭頂（ｃ１５）は、Ｚ座標値０ｍｍの位置に配置され、
下顎用連結人工歯（５）の左側の部位は正（＋）のＸ座標値側に配置され、下顎用連結人工歯（５）の右側の部位は負（−）のＸ座標値側に配置され、
下顎用連結人工歯（５）の左側の部位における切歯及び犬歯の切縁、及び臼歯の咬頭頂の位置するＸ座標値、Ｙ座標値、Ｚ座標値の絶対値と、下顎用連結人工歯（５）の右側の部位における切歯及び犬歯の切縁、及び臼歯の咬頭頂の位置するＸ座標値、Ｙ座標値、Ｚ座標値の絶対値とは、それぞれ、等しく、
下顎用連結人工歯（５）の左右両側における、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）の歯冠形態は、仮想ＸＹＺ直交座標系のＸＹ平面において、二次関数Ｙｍｍ＝｛（Ｘｍｍ×Ｘｍｍ）／α１ｍｍ｝−β１ｍｍで表現される第１仮想曲線（１８）と、Ｙｍｍ＝｛（Ｘｍｍ×Ｘｍｍ）／α２ｍｍ｝＋β２ｍｍで表現される第２仮想曲線（１９）との間に配置され、ここでα１ｍｍは３０〜３２ｍｍの範囲、β１は３〜５ｍｍの範囲、α２ｍｍは８〜１６ｍｍの範囲、β２ｍｍは２〜５ｍｍの範囲でそれぞれ決定され、
左側の下顎第二大臼歯部（Ｔ１４）から右側の下顎第二大臼歯部（Ｔ１４）までの近遠心方向の幅径の合計（Ｌ１）は８０．０ｍｍ〜１３０．０ｍｍの間にあり、
下顎用連結人工歯（５）における全ての切歯及び犬歯の切縁、及び全ての臼歯の咬頭頂のＺ座標値は、−１０．０〜＋５．０ｍｍの間にあり、
上顎用連結人工歯（６）は、左右両側にそれぞれ配置される、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）を有し、
上顎用連結人工歯（６）の中央において、左右の上顎中切歯部（Ｔ１）が互いに連結されており、
上顎用連結人工歯（６）の左右両側の部位のそれぞれにおいて、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）がこの順に連結され、
上顎用連結人工歯（６）を仮想ＸＹＺ直交座標系で表した場合、
左右の上顎中切歯部（Ｔ１）の近心切縁隅角間の中点である上顎切歯点（２０）は、仮想のＸＹＺ直交座標系の原点（１）に対し、Ｘ座標値０ｍｍ、Ｙ座標値−１０．０ｍｍ〜０ｍｍ、Ｚ座標値−１０．０ｍｍ〜０ｍｍの間に配置され、
上顎用連結人工歯（６）の左側の部位は正（＋）のＸ座標値側に配置され、上顎用連結人工歯（６）の右側の部位は負（−）のＸ座標値側に配置され、
上顎用連結人工歯（６）の左側の部位における切歯及び犬歯の切縁、及び臼歯の咬頭頂の位置するＸ座標値、Ｙ座標値、Ｚ座標値の絶対値と、上顎用連結人工歯（６）の右側の部位における切歯及び犬歯の切縁、及び臼歯の咬頭頂の位置するＸ座標値、Ｙ座標値、Ｚ座標値の絶対値とが、それぞれ、等しく、
上顎第一大臼歯部（Ｔ６）の中央窩（Ｓ６）のＸ座標値及びＹ座標値は、下顎第一大臼歯部（Ｔ１３）の遠心頬側咬頭頂（ｃ１５）を中心とする半径５．０ｍｍ以内、且つＺ座標値０ｍｍ〜＋５．０ｍｍの間であり、
上顎用連結人工歯（６）の左右両側における、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）の歯冠形態は、仮想ＸＹＺ直交座標系のＸＹ平面において、二次関数Ｙｍｍ＝｛（Ｘｍｍ×Ｘｍｍ）／α３ｍｍ｝−β３ｍｍで表現される第３仮想曲線（２８）と、Ｙｍｍ＝｛（Ｘｍｍ×Ｘｍｍ）／α４ｍｍ｝＋β４ｍｍで表現される第４仮想曲線（２９）との間に配置され、ここでα３は３２〜３６の範囲、β３は８〜１２の範囲、α４は８〜１６の範囲、β４は１〜５の範囲でそれぞれ決定され、
左側の上顎第二大臼歯部（Ｔ７）から右側の上顎第二大臼歯部（Ｔ７）までの近遠心方向の幅径の合計（Ｌ２）が９０．０ｍｍ〜１４０．０ｍｍの間にあり、
上顎用連結人工歯（６）における全ての切歯及び犬歯、及び全ての臼歯の咬頭頂のＺ座標値は、−５．０ｍｍ〜＋１０．０ｍｍの間にあり、
下顎用連結人工歯（５）と上顎用連結人工歯（６）とが咬頭嵌合状態のとき、
左側の部位と右側の部位のそれぞれにおいて、
下顎第一小臼歯部（Ｔ１１）と下顎第二小臼歯部（Ｔ１２）の少なくとも一方は、上顎第一小臼歯部（Ｔ４）と上顎第二小臼歯部（Ｔ５）の少なくとも一方に１箇所以上で接触し、
下顎第一大臼歯部（Ｔ１３）と下顎第二大臼歯部（Ｔ１４）の少なくとも一方は、上顎第一大臼歯部（Ｔ６）と上顎第二大臼歯部（Ｔ７）の少なくとも一方に１箇所以上で接触し、
下顎用連結人工歯（５）と上顎用連結人工歯（６）との左右両側の部位における接触箇所の合計が４箇所以上であり、
下顎用連結人工歯（５）と上顎用連結人工歯（６）との左右両側の部位における臼歯において、同名部位の１歯対１歯、または１歯対２歯の関係で接触嵌合する。
【発明の効果】
【００１８】
本発明の上下顎嵌合型連結人工歯セットを提供することにより、術者の技量、及び、無歯顎患者の顎堤形状の違いを問わず、短時間で容易に理想的な咬合接触関係を有する良質な全部床義歯の製作が可能となる。
【図面の簡単な説明】
【００１９】
【図１】下顎用連結人工歯の斜視図
【図２】下顎用連結人工歯の咬合面図
【図３】下顎用連結人工歯の左側面図
【図４】上顎用連結人工歯の斜視図
【図５】上顎用連結人工歯の咬合面図
【図６】上顎用連結人工歯の左側面図
【図７Ａ】仮想咬合平面と仮想ＸＹＺ座標系の配置関係、及び上顎用連結人工歯を頬側から見た斜視図
【図７Ｂ】仮想咬合平面と仮想ＸＹＺ座標系の配置関係、及び下顎用連結人工歯を頬側から見た斜視図
【図８Ａ】仮想咬合平面と仮想ＸＹＺ座標系の配置関係、及び上顎用連結人工歯を舌側から見た斜視図
【図８Ｂ】仮想咬合平面と仮想ＸＹＺ座標系の配置関係、及び下顎用連結人工歯を舌側から見た斜視図
【図９Ａ】上顎用連結人工歯における中切歯部の咬合面図
【図９Ｂ】図９Ａの中切歯部の前方咬合小面を矢状面側から見た図
【図９Ｃ】図９Ａの中切歯部の前方咬合小面を前頭面側から見た図
【図９Ｄ】図９Ａの中切歯部の後方咬合小面を矢状面側から見た図
【図９Ｅ】図９Ａの中切歯部の後方咬合小面を前頭面側から見た図
【図１０】上顎用連結人工歯における側切歯部の咬合面図
【図１１】上顎用連結人工歯における犬歯部の咬合面図
【図１２】上顎用連結人工歯における第一小臼歯部の咬合面図
【図１３】上顎用連結人工歯における第二小臼歯部の咬合面図
【図１４】上顎用連結人工歯における第一大臼歯部の咬合面図
【図１５】上顎用連結人工歯における第二大臼歯部の咬合面図
【図１６Ａ】下顎用連結人工歯における中切歯部の咬合面図
【図１６Ｂ】図１６Ａの中切歯部の前方咬合小面を矢状面側から見た図
【図１６Ｃ】図１６Ａの中切歯部の前方咬合小面を前頭面側から見た図
【図１７】下顎用連結人工歯における側切歯部の咬合面図
【図１８】下顎用連結人工歯における犬歯部の咬合面図
【図１９】下顎用連結人工歯における第一小臼歯部の咬合面図
【図２０】下顎用連結人工歯における第二小臼歯部の咬合面図
【図２１】下顎用連結人工歯における第一大臼歯部の咬合面図
【図２２】下顎用連結人工歯における第二大臼歯部の咬合面図
【図２３】咬頭嵌合位で一部接触する咬合小面を示す連結人工歯セットの咬合面図
【図２４】側方運動時の作業側で滑走する咬合小面を示す連結人工歯セットの咬合面
【図２５】側方運動時の平衡側に滑走する咬合小面を示す連結人工歯セットの咬合面
【図２６】前方運動時に滑走する咬合小面を示す人工歯セット咬合面図
【発明を実施するための形態】
【００２０】
（本開示の基礎となった知見）
課題を解決するため、本発明者らは、不特定多数の無歯顎患者の顎堤形状に適用可能で、且つ、左右両側の中切歯、側切歯、犬歯、第一小臼歯、第二小臼歯、第一大臼歯、第二大臼歯の１４歯全ての部位が理想的な歯列弓形状、及び理想的な上下顎の咬合接触関係で連結される、上下顎一対の連結人工歯セットを検討した。
【００２１】
より具体的には、連結人工歯を提供する段階で、連結人工歯の歯列弓の形状、すなわち、全ての部位の人工歯の適切な排列位置を３次元的に明確に規定し、上顎用の連結人工歯と下顎用の連結人工歯とが最低限、確保するべき接触箇所を明確に規定する。平均値咬合器を用いて全部床義歯を製作する場合において、削合調整量が少なく、両側性平衡咬合を容易に確立するために、上顎用の連結人工歯における、上顎中切歯部、上顎側切歯部、上顎犬歯部、上顎第一小臼歯部、上顎第二小臼歯部、上顎第一大臼歯部、及び上顎第二大臼歯部と、下顎用の連結人工歯における、下顎中切歯部、下顎側切歯部、下顎犬歯部、下顎第一小臼歯部、下顎第二小臼歯部、下顎第一大臼歯部、及び下顎第二大臼歯部との各咬合小面が咬合平面と成す角度を適切に設定する。また、上顎用の連結人工歯と下顎用の連結人工歯との咬頭嵌合位における各咬合小面の接触位置関係、偏心位における側方運動の作業側と平衡側、及び前方運動時の各咬合小面の滑走関係を適切に設定する。
【００２２】
本発明者らは、前記の課題のうち、無歯顎患者の顎堤形状の違いを問わず調和する、理想的な歯列弓の形状を求めるため、以下の調査を行った。
【００２３】
技術背景に記載のとおり、人工歯の排列位置には患者の顎堤の形状を参考に、元々歯牙が萌出していたと思われる位置を考慮して決定することが望ましいという考え方が有る。しかし実際には、その考えに基づいて作製した全部床義歯であっても、その位置決定は熟練した術者の知識と経験に依存しており、人工歯の排列位置が、歯牙が萌出していた位置と実際に一致している事を立証したものは無い。
【００２４】
そこで、欠損の無い有歯顎者の下顎を複製した模型の各部位の天然歯の萌出位置、すなわち、歯列弓の形状を不特定多数測定し、一定の条件でＸＹＺ直交座標系に配置したときの分布を統計的に分析した。
【００２５】
測定は３次元形状計測機を用いて行った。ＸＹＺ直交座標系に対する下顎の天然歯模型の配置は、ＸＹＺ直交座標系の原点と測定した天然歯列の下顎切歯点がＸ座標値０ｍｍ、Ｙ座標値０ｍｍ、Ｚ座標値０ｍｍとなるように一致させる。下顎の天然歯模型は、左右両側にそれぞれ配置される下顎第一大臼歯部の遠心頬側咬頭頂のＺ座標値が０ｍｍとなるように配置される。また、下顎の天然歯模型の左側の部位が正（＋）のＸ座標値側に配置されると共に、下顎の天然歯模型の右側の部位が負（−）のＸ座標値側に配置される。下顎の天然歯模型の左側における部位の切歯及び犬歯の切縁、及び臼歯の咬頭頂の位置するＸ座標値、Ｙ座標値、Ｚ座標値の絶対値と、下顎の天然歯模型の右側の部位における切歯及び犬歯の切縁、及び臼歯の咬頭頂の位置するＸ座標値、Ｙ座標値、Ｚ座標値の絶対値とは、それぞれ、等しくなるように、下顎の天然歯模型を配置した。
分析の結果、欠損の無い有歯顎者の萌出位置の分布は、個人の違いによる偏差が少ないことが判った。
【００２６】
次に、無歯顎患者が使用している全部床義歯に植立されている人工歯の排列位置について不特定多数測定し、統計的に調査した。この全部床義歯は、元々歯牙が萌出していたと思われる位置に人工歯を排列するという考えに基づいて人工歯を排列したものであり、患者の満足も得られているものである。
分析の結果、これについても、人工歯の排列位置は、患者の個人の違いによる偏差が少ないことが判った。
【００２７】
そして、天然歯の萌出位置の分布と、全部床義歯に植立されている人工歯の排列位置の分布を分析した結果、両者は概ね一致していることが判明した。そのため、元々歯牙が萌出していたと思われる位置に人工歯を排列するという手法で作製した全部床義歯は、高確率で歯牙が萌出している位置に排列できている事が立証され、患者の満足が得られる全部床義歯の製作が可能であることが示唆された。
【００２８】
そこで、これらの歯列弓の分布に基づき、仮想の３次元座標中に一定の二次関数曲線で構成される範囲内に各部位の人工歯が排列され、且つ、上顎用の連結人工歯と下顎用の連結人工歯が静的な安定性を確保した状態である連結人工歯のセットを提供すれば、機能的な全部床義歯を術者の技量を問わず、短時間で製作可能になり、不特定多数の無歯顎患者に高い割合で適用可能となると考え、本発明に想到した。
【００２９】
上記課題を解決する本発明は、以下に記載するとおりである。
【００３０】
本発明の第１態様に係る上下顎嵌合型連結人工歯セットは、
弓形状を有する下顎用連結人工歯（５）と上顎用連結人工歯（６）とを備える上下顎嵌合型連結人工歯セットであって、
下顎用連結人工歯（５）は、左右両側にそれぞれ配置される、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）を有し、
下顎用連結人工歯（５）の中央において、左右の下顎中切歯部（Ｔ８）が互いに連結されており、
下顎用連結人工歯（５）の左右両側の部位のそれぞれにおいて、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）がこの順に連結され、
下顎用連結人工歯（５）を仮想ＸＹＺ直交座標系に表した場合、
左右の下顎中切歯部（Ｔ８）の近心切縁隅角間の中点である下顎切歯点（１０）は、Ｘ座標値０ｍｍ、Ｙ座標値０ｍｍ、Ｚ座標値０ｍｍである仮想ＸＹＺ直交座標系の原点（１）に一致し、
左右の下顎第一大臼歯部（Ｔ１３）の遠心頬側咬頭頂（ｃ１５）は、Ｚ座標値０ｍｍの位置に配置され、
下顎用連結人工歯（５）の左側の部位は正（＋）のＸ座標値側に配置され、下顎用連結人工歯（５）の右側の部位は負（−）のＸ座標値側に配置され、
下顎用連結人工歯（５）の左側の部位における切歯及び犬歯の切縁、及び臼歯の咬頭頂の位置するＸ座標値、Ｙ座標値、Ｚ座標値の絶対値と、下顎用連結人工歯（５）の右側の部位における切歯及び犬歯の切縁、及び臼歯の咬頭頂の位置するＸ座標値、Ｙ座標値、Ｚ座標値の絶対値とは、それぞれ、等しく、
下顎用連結人工歯（５）の左右両側における、下顎中切歯部（Ｔ８）、下顎側切歯部（Ｔ９）、下顎犬歯部（Ｔ１０）、下顎第一小臼歯部（Ｔ１１）、下顎第二小臼歯部（Ｔ１２）、下顎第一大臼歯部（Ｔ１３）、及び下顎第二大臼歯部（Ｔ１４）の歯冠形態は、仮想ＸＹＺ直交座標系のＸＹ平面において、二次関数Ｙｍｍ＝｛（Ｘｍｍ×Ｘｍｍ）／α１ｍｍ｝−β１ｍｍで表現される第１仮想曲線（１８）と、Ｙｍｍ＝｛（Ｘｍｍ×Ｘｍｍ）／α２ｍｍ｝＋β２ｍｍで表現される第２仮想曲線（１９）との間に配置され、ここでα１ｍｍは３０〜３２ｍｍの範囲、β１は３〜５ｍｍの範囲、α２ｍｍは８〜１６ｍｍの範囲、β２ｍｍは２〜５ｍｍの範囲でそれぞれ決定され、
左側の下顎第二大臼歯部（Ｔ１４）から右側の下顎第二大臼歯部（Ｔ１４）までの近遠心方向の幅径の合計（Ｌ１）は８０．０ｍｍ〜１３０．０ｍｍの間にあり、
下顎用連結人工歯（５）における全ての切歯及び犬歯の切縁、及び全ての臼歯の咬頭頂のＺ座標値は、−１０．０〜＋５．０ｍｍの間にあり、
上顎用連結人工歯（６）は、左右両側にそれぞれ配置される、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）を有し、
上顎用連結人工歯（６）の中央において、左右の上顎中切歯部（Ｔ１）が互いに連結されており、
上顎用連結人工歯（６）の左右両側の部位のそれぞれにおいて、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）がこの順に連結され、
上顎用連結人工歯（６）を仮想ＸＹＺ直交座標系で表した場合、
左右の上顎中切歯部（Ｔ１）の近心切縁隅角間の中点である上顎切歯点（２０）は、仮想のＸＹＺ直交座標系の原点（１）に対し、Ｘ座標値０ｍｍ、Ｙ座標値−１０．０ｍｍ〜０ｍｍ、Ｚ座標値−１０．０ｍｍ〜０ｍｍの間に配置され、
上顎用連結人工歯（６）の左側の部位は正（＋）のＸ座標値側に配置され、上顎用連結人工歯（６）の右側の部位は負（−）のＸ座標値側に配置され、
上顎用連結人工歯（６）の左側の部位における切歯及び犬歯の切縁、及び臼歯の咬頭頂の位置するＸ座標値、Ｙ座標値、Ｚ座標値の絶対値と、上顎用連結人工歯（６）の右側の部位における切歯及び犬歯の切縁、及び臼歯の咬頭頂の位置するＸ座標値、Ｙ座標値、Ｚ座標値の絶対値とが、それぞれ、等しく、
上顎第一大臼歯部（Ｔ６）の中央窩（Ｓ６）のＸ座標値及びＹ座標値は、下顎第一大臼歯部（Ｔ１３）の遠心頬側咬頭頂（ｃ１５）を中心とする半径５．０ｍｍ以内、且つＺ座標値０ｍｍ〜＋５．０ｍｍの間であり、
上顎用連結人工歯（６）の左右両側における、上顎中切歯部（Ｔ１）、上顎側切歯部（Ｔ２）、上顎犬歯部（Ｔ３）、上顎第一小臼歯部（Ｔ４）、上顎第二小臼歯部（Ｔ５）、上顎第一大臼歯部（Ｔ６）、及び上顎第二大臼歯部（Ｔ７）の歯冠形態は、仮想ＸＹＺ直交座標系のＸＹ平面において、二次関数Ｙｍｍ＝｛（Ｘｍｍ×Ｘｍｍ）／α３ｍｍ｝−β３ｍｍで表現される第３仮想曲線（２８）と、Ｙｍｍ＝｛（Ｘｍｍ×Ｘｍｍ）／α４ｍｍ｝＋β４ｍｍで表現される第４仮想曲線（２９）との間に配置され、ここでα３は３２〜３６の範囲、β３は８〜１２の範囲、α４は８〜１６の範囲、β４は１〜５の範囲でそれぞれ決定され、
左側の上顎第二大臼歯部（Ｔ７）から右側の上顎第二大臼歯部（Ｔ７）までの近遠心方向の幅径の合計（Ｌ２）が９０．０ｍｍ〜１４０．０ｍｍの間にあり、
上顎用連結人工歯（６）における全ての切歯及び犬歯の切縁、及び全ての臼歯の咬頭頂のＺ座標値は、−５．０ｍｍ〜＋１０．０ｍｍの間にあり、
下顎用連結人工歯（５）と上顎用連結人工歯（６）とが咬頭嵌合状態のとき、
左側の部位と右側の部位のそれぞれにおいて、
下顎第一小臼歯部（Ｔ１１）と下顎第二小臼歯部（Ｔ１２）の少なくとも一方は、上顎第一小臼歯部（Ｔ４）と上顎第二小臼歯部（Ｔ５）の少なくとも一方に１箇所以上で接触し、
下顎第一大臼歯部（Ｔ１３）と下顎第二大臼歯部（Ｔ１４）の少なくとも一方は、上顎第一大臼歯部（Ｔ６）と上顎第二大臼歯部（Ｔ７）の少なくとも一方に１箇所以上で接触し、
下顎用連結人工歯（５）と上顎用連結人工歯（６）との左右両側の部位における接触箇所の合計が４箇所以上であり、
下顎用連結人工歯（５）と上顎用連結人工歯（６）との左右両側の部位における臼歯において、同名部位の１歯対１歯、または１歯対２歯の関係で接触嵌合する。
【００３１】
本発明の第２態様に係る上下顎嵌合型連結人工歯セットにおいては、
咬合平面板と切歯指導標を具備し、顆頭間距離が１０５ｍｍ、矢状顆路角が水平面に対し２５．０°、咬合三角と咬合平面のなす角度が１５．０°、矢状切歯路角が１０．０°、側方切歯路角が１０．０°である、咬合器上において、
切歯指導標の先端を仮想ＸＹＺ直交座標系の原点（１）と一致させ、咬合平面板の咬合平面（Ｐ１）を仮想ＸＹＺ直交座標系のＸＹ平面とし、矢状面（Ｐ２）を仮想ＸＹＺ直交座標系のＹＺ平面とし、前頭面（Ｐ３）を仮想ＸＹＺ直交座標系のＺＸ平面とし、下顎用連結人工歯（５）及び上顎用連結人工歯（６）の左側の部位が正（＋）のＸ座標値側に配置され、下顎用連結人工歯（５）及び上顎用連結人工歯（６）の右側の部位が負（−）のＸ座標値側に配置される場合において、
上顎中切歯部（Ｔ１）は、
切縁（ｉ１）に前方咬合小面（ｆ１）と前方咬合小面（ｆ２）の２面を有し、
前方咬合小面（ｆ１）が咬合平面（Ｐ１）と成す角度が、矢状面（Ｐ２）との断面における角度で２２．０°〜２５．５°であると同時に、前頭面（Ｐ３）との断面における角度で１．５°〜６．５°であり、
前方咬合小面（ｆ２）が咬合平面（Ｐ１）と成す角度が、矢状面（Ｐ２）との断面における角度で２０．５°〜２３．０°あると同時に、前頭面（Ｐ３）との断面における角度で１．５°〜６．５°であり、
上顎側切歯部（Ｔ２）は、
切縁（ｉ２）に前方咬合小面（ｆ３）と前方咬合小面（ｆ４）の２面を有し、
前方咬合小面（ｆ３）が咬合平面（Ｐ１）と成す角度が、矢状面（Ｐ２）との断面における角度で２３．０°〜２８．０°であると同時に、前頭面（Ｐ３）との断面における角度で１５．０°〜１７．０°であり、
前方咬合小面（ｆ４）が咬合平面（Ｐ１）と成す角度が、矢状面（Ｐ２）との断面における角度で１６．０°〜２２．０°であると同時に、前頭面（Ｐ３）との断面における角度で９．５°〜１０．５°であり、
上顎犬歯部（Ｔ３）は、
切縁（ｉ３）に前方咬合小面（ｆ５）と後方咬合小面（ｆ６）の２面を有し、
前方咬合小面（ｆ５）が咬合平面（Ｐ１）と成す角度が、矢状面（Ｐ２）との断面における角度で２５．０°〜３１．０°であると同時に、前頭面（Ｐ３）との断面における角度で１．５°〜５．０°であり、
後方咬合小面（ｆ６）が咬合平面（Ｐ１）と成す角度が、矢状面（Ｐ２）との断面における角度で８．５°〜２２．５°であると同時に、前頭面（Ｐ３）との断面における角度で１８．０°〜２５．０°であり、
上顎第一小臼歯部（Ｔ４）は、
頬側咬頭頂（Ｃ１）の周囲に前方咬合小面（ｆ７）と後方咬合小面（ｆ８）の２面を有し、さらに舌側咬頭頂（Ｃ２）の周囲に平衡咬合小面（ｆ９）の１面を有し、
頬側咬頭頂（Ｃ１）付近の前方咬合小面（ｆ７）が咬合平面（Ｐ１）と成す角度が、矢状面（Ｐ２）との断面における角度で２４．５°〜２７．５°であると同時に、前頭面（Ｐ３）との断面における角度で８．５°〜１６．４°であり
頬側咬頭頂（Ｃ１）付近の後方咬合小面（ｆ８）が咬合平面（Ｐ１）と成す角度が、矢状面（Ｐ２）との断面における角度で１８．５°〜２７．０°であると同時に、前頭面（Ｐ３）との断面における角度で１０．０°〜１８．０°であり、
舌側咬頭頂（Ｃ２）付近の平衡咬合小面（ｆ９）が咬合平面（Ｐ１）と成す角度が、矢状面（Ｐ２）との断面における角度で１．５°〜４．５°であると同時に、前頭面（Ｐ３）との断面における角度で２９．５°〜３５．５°であり、
上顎第二小臼歯部（Ｔ５）は、
頬側咬頭頂（Ｃ３）の周囲に前方咬合小面（ｆ１０）と後方咬合小面（ｆ１１）の２面を有し、さらに舌側咬頭頂（Ｃ４）の周囲に平衡咬合小面（ｆ１２）の１面を有し、
頬側咬頭頂（Ｃ３）付近の前方咬合小面（ｆ１０）が咬合平面（Ｐ１）と成す角度が、矢状面（Ｐ２）との断面における角度で２３．０°〜２８．０°であると同時に、前頭面（Ｐ３）との断面における角度が１０．０°〜１９．０°であり、
頬側咬頭頂（Ｃ３）付近の後方咬合小面（ｆ１１）が咬合平面（Ｐ１）と成す角度が、矢状面（Ｐ２）との断面における角度で１６．５°〜１９．０°であると同時に、前頭面（Ｐ３）との断面における角度で１３．０°〜１７．５°であり、
舌側咬頭頂（Ｃ４）付近の平衡咬合小面（ｆ１２）が咬合平面（Ｐ１）と成す角度が、矢状面（Ｐ２）との断面における角度で６．０°〜１０．０°であると同時に、前頭面（Ｐ３）との断面における角度で２５．５°〜２９．０°であり、
上顎第一大臼歯部（Ｔ６）は、
近心頬側咬頭頂（Ｃ５）の周囲に前方咬合小面（ｆ１３）と後方咬合小面（ｆ１４）の２面を有し、遠心頬側咬頭頂（Ｃ６）の周囲に前方咬合小面（ｆ１５）と後方咬合小面（ｆ１６）の２面を有し、近心舌側咬頭頂（Ｃ７）の周囲に前方咬合小面（ｆ１８）と平衡咬合小面（ｆ１７）の２面を有し、遠心舌側咬頭頂（Ｃ８）の周囲に後方咬合小面（ｆ１９）と平衡咬合小面（ｆ２０）の２面を有し、
近心頬側咬頭頂（Ｃ５）付近の前方咬合小面（ｆ１３）が咬合平面（Ｐ１）と成す角度が、矢状面（Ｐ２）との断面における角度で１８．５°〜２１．０°であると同時に、前頭面（Ｐ３）との断面における角度が５．０°〜１１．０°であり、
近心頬側咬頭頂（Ｃ５）付近の後方咬合小面（ｆ１４）が咬合平面（Ｐ１）と成す角度が、矢状面（Ｐ２）との断面における角度で７．０°〜１２．０°であると同時に、前頭面（Ｐ３）との断面における角度で９．０°〜１３．０°であり、
遠心頬側咬頭頂（Ｃ６）付近の前方咬合小面（ｆ１５）が咬合平面（Ｐ１）と成す角度が、矢状面（Ｐ２）との断面における角度で１５．５°〜１９．５°であると同時に、前頭面（Ｐ３）との断面における角度で８．０°〜９．０°であり、
遠心頬側咬頭頂（Ｃ６）付近の後方咬合小面（ｆ１６）が咬合平面（Ｐ１）と成す角度が、矢状面（Ｐ２）との断面における角度で１８．５°〜２３．０°であると同時に、前頭面（Ｐ３）との断面における角度が１１．０°〜１３．５°であり、
近心舌側咬頭頂（Ｃ７）付近の平衡咬合小面（ｆ１７）が咬合平面（Ｐ１）と成す角度が、矢状面（Ｐ２）との断面における角度で１４．５°〜１６．５°であると同時に、前頭面（Ｐ３）との断面における角度で４０．０°〜４２．０°であり、
近心舌側咬頭頂（Ｃ７）付近の前方咬合小面（ｆ１８）が咬合平面（Ｐ１）と成す角度が、矢状面（Ｐ２）との断面における角度で１８．５°〜１９．５°あると同時に、前頭面（Ｐ３）との断面における角度が４．５°〜６．５°であり、
遠心舌側咬頭頂（Ｃ８）付近の後方咬合小面（ｆ１９）が咬合平面（Ｐ１）と成す角度が、矢状面（Ｐ２）との断面における角度で６．５°〜７．５°であると同時に、前頭面（Ｐ３）との断面における角度で１５．５°〜１８．０°であり、
遠心舌側咬頭頂（Ｃ８）付近の平衡咬合小面（ｆ２０）が咬合平面（Ｐ１）と成す角度が、矢状面（Ｐ２）との断面における角度で３．０°〜１２．０°であると同時に、前頭面（Ｐ３）との断面における角度で３２．０°〜３８．５°であり、
上顎第二大臼歯部（Ｔ７）は、
近心頬側咬頭頂（Ｃ９）の周囲に前方咬合小面（ｆ２１）と後方咬合小面（ｆ２２）の２面を有し、遠心頬側咬頭頂（Ｃ１０）の周囲に後方咬合小面（ｆ２３）の１面を有し、近心舌側咬頭頂（Ｃ１１）の周囲に前方咬合小面（ｆ２５）と平衡咬合小面（ｆ２４）の２面を有し、
近心頬側咬頭頂（Ｃ９）付近の前方咬合小面（ｆ２１）が咬合平面（Ｐ１）と成す角度が、矢状面（Ｐ２）との断面における角度で２２．５°〜２５．５°であると同時に、前頭面（Ｐ３）との断面における角度で１．０°〜２．５°であり、
近心頬側咬頭頂（Ｃ９）付近の後方咬合小面（ｆ２２）が咬合平面（Ｐ１）と成す角度が、矢状面（Ｐ２）との断面における角度で９．５°〜１７．５°であると同時に、前頭面（Ｐ３）との断面における角度で１３．０°〜１６．５°であり、
遠心頬側咬頭頂（Ｃ１０）付近の後方咬合小面（ｆ２３）が咬合平面（Ｐ１）と成す角度が、矢状面（Ｐ２）との断面における角度で６．５°〜１２．０°であると同時に、前頭面（Ｐ３）との断面における角度で４．５°〜７．０°であり、
近心舌側咬頭頂（Ｃ１１）付近の平衡咬合小面（ｆ２４）が咬合平面（Ｐ１）と成す角度が、矢状面（Ｐ２）との断面における角度で０．５°〜１０．０°であると同時に、前頭面（Ｐ３）との断面における角度で３８．５°〜４７．０°であり、
近心舌側咬頭頂（Ｃ１１）付近の前方咬合小面（ｆ２５）が咬合平面（Ｐ１）と成す角度が、矢状面（Ｐ２）との断面における角度で２０．５°〜２２．５°であると同時に、前頭面（Ｐ３）との断面における角度で１．５°〜６．０°であり、
下顎中切歯部（Ｔ８）は、
切縁（ｉ４）に前方咬合小面（ｆ２６）を有し、
前方咬合小面（ｆ２６）が咬合平面（Ｐ１）と成す角度が、矢状面（Ｐ２）との断面における角度で２７．０°〜３５．０°であると同時に、前頭面（Ｐ３）との断面における角度で３．５°〜１２．５°であり、
下顎側切歯部（Ｔ９）は、
切縁（ｉ５）に前方咬合小面（ｆ２７）と前方咬合小面（ｆ２８）を有し、
前方咬合小面（ｆ２７）が咬合平面（Ｐ１）と成す角度が、矢状面（Ｐ２）との断面における角度で３１．０°〜３５．０°であると同時に、前頭面（Ｐ３）との断面における角度で０．０°〜１．５°であり、
前方咬合小面（ｆ２８）が咬合平面（Ｐ１）と成す角度が、矢状面（Ｐ２）との断面における角度で２２．０°〜３５．０°であると同時に、前頭面（Ｐ３）との断面における角度で１７．５°〜２６．５°であり、
下顎犬歯部（Ｔ１０）は、
切縁（ｉ６）に前方咬合小面（ｆ２９）と後方咬合小面（ｆ３０）を有し、
前方咬合小面（ｆ２９）が咬合平面（Ｐ１）と成す角度が、矢状面（Ｐ２）との断面における角度で２３．０°〜２８．０°であると同時に、前頭面（Ｐ３）との断面における角度で０．５°〜１０．０°であり、
後方咬合小面（ｆ３０）が咬合平面（Ｐ１）と成す角度が、矢状面（Ｐ２）との断面における角度で１４．５°〜１８．０°であると同時に、前頭面（Ｐ３）との断面における角度で１６．０°〜２１．０°であり、
下顎第一小臼歯部（Ｔ１１）は、
頬側咬頭頂（Ｃ１２）の周囲に前方咬合小面（ｆ３１）と後方咬合小面（ｆ３２）の２面を有し、遠心辺縁隆線に平衡咬合小面（ｆ３３）の１面を有し、舌側咬頭頂の周囲に前方咬合小面（ｆ３４）の１面を有し、
頬側咬頭頂（Ｃ１２）付近の前方咬合小面（ｆ３１）が咬合平面（Ｐ１）と成す角度が、矢状面（Ｐ２）との断面における角度で３８．０°〜４１．０°であると同時に、前頭面（Ｐ３）との断面における角度が５．０°〜８．５°であり、
頬側咬頭頂（Ｃ１２）付近の後方咬合小面（ｆ３２）が咬合平面（Ｐ１）と成す角度が、矢状面（Ｐ２）との断面における角度で７．０°〜１７．５°であると同時に、前頭面（Ｐ３）との断面における角度で９．０°〜１５．５°であり、
遠心小窩付近の平衡咬合小面（ｆ３３）が咬合平面（Ｐ１）と成す角度が、矢状面（Ｐ２）との断面における角度で１５．０°〜２４．０°であると同時に、前頭面（Ｐ３）との断面における角度で２９．０°〜３２．０°であり、
遠心小窩付近の前方咬合小面（ｆ３４）が咬合平面（Ｐ１）と成す角度が、矢状面（Ｐ２）との断面における角度で３．５°〜１０．０°であると同時に、前頭面（Ｐ３）との断面における角度で１．０°〜５．０°であり、
下顎第二小臼歯部（Ｔ１２）は、
頬側咬頭頂（Ｃ１３）の周囲に前方咬合小面（ｆ３５）と後方咬合小面（ｆ３６）の２面を有し、遠心辺縁隆線に平衡咬合小面（ｆ３７）の１面を有し、舌側咬頭頂の周囲に前方咬合小面（ｆ３８）の１面を有し、
頬側咬頭頂（Ｃ１３）付近の前方咬合小面（ｆ３５）が咬合平面（Ｐ１）と成す角度が、矢状面（Ｐ２）との断面における角度で２７．５°〜３０．０°であると同時に、前頭面（Ｐ３）との断面における角度で１６．０°〜１９．０°であり、
頬側咬頭頂（Ｃ１３）付近の後方咬合小面（ｆ３６）が咬合平面（Ｐ１）と成す角度が、矢状面（Ｐ２）との断面における角度で１３．０°〜１５．０°であると同時に、前頭面（Ｐ３）との断面における角度で１７．０°〜２４．０°であり、
遠心小窩付近の平衡咬合小面（ｆ３７）が咬合平面（Ｐ１）と成す角度が、矢状面（Ｐ２）との断面における角度で１．５°〜１７．０°であると同時に、前頭面（Ｐ３）との断面における角度で１０．０°〜１６．５°であり、
遠心小窩付近の前方咬合小面（ｆ３８）が咬合平面（Ｐ１）と成す角度が、矢状面（Ｐ２）との断面における角度で２．０°〜５．０°であると同時に、前頭面（Ｐ３）との断面における角度で１２．０°〜１４．５°であり、
下顎第一大臼歯部（Ｔ１３）は、
近心頬側咬頭頂（Ｃ１４）の周囲に前方咬合小面（ｆ３９）と後方咬合小面（ｆ４０）と平衡咬合小面（ｆ４１）の３面を有し、遠心頬側咬頭頂（Ｃ１５）の周囲に前方咬合小面（ｆ４２）と後方咬合小面（ｆ４３）と平衡咬合小面（ｆ４４）の３面を有し、遠心咬頭頂（Ｃ１６）の周囲に前方咬合小面（ｆ４５）と平衡咬合小面（ｆ４６）の２面を有し、中央窩（Ｓ３）付近に前方咬合小面（ｆ４７）の１面を有し、
近心頬側咬頭頂（Ｃ１４）付近の前方咬合小面（ｆ３９）が咬合平面（Ｐ１）と成す角度が、矢状面（Ｐ２）との断面における角度で２３．５°〜３２．０°であると同時に、前頭面（Ｐ３）との断面における角度で７．０°〜１５．０°であり、
近心頬側咬頭頂（Ｃ１４）付近の後方咬合小面（ｆ４０）が咬合平面（Ｐ１）と成す角度が、矢状面（Ｐ２）との断面における角度で７．５°〜１２．０°であると同時に、前頭面（Ｐ３）との断面における角度で１４．０°〜１６．０°であり、
近心頬側咬頭頂（Ｃ１４）付近の平衡咬合小面（ｆ４１）が咬合平面（Ｐ１）と成す角度が、矢状面（Ｐ２）との断面における角度で２．０°〜５．５°であると同時に、前頭面（Ｐ３）との断面における角度が３０．０°〜３２．０°であり、
遠心頬側咬頭頂（Ｃ１５）付近の前方咬合小面（ｆ４２）が咬合平面（Ｐ１）と成す角度が、矢状面（Ｐ２）との断面における角度で１５．５°〜２１．０であると同時に、前頭面（Ｐ３）との断面における角度で８．０°〜１１．０°であり、
遠心頬側咬頭頂（Ｃ１５）付近の後方咬合小面（ｆ４３）が咬合平面（Ｐ１）と成す角度が、矢状面（Ｐ２）との断面における角度で２５．０°〜２７．０°であると同時に、前頭面（Ｐ３）との断面における角度が２４．０°〜２５．０°であり、
遠心頬側咬頭頂（Ｃ１５）付近の平衡咬合小面（ｆ４４）が咬合平面（Ｐ１）と成す角度が、矢状面（Ｐ２）との断面における角度で１２．０°〜２０．０°であると同時に、前頭面（Ｐ３）との断面における角度で３０．０°〜３７．０°であり、
遠心咬頭頂（Ｃ１６）付近の前方咬合小面（ｆ４５）が咬合平面（Ｐ１）と成す角度が、矢状面（Ｐ２）との断面における角度で７．５°〜１３．０°であると同時に、前頭面（Ｐ３）との断面における角度で１０．０°〜１３．０°であり、
遠心咬頭頂（Ｃ１６）付近の平衡咬合小面（ｆ４６）が咬合平面（Ｐ１）と成す角度が、矢状面（Ｐ２）との断面における角度で２．５°〜４．５°であると同時に、前頭面（Ｐ３）との断面における角度で２７．０°〜３３．０°であり、
中央窩（Ｓ３）付近の前方咬合小面（ｆ４７）が咬合平面（Ｐ１）と成す角度が、矢状面（Ｐ２）との断面における角度で１０．５°〜１８．５°であると同時に、前頭面（Ｐ３）との断面における角度で１．０°〜８．０°であり、
下顎第二大臼歯部（Ｔ１４）は、
近心頬側咬頭頂（Ｃ１７）の周囲に前方咬合小面（ｆ４８）と後方咬合小面（ｆ４９）と平衡咬合小面（ｆ５０）の３面を有し、遠心頬側咬頭頂（Ｃ１８）の周囲に前方咬合小面（ｆ５１）と後方咬合小面（ｆ５２）と平衡咬合小面（ｆ５３）の３面を有し、中央窩（Ｓ４）付近の周囲に前方咬合小面（ｆ５４）の１面を有し、
近心頬側咬頭頂（Ｃ１７）付近の前方咬合小面（ｆ４８）が咬合平面（Ｐ１）と成す角度が、矢状面（Ｐ２）との断面における角度で２６．０°〜３０．０°であると同時に、前頭面（Ｐ３）との断面における角度で１０．０°〜１３．０°であり、
近心頬側咬頭頂（Ｃ１７）付近の後方咬合小面（ｆ４９）が咬合平面（Ｐ１）と成す角度が、矢状面（Ｐ２）の断面における角度で１４．０°〜１６．０°であると同時に、前頭面（Ｐ３）との断面における角度で１５．０°〜１７．５°であり、
近心頬側咬頭頂（Ｃ１７）付近の平衡咬合小面（ｆ５０）が咬合平面（Ｐ１）と成す角度が、矢状面（Ｐ２）との断面における角度で２．５°〜３．５°であると同時に、前頭面（Ｐ３）との断面における角度で３４．０°〜３８．０°であり、遠心頬側咬頭頂（Ｃ１８）付近の前方咬合小面（ｆ５１）が咬合平面（Ｐ１）と成す角度が、矢状面（Ｐ２）との断面における角度で１７．０°〜２１．０°であると同時に、前頭面（Ｐ３）との断面における角度で４．５°〜６．５°であり、
遠心頬側咬頭頂（Ｃ１８）付近の後方咬合小面（ｆ５２）が咬合平面（Ｐ１）と成す角度が、矢状面（Ｐ２）との断面における角度で１９．０°〜２２．０°であると同時に、前頭面（Ｐ３）との断面における角度で１３．０°〜１４．５°であり、
遠心頬側咬頭頂（Ｃ１８）付近の平衡咬合小面（ｆ５３）が咬合平面（Ｐ１）と成す角度が、矢状面（Ｐ２）との断面における角度で１．０°〜３．０°であると同時に、前頭面（Ｐ３）との断面における角度で３４．０°〜３８．０°であり、
中央窩（Ｓ４）付近の前方咬合小面（ｆ５４）が咬合平面（Ｐ１）と成す角度が、矢状面（Ｐ２）との断面における角度で１５．５°〜２３．０°であると同時に、前頭面（Ｐ３）との断面における角度で５．５°〜１２．０°であり、
咬頭嵌合位では、
上顎中切歯部（Ｔ１）の前方咬合小面（ｆ１）は、下顎側切歯部（Ｔ９）の前方咬合小面（ｆ２７）と一部接触し、
上顎中切歯部（Ｔ１）の前方咬合小面（ｆ２）は、下顎中切歯部（Ｔ８）の前方咬合小面（ｆ２６）と一部接触し、
上顎側切歯部（Ｔ２）の前方咬合小面（ｆ３）は、下顎犬歯部（Ｔ１０）の前方咬合小面（ｆ２９）と一部接触し、
上顎側切歯部（Ｔ２）の前方咬合小面（ｆ４）は、下顎側切歯部（Ｔ９）の前方咬合小面（ｆ２８）と一部接触し、
上顎犬歯部（Ｔ３）の前方咬合小面（ｆ５）は、下顎第一小臼歯部（Ｔ１１）の前方咬合小面（ｆ３１）と一部接触し、
上顎犬歯部（Ｔ３）の後方咬合小面（ｆ６）は、下顎犬歯部（Ｔ１０）の後方咬合小面（ｆ３０）と一部接触し、
上顎第一小臼歯部（Ｔ４）の前方咬合小面（ｆ７）は、下顎第二小臼歯部（Ｔ１２）の前方咬合小面（ｆ３５）と一部接触し、
上顎第一小臼歯部（Ｔ４）の後方咬合小面（ｆ８）は、下顎第一小臼歯部（Ｔ１１）の後方咬合小面（ｆ３２）と一部接触し、
上顎第一小臼歯部（Ｔ４）の平衡咬合小面（ｆ９）は、下顎第一小臼歯部（Ｔ１１）の平衡咬合小面（ｆ３３）と一部接触し、
上顎第二小臼歯部（Ｔ５）の前方咬合小面（ｆ１０）は、下顎第一大臼歯部（Ｔ１３）の前方咬合小面（ｆ３９）と一部接触し、
上顎第二小臼歯部（Ｔ５）の後方咬合小面（ｆ１１）は、下顎第二小臼歯部（Ｔ１２）の後方咬合小面（ｆ３６）と一部接触し、
上顎第二小臼歯部（Ｔ５）の平衡咬合小面（ｆ１２）は、下顎第二小臼歯部（Ｔ１２）の平衡咬合小面（ｆ３７）と一部接触し、
上顎第一大臼歯部（Ｔ６）の前方咬合小面（ｆ１３）は、下顎第一大臼歯部（Ｔ１３）の前方咬合小面（ｆ４２）と一部接触し、
上顎第一大臼歯部（Ｔ６）の後方咬合小面（ｆ１４）は、下顎第一大臼歯部（Ｔ１３）の後方咬合小面（ｆ４０）と一部接触し、
上顎第一大臼歯部（Ｔ６）の前方咬合小面（ｆ１５）は、下顎第一大臼歯部（Ｔ１３）の前方咬合小面（ｆ４５）と一部接触し、
上顎第一大臼歯部（Ｔ６）の後方咬合小面（ｆ１６）は、下顎第一大臼歯部（Ｔ１３）の後方咬合小面（ｆ４３）と一部接触し、
上顎第一大臼歯部（Ｔ６）の平衡咬合小面（ｆ１７）は、下顎第一大臼歯部（Ｔ１３）の平衡咬合小面（ｆ４４）と一部接触し、
上顎第一大臼歯部（Ｔ６）の前方咬合小面（ｆ１８）は、下顎第一大臼歯部（Ｔ１３）の前方咬合小面（ｆ４７）と一部接触し、
上顎第二大臼歯部（Ｔ７）の前方咬合小面（ｆ２１）は、下顎第二大臼歯部（Ｔ１４）の前方咬合小面（ｆ５１）と一部接触し、
上顎第二大臼歯部（Ｔ７）の後方咬合小面（ｆ２２）は、下顎第二大臼歯部（Ｔ１４）の後方咬合小面（ｆ４９）と一部接触し、
上顎第二大臼歯部（Ｔ７）の後方咬合小面（ｆ２３）は、下顎第二大臼歯部（Ｔ１４）の後方咬合小面（ｆ５２）と一部接触し、
上顎第二大臼歯部（Ｔ７）の平衡咬合小面（ｆ２４）は、下顎第二大臼歯部（Ｔ１４）の平衡咬合小面（ｆ５３）と一部接触し、
上顎第二大臼歯部（Ｔ７）の前方咬合小面（ｆ２５）は、下顎第二大臼歯部（Ｔ１４）の前方咬合小面（ｆ５４）と一部接触し、
側方運動時には、作業側において、
上顎側切歯部（Ｔ２）の前方咬合小面（ｆ４）は、下顎側切歯部（Ｔ９）の前方咬合小面（ｆ２８）と一部滑走し、
上顎犬歯部（Ｔ３）の後方咬合小面（ｆ６）は、下顎犬歯部（Ｔ１０）の後方咬合小面（ｆ３０）と一部滑走し、
上顎第一小臼歯部（Ｔ４）の後方咬合小面（ｆ８）は、下顎第一小臼歯部（Ｔ１１）の後方咬合小面（ｆ３２）と一部滑走し、
上顎第二小臼歯部（Ｔ５）の後方咬合小面（ｆ１１）は、下顎第二小臼歯部（Ｔ１２）の後方咬合小面（ｆ３６）と一部滑走し、
上顎第一大臼歯部（Ｔ６）の後方咬合小面（ｆ１４）は、下顎第一大臼歯部（Ｔ１３）の後方咬合小面（ｆ４０）と一部滑走し、
上顎第一大臼歯部（Ｔ６）の後方咬合小面（ｆ１６）は、下顎第一大臼歯部（Ｔ１３）の後方咬合小面（ｆ４３）と一部滑走し、
上顎第一大臼歯部（Ｔ６）の前方咬合小面（ｆ１８）は、下顎第一大臼歯部（Ｔ１３）の前方咬合小面（ｆ４７）と一部滑走し、
上顎第二大臼歯部（Ｔ７）の後方咬合小面（ｆ２２）は、下顎第二大臼歯部（Ｔ１４）の後方咬合小面（ｆ４９）と一部滑走し、
上顎第二大臼歯部（Ｔ７）の後方咬合小面（ｆ２３）は、下顎第二大臼歯部（Ｔ１４）の後方咬合小面（ｆ５２）と一部滑走し、
上顎第二大臼歯部（Ｔ７）の前方咬合小面（ｆ２５）は、下顎第二大臼歯部（Ｔ１４）の前方咬合小面（ｆ５４）と一部滑走すると同時に、平衡側において、
上顎第一小臼歯部（Ｔ４）の平衡咬合小面（ｆ９）は、下顎第一小臼歯部（Ｔ１１）の平衡咬合小面（ｆ３３）と一部滑走し、
上顎第二小臼歯部（Ｔ５）の平衡咬合小面（ｆ１２）は、下顎第二小臼歯部（Ｔ１２）の平衡咬合小面（ｆ３７）及び下顎第一大臼歯部（Ｔ１３）の平衡咬合小面（ｆ４１）と一部滑走し、
上顎第一大臼歯部（Ｔ６）の平衡咬合小面（ｆ１７）は、下顎第一大臼歯部（Ｔ１３）の平衡咬合小面（ｆ４４）と一部滑走し、
上顎第一大臼歯部（Ｔ６）の平衡咬合小面（ｆ２０）は、下顎第一大臼歯部（Ｔ１３）の平衡咬合小面（ｆ４６）及び下顎第二大臼歯部（Ｔ１４）の平衡咬合小面（ｆ５０）と一部滑走し、
上顎第二大臼歯部（Ｔ７）の平衡咬合小面（ｆ２４）は、下顎第二大臼歯部（Ｔ１４）の平衡咬合小面（ｆ５３）と一部滑走し、
前方運動時には、
上顎中切歯部（Ｔ１）の前方咬合小面（ｆ１）は、下顎側切歯部（Ｔ９）の前方咬合小面（ｆ２７）と一部滑走し、
上顎中切歯部（Ｔ１）の前方咬合小面（ｆ２）は、下顎中切歯部（Ｔ８）の前方咬合小面（ｆ２６）と一部滑走し、
上顎側切歯部（Ｔ２）の前方咬合小面（ｆ３）は、下顎犬歯部（Ｔ１０）の前方咬合小面（ｆ２９）と一部滑走し、
上顎犬歯部（Ｔ３）の前方咬合小面（ｆ５）は、下顎第一小臼歯部（Ｔ１１）の前方咬合小面（ｆ３１）と一部滑走し、
上顎第一小臼歯部（Ｔ４）の前方咬合小面（ｆ７）は、下顎第二小臼歯部（Ｔ１２）の前方咬合小面（ｆ３５）と一部滑走し、
上顎第二小臼歯部（Ｔ５）の前方咬合小面（ｆ１０）は、下顎第一大臼歯部（Ｔ１３）の前方咬合小面（ｆ３９）と一部滑走し、
上顎第一大臼歯部（Ｔ６）の前方咬合小面（ｆ１３）は、下顎第一大臼歯部（Ｔ１３）の前方咬合小面（ｆ４２）と一部滑走し、
上顎第一大臼歯部（Ｔ６）の前方咬合小面（ｆ１５）は、下顎第一大臼歯用人工歯（Ｔ１３）の前方咬合小面（ｆ４５）及び下顎第二大臼歯用人工歯（Ｔ１４）の前方咬合小面（ｆ４８）と一部滑走し、
上顎第一大臼歯部（Ｔ６）の前方咬合小面（ｆ１８）は、下顎第一大臼歯用人工歯（Ｔ１３）の前方咬合小面（ｆ４７）と一部滑走し、
上顎第二大臼歯部（Ｔ７）の前方咬合小面（ｆ２１）は、下顎第二大臼歯部（Ｔ１４）の前方咬合小面（ｆ５１）と一部滑走し、
上顎第二大臼歯部（Ｔ７）の前方咬合小面（ｆ２５）は、下顎第二大臼歯部（Ｔ１４）の前方咬合小面（ｆ５４）と一部滑走してもよい。
【００３２】
（実施の形態１）
以下、図面を参照しながら本発明の実施形態について詳細に説明する。また、各図においては、説明を容易なものとするため、各要素を誇張して示している。
【００３３】
（基準面の説明）
実施の形態１の説明にあたり使用する基準面の名称について説明する。
咬合平面とは、解剖学的には上顎または下顎の歯列中の切歯点と左右最後臼歯咬頭頂を含む仮想の平面のことであるが、実際に本発明を実施する場合は咬合器中の咬合平面板により示す事ができる。
矢状面とは身体を左右に分ける平面であり、顆頭間軸に直交する平面である。
前頭面とは矢状面と水平面と直交する平面である。
水平面とは地面と平行になる面である。
【００３４】
（咬合器の条件）
本発明の実施の形態１に係る上下顎嵌合型連結人工歯セットを使用する咬合器は、平均値咬合器を用いる。平均値咬合器は種々存在するが、本発明の実施を厳密に行うため、顆頭間距離（左右下顎頭の回転中心間の距離）が１０５ｍｍ、矢状顆路角（下顎が前方運動をするときの下顎の運動路を矢状面に投影した経路）が水平面に対し２５．０°、ボンウィル三角（左右下顎頭の回転中心と咬合平面板上の切歯点を結ぶ三角形で構成される平面）と咬合平面のなす角度が１５．０°、矢状切歯路角（下顎が咬頭嵌合位にあるときの切歯点と上下前歯が前方運動し切縁同士で咬合したときの切歯点を結んだ線と、水平基準面とのなす角度）が１０．０°、側方切歯路角（下顎が咬頭嵌合位にあるときの切歯点と上下前歯が側方運動し切縁同士で咬合したときの切歯点を結んだ線と、水平基準面のなす角度）が１０．０°のものを用いる。咬合平面板は水平面と平行のものを使用する。調節性咬合器を上記条件に調節して用いてもよい。
【００３５】
図１は下顎用連結人工歯５を左側前方上面より観た斜視図を示す。図１に示すように、下顎用連結人工歯５は弓形状を有する。下顎用連結人工歯５は、左右両側にそれぞれ配置される、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４を有する。下顎用連結人工歯５の中央において、左右の下顎中切歯部Ｔ８が互いに連結されている。下顎用連結人工歯５の左右両側の部位のそれぞれにおいて、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４がこの順に連結されている。
【００３６】
このように、下顎用連結人工歯５には、左右両側にそれぞれ配置される、下顎中切歯部Ｔ１１、下顎側切歯部Ｔ１２、下顎犬歯部Ｔ１３、下顎第一小臼歯部Ｔ１４、下顎第二小臼歯部Ｔ１５、下顎第一大臼歯部Ｔ１６、及び下顎第二大臼歯部Ｔ１７の１４種類の形態が含まれている。これらの要素は、解剖学的規則に従い隣接しており、それぞれが連結されている。下顎用連結人工歯５は、下顎中切歯部Ｔ１１、下顎側切歯部Ｔ１２、下顎犬歯部Ｔ１３、下顎第一小臼歯部Ｔ１４、下顎第二小臼歯部Ｔ１５、下顎第一大臼歯部Ｔ１６、下顎第二大臼歯部Ｔ１７の１４種類の形態を連結した弓形状となっている。言い換えると、下顎用連結人工歯５は、下顎中切歯部Ｔ１１、下顎側切歯部Ｔ１２、下顎犬歯部Ｔ１３、下顎第一小臼歯部Ｔ１４、下顎第二小臼歯部Ｔ１５、下顎第一大臼歯部Ｔ１６、及び下顎第二大臼歯部Ｔ１７の１４種類の形態を連結した円弧状を有している。
【００３７】
図２は下顎用連結人工歯５を咬合面から観た図を示す。図２に示すように、下顎用連結人工歯５は、仮想のＸＹＺ直交座標系に配置されており、仮想のＸＹＺ直交座標系の原点１と下顎切歯点１０をＸ座標値０ｍｍ、Ｙ座標値０ｍｍ、Ｚ座標値０ｍｍとなるように一致させる。即ち、下顎切歯点１０は、Ｘ座標値０ｍｍ、Ｙ座標値０ｍｍ、Ｚ座標値０ｍｍである仮想ＸＹＺ直交座標系の原点１に一致する。
【００３８】
尚、切歯点とは左右の中切歯の近心切縁隅角間を結ぶ中点のことを指す。下顎切歯点１０とは、左右の下顎中切歯部Ｔ８の近心切縁隅角間の中点である。
【００３９】
図中の仮想のＸＹＺ座標系の原点１に直交し、左右方向に走行する線分は仮想のＸＹＺ座標系のＸ軸２を示し、上下方向に走行する線分は仮想のＸＹＺ座標系のＹ軸３を示す。
【００４０】
下顎用連結人工歯５は、左右両側に配置される下顎第一大臼歯部Ｔ１６の遠心頬側咬頭頂ｃ１５のＺ座標値が０ｍｍ、且つ、左側の部位が正（＋）のＸ座標値、右側の部位が負（−）のＸ座標値であり、且つ、各部位の切歯及び犬歯の切縁、及び臼歯の各咬頭頂の絶対値が左右で等しくなるように配置する。即ち、下顎用連結人工歯５の左右の下顎第一大臼歯部Ｔ１３の遠心頬側咬頭頂ｃ１５は、Ｚ座標値０ｍｍの位置に配置される。下顎用連結人工歯５の左側の部位は正（＋）のＸ座標値側に配置され、下顎用連結人工歯５の右側の部位は負（−）のＸ座標値側に配置される。下顎用連結人工歯５の左側の部位における切歯及び犬歯の切縁、及び臼歯の咬頭頂の位置するＸ座標値、Ｙ座標値、Ｚ座標値の絶対値と、下顎用連結人工歯５の右側の部位における切歯及び犬歯の切縁、及び臼歯の咬頭頂の位置するＸ座標値、Ｙ座標値、Ｚ座標値の絶対値とは、それぞれ、等しい。
【００４１】
なお、下顎用連結人工歯５において、切歯とは、下顎中切歯部Ｔ８及び下顎側切歯部Ｔ９を指す。犬歯とは、下顎犬歯部Ｔ１３を指す。臼歯とは、下顎第一小臼歯部Ｔ１４、下顎第二小臼歯部Ｔ１５、下顎第一大臼歯部Ｔ１６、下顎第二大臼歯部Ｔ１７を指す。
【００４２】
このとき、全ての部位の歯冠形態は二次関数Ｙｍｍ＝｛（Ｘｍｍ×Ｘｍｍ）／３２ｍｍ｝−５ｍｍで表現される第１仮想曲線１８と、Ｙｍｍ＝｛（Ｘｍｍ×Ｘｍｍ）／８ｍｍ｝＋５ｍｍで表現される第２仮想曲線１９の間に配置される。即ち、下顎用連結人工歯５を仮想ＸＹＺ直交座標系で表した場合、下顎用連結人工歯５の左右両側における、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４の歯冠形態は、仮想ＸＹＺ直交座標系のＸＹ平面において、二次関数Ｙｍｍ＝｛（Ｘｍｍ×Ｘｍｍ）／３２ｍｍ｝−５ｍｍで表現される第１仮想曲線１８と、Ｙｍｍ＝｛（Ｘｍｍ×Ｘｍｍ）／８ｍｍ｝＋５ｍｍで表現される第２仮想曲線１９との間に配置される。尚、Ｘｍｍ、Ｙｍｍはそれぞれ、Ｘ座標値、Ｙ座標値を意味する。二次関数の（Ｘｍｍ×Ｘｍｍ）はＸｍｍとＸｍｍを乗算していることを表している。また、二次関数の「ｍｍ」は、長さの単位を意味する。
【００４３】
発明の効果をさらに発揮させるために、好ましくは、第１仮想曲線１８は、Ｙｍｍ＝｛（Ｘｍｍ×Ｘｍｍ）／３０ｍｍ｝−３ｍｍで表現され、第２仮想曲線１９は、Ｙｍｍ＝｛（Ｘｍｍ×Ｘｍｍ）／１０ｍｍ｝＋３ｍｍで表現される。即ち、好ましくは、下顎用連結人工歯５の左右両側における、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４の歯冠形態は、仮想ＸＹＺ直交座標系のＸＹ平面において、二次関数Ｙｍｍ＝｛（Ｘｍｍ×Ｘｍｍ）／３０ｍｍ｝−３ｍｍで表現される第１仮想曲線１８と、Ｙｍｍ＝｛（Ｘｍｍ×Ｘｍｍ）／１０ｍｍ｝＋３ｍｍで表現される第２仮想曲線１９との間に配置される。
【００４４】
左側の下顎第二大臼歯部Ｔ１７から右側の下顎第二大臼歯部Ｔ１７までの近遠心方向の幅径の合計Ｌ１は８０．０ｍｍ〜１３０．０ｍｍの間にある。発明の効果をさらに発揮させるために、好ましくは、左側の下顎第二大臼歯部Ｔ１７から右側の下顎第二大臼歯部Ｔ１７までの近遠心方向の幅径の合計Ｌ１は９０．０ｍｍ〜１２０．０ｍｍの間にある。
【００４５】
なお、左側の下顎第二大臼歯部Ｔ１７から右側の下顎第二大臼歯部Ｔ１７までの近遠心方向の幅径の合計Ｌ１とは、図２に示すように、左右両側にそれぞれ配置される、下顎中切歯部Ｔ１１、下顎側切歯部Ｔ１２、下顎犬歯部Ｔ１３、下顎第一小臼歯部Ｔ１４、下顎第二小臼歯部Ｔ１５、下顎第一大臼歯部Ｔ１６、及び下顎第二大臼歯部Ｔ１７の１４種類の歯のそれぞれの近遠心方向の幅径を合計したものである。  
【００４６】
図３は請求項１に記載の下顎用連結人工歯５を矢状面から観た状態を示す。図３においては、下顎用連結人工歯５の切歯及び犬歯の切縁、臼歯の咬頭頂の垂直的排列領域の上限を示す第１仮想直線３１と、下顎用連結人工歯５の切歯及び犬歯の切縁、臼歯の咬頭頂の垂直的排列領域の下限を示す第２仮想直線３２と、を示している。第１仮想直線３１は、Ｚ座標値＋５．０ｍｍに表現される仮想直線である。第２仮想直線３２は、Ｚ座標値−１０．０ｍｍに表現される仮想直線である。下顎用連結人工歯５において、全ての切歯及び犬歯の切縁、及び全ての臼歯の咬頭頂は、第１仮想直線３１と第２仮想直線３２との間に配置される。言い換えると、下顎用連結人工歯５において、全ての切歯及び犬歯の切縁、及び全ての臼歯の咬頭頂は、Ｚ座標値−１０．０ｍｍ〜＋５．０ｍｍの間に配置される。発明の効果をさらに発揮させるために、好ましくは、下顎用連結人工歯５において、全ての切歯及び犬歯の切縁、及び全ての臼歯の咬頭頂は、−５．０ｍｍ〜＋２．０ｍｍの間に配置される。
【００４７】
図４は請求項１に記載の上顎用連結人工歯６を左側前方下面より観た斜視図を示す。図４に示すように、上顎用連結人工歯６は、左右両側にそれぞれ配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７を有する。上顎用連結人工歯６の中央において、左右の上顎中切歯部Ｔ１が互いに連結されている。上顎用連結人工歯６の左右両側の部位のそれぞれにおいて、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７がこの順に連結されている。
【００４８】
このように、上顎用連結人工歯６には、左右両側にそれぞれ配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の１４種類の形態が含まれている。これらの要素は、解剖学的規則に従い隣接しており、それぞれが連結されている。上顎用連結人工歯６は、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の１４種類の形態を連結した弓形状となっている。言い換えると、上顎用連結人工歯６は、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の１４種類の形態を連結した円弧状を有している。
【００４９】
図５は上顎用連結人工歯６を咬合面より見た図を示す。図５に示すように、上顎用連結人工歯６は、仮想のＸＹＺ直交座標系の原点１に対し、上顎切歯点２０がＸ座標値０ｍｍ、Ｙ座標値−１０．０ｍｍ〜０ｍｍ、Ｚ座標値−１０．０ｍｍ〜０ｍｍの間となるよう配置される。上顎用連結人工歯６の左側の部位が正（＋）のＸ座標値、上顎用連結人工歯６の右側の部位が負（−）のＸ座標値である。上顎用連結人工歯６は、各部位の切歯及び犬歯の切縁、及び臼歯の各咬頭頂の絶対値が左右で等しくなるように配置される。上顎用連結人工歯６は、上顎第一大臼歯部Ｔ６の中央窩Ｓ６のＸ座標値及びＹ座標値が、下顎第一大臼歯部Ｔ１６の遠心頬側咬頭頂ｃ１５を中心とする半径５．０ｍｍ以内、Ｚ座標値が０ｍｍ〜＋５．０ｍｍの間に配置する。
【００５０】
言い換えると、上顎用連結人工歯６においては、左右の上顎中切歯部Ｔ１の近心切縁隅角間の中点である上顎切歯点２０は、仮想のＸＹＺ直交座標系の原点１に対し、Ｘ座標値０ｍｍ、Ｙ座標値−１０．０ｍｍ〜０ｍｍ、Ｚ座標値−１０．０ｍｍ〜０ｍｍの間に配置される。上顎用連結人工歯６の左側の部位は正（＋）のＸ座標値側に配置され、上顎用連結人工歯６の右側の部位は負（−）のＸ座標値側に配置される。上顎用連結人工歯６の左側の部位における切歯及び犬歯の切縁、及び臼歯の咬頭頂の位置するＸ座標値、Ｙ座標値、Ｚ座標値の絶対値と、上顎用連結人工歯６の右側の部位における切歯及び犬歯の切縁、及び臼歯の咬頭頂の位置するＸ座標値、Ｙ座標値、Ｚ座標値の絶対値とが、それぞれ、等しい。上顎第一大臼歯部Ｔ６の中央窩Ｓ６のＸ座標値及びＹ座標値は、下顎第一大臼歯部Ｔ１３の遠心頬側咬頭頂ｃ１５を中心とする半径５．０ｍｍ以内、且つＺ座標値０ｍｍ〜＋５．０ｍｍの間にあってもよい。
【００５１】
尚、上顎切歯点２０とは、左右の上顎中切歯部Ｔ１の近心切縁隅角間の中点である。
【００５２】
このとき、全ての部位の歯冠形態は、二次関数Ｙｍｍ＝｛（Ｘｍｍ×Ｘｍｍ）／３６ｍｍ｝−１２ｍｍで表現される第３仮想曲線２８と、Ｙｍｍ＝｛（Ｘｍｍ×Ｘｍｍ）／８ｍｍ｝＋５ｍｍで表現される第４仮想曲線２９の間に配置される。即ち、上顎用連結人工歯６を仮想ＸＹＺ直交座標系で表した場合、上顎用連結人工歯６の左右両側における、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の歯冠形態は、仮想ＸＹＺ直交座標系のＸＹ平面において、二次関数Ｙｍｍ＝｛（Ｘｍｍ×Ｘｍｍ）／３６ｍｍ｝−１２ｍｍで表現される第３仮想曲線２８と、Ｙｍｍ＝｛（Ｘｍｍ×Ｘｍｍ）／８ｍｍ｝＋５ｍｍで表現される第４仮想曲線２９との間に配置される。
【００５３】
発明の効果をさらに発揮させるために、好ましくは、第３仮想曲線２８は、Ｙｍｍ＝｛（Ｘｍｍ×Ｘｍｍ）／３２ｍｍ｝−８ｍｍで表現され、第４仮想曲線２９は、Ｙｍｍ＝｛（Ｘｍｍ×Ｘｍｍ）／１０ｍｍ｝＋３ｍｍで表現される。即ち、好ましくは、上顎用連結人工歯６の左右両側における、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の歯冠形態は、仮想ＸＹＺ直交座標系のＸＹ平面において、二次関数Ｙｍｍ＝｛（Ｘｍｍ×Ｘｍｍ）／３２ｍｍ｝−８ｍｍで表現される第３仮想曲線２８と、Ｙｍｍ＝｛（Ｘｍｍ×Ｘｍｍ）／１０ｍｍ｝＋３ｍｍで表現される第４仮想曲線２９との間に配置される。
【００５４】
左側の上顎第二大臼歯Ｔ７から右側の上顎第二大臼歯Ｔ７までの近遠心方向の幅径の合計Ｌ２は、９０．０ｍｍ〜１４０．０ｍｍの間にある。発明の効果をさらに発揮させるために、好ましくは、左側の上顎第二大臼歯Ｔ７から右側の上顎第二大臼歯Ｔ７までの近遠心方向の幅径の合計Ｌ２は、１００．０ｍｍ〜１３０．０ｍｍの間にある。
【００５５】
なお、左側の上顎第二大臼歯Ｔ７から右側の上顎第二大臼歯Ｔ７までの近遠心方向の幅径の合計Ｌ２とは、図５に示すように、左右両側にそれぞれ配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の１４種類の歯のそれぞれの近遠心方向の幅径を合計したものである。
【００５６】
図６は上顎用連結人工歯６を矢状面から観た状態を示す。図６においては、上顎用連結人工歯６の切歯及び犬歯の切縁、臼歯の咬頭頂の垂直的排列領域の上限を示す第３仮想直線３３と、上顎用連結人工歯６の切歯及び犬歯の切縁、臼歯の咬頭頂の垂直的排列領域の下限を示す第４仮想直線３４と、を示している。第３仮想直線３３は、Ｚ座標値＋１０．０ｍｍに表現される仮想直線である。第４仮想直線３４は、Ｚ座標値−５．０ｍｍに表現される仮想直線である。上顎用連結人工歯６において、全ての切歯及び犬歯の切縁、及び全ての臼歯の咬頭頂は、第３仮想直線３３と第４仮想直線３４との間に配置される。言い換えると、上顎用連結人工歯６における全ての切歯及び犬歯の切縁、及び全ての臼歯の咬頭頂のＺ座標値は、−５．０ｍｍ〜＋１０．０ｍｍの間に配置されている。発明の効果をさらに発揮させるために、好ましくは、上顎用連結人工歯６において、全ての切歯及び犬歯の切縁、及び全ての臼歯の咬頭頂は、Ｚ座標値−３．０〜＋５．０ｍｍの範囲に配置される。
【００５７】
図７Ａは仮想咬合平面と仮想ＸＹＺ座標系の配置関係、及び上顎用連結人工歯を頬側から見た斜視図であり、図７Ｂは仮想咬合平面と仮想ＸＹＺ座標系の配置関係、及び下顎用連結人工歯を頬側から見た斜視図である。図８Ａは仮想咬合平面と仮想ＸＹＺ座標系の配置関係、及び上顎用連結人工歯を舌側から見た斜視図であり、図８Ｂは仮想咬合平面と仮想ＸＹＺ座標系の配置関係、及び下顎用連結人工歯を舌側から見た斜視図である。図７Ａ、７Ｂ、８Ａ及び８Ｂにおいて、切歯指導標の先端を仮想のＸＹＺ座標系の原点１と一致させる。咬合平面板の咬合平面Ｐ１を仮想のＸＹＺ座標系のＸＹ平面とし、矢状面Ｐ２を仮想のＸＹＺ座標系のＹＺ平面とし、前頭面Ｐ３を仮想のＸＹＺ座標系のＺＸ平面とする。人工歯の左側の部位が正（＋）のＸ座標値、右側の部位が負（−）のＸ座標値となるように、上顎用及び下顎用の連結人工歯のセットを排列する。即ち、下顎用連結人工歯５及び上顎用連結人工歯６の左側の部位が正（＋）のＸ座標値側に配置され、下顎用連結人工歯５及び上顎用連結人工歯６の右側の部位が負（−）のＸ座標値側に配置される。
【００５８】
図９Ａは上顎用連結人工歯６の上顎中切歯部Ｔ１を咬合面から観た状態を示す。図９Ｂは図９Ａの上顎中切歯部Ｔ１の前方咬合小面ｆ１を矢状面Ｐ２側から見た図を示す。図９Ｃは図９Ａの上顎中切歯部Ｔ１の前方咬合小面ｆ１を前頭面Ｐ３側から見た図を示す。図９Ｄは図９Ａの上顎中切歯部Ｔ１の前方咬合小面ｆ２を矢状面Ｐ２側から見た図を示す。図９Ｅは図９Ａの上顎中切歯部Ｔ１の前方咬合小面ｆ２を前頭面Ｐ３側から見た図を示す。
上顎中切歯部Ｔ１は、切縁ｉ１に前方咬合小面ｆ１と前方咬合小面ｆ２を有する。
前方咬合小面ｆ１が咬合平面Ｐ１と成す角度は、矢状面Ｐ２との断面における角度（θ１ｓ）が２２．０°〜２５．５°であり好ましくは２３．５°〜２４．５°であると同時に、前頭面Ｐ３との断面における角度（θ１ｆ）が１．５°〜６．５°であり好ましくは３．５°〜４．５°である。
前方咬合小面ｆ２が咬合平面Ｐ１と成す角度は、矢状面Ｐ２との断面における角度（θ２ｓ）が２０．５°〜２３．０°であり好ましくは２１．０〜２２．０°であると同時に、前頭面Ｐ３との断面における角度（θ２ｆ）が１．５°〜６．５°であり好ましくは２．５°〜５．５°である。
【００５９】
図１０は上顎用連結人工歯６の上顎側切歯部Ｔ２を咬合面から観た状態を示す。
上顎側切歯部Ｔ２は、切縁ｉ２に前方咬合小面ｆ３と前方咬合小面ｆ４を有する。
前方咬合小面ｆ３が咬合平面Ｐ１と成す角度は、矢状面Ｐ２との断面における角度が２３．０°〜２８．０°であり好ましくは２５．０°〜２６．０°であると同時に、前頭面Ｐ３との断面における角度が１５．０°〜１７．０°であり好ましくは１５．５°〜１６．５°である。
前方咬合小面ｆ４が咬合平面Ｐ１と成す角度は、矢状面Ｐ２との断面における角度が１６．０°〜２２．０°であり好ましくは１７．０°〜２０．０°であると同時に、前頭面Ｐ３との断面における角度が９．５°〜１０．５°であり好ましくは１０．０°〜１０．５°である。
【００６０】
図１１は上顎用連結人工歯６の上顎犬歯部Ｔ３を咬合面から観た状態を示す。
上顎犬歯部Ｔ３は、切縁ｉ３に前方咬合小面ｆ５と後方咬合小面ｆ６を有する。
前方咬合小面ｆ５が咬合平面Ｐ１と成す角度は、矢状面Ｐ２との断面における角度が２５．０°〜３１．０°であり好ましくは２６．０°〜３０．０°であると同時に、前頭面Ｐ３との断面における角度が１．５°〜５．０°であり好ましくは２．５°〜４．５°である。
後方咬合小面ｆ６が咬合平面Ｐ１と成す角度は、矢状面Ｐ２との断面における角度が８．５°〜２２．５°であり好ましくは１０．０°〜１５．５°であると同時に、前頭面Ｐ３との断面における角度が１８．０°〜２５．０°であり好ましくは１９．０°〜２４．０°である。
【００６１】
図１２は上顎用連結人工歯６の上顎第一小臼歯部Ｔ４を咬合面から観た状態を示す。
上顎第一小臼歯部Ｔ４は、頬側咬頭頂ｃ１の付近に前方咬合小面ｆ７と後方咬合小面ｆ８を有し、舌側咬頭頂ｃ２の付近に平衡咬合小面ｆ９を有する。
前方咬合小面ｆ７が咬合平面Ｐ１と成す角度は、矢状面Ｐ２との断面における角度が２４．５°〜２７．５°であり好ましくは２５．５°〜２７．０°であると同時に、前頭面Ｐ３との断面における角度が８．５°〜１６．４°であり好ましくは１０．０°〜１５．０°である。
後方咬合小面ｆ８が咬合平面Ｐ１と成す角度は、矢状面Ｐ２との断面における角度が１８．５°〜２７．０°であり好ましくは２０．５°〜２５．０°であると同時に、前頭面Ｐ３との断面における角度が１０．０°〜１８．０°であり好ましくは１３．５°〜１６．５°である。
平衡咬合小面ｆ９が咬合平面Ｐ１と成す角度は、矢状面Ｐ２との断面における角度が１．５°〜４．５°であり好ましくは２．０°〜３．５°であると同時に、前頭面Ｐ３との断面における角度が２９．５°〜３５．５°であり好ましくは３０．０°〜３５．０°である。
【００６２】
図１３は上顎用連結人工歯６の上顎第二小臼歯部Ｔ５を咬合面から観た状態を示す。
上顎第二小臼歯部Ｔ５は、頬側咬頭頂ｃ３の付近に前方咬合小面ｆ１０と後方咬合小面ｆ１１を有し、舌側咬頭頂ｃ４の付近に平衡咬合小面ｆ１２を有する。
前方咬合小面ｆ１０が咬合平面Ｐ１と成す角度は、矢状面Ｐ２との断面における角度が２３．０°〜２８．０°であり好ましくは２３．５°〜２７．０°であると同時に、前頭面Ｐ３との断面における角度が１０．０°〜１９．０°であり好ましくは１２．５°〜１５．５°である。
後方咬合小面ｆ１１が咬合平面Ｐ１と成す角度は、矢状面Ｐ２との断面における角度が１６．５°〜１９．０°であり好ましくは１７．５°〜１８．５°であると同時に、前頭面Ｐ３との断面における角度が１３．０°〜１７．５°であり好ましくは１４．０°〜１５．５°である。
平衡咬合小面ｆ１２が咬合平面Ｐ１と成す角度は、矢状面Ｐ２との断面における角度が６．０°〜１０．０°であり好ましくは７．５°〜９．０°であると同時に、前頭面Ｐ３との断面における角度が２５．５°〜２９．０°であり好ましくは２７．０°〜２８．０°である。
【００６３】
図１４は上顎用連結人工歯６の上顎第一大臼歯部Ｔ６を咬合面から観た状態を示す。
上顎第一大臼歯部Ｔ６は、近心頬側咬頭頂ｃ５の付近に前方咬合小面ｆ１３と後方咬合小面ｆ１４を有し、遠心頬側咬頭頂ｃ６の付近に前方咬合小面ｆ１５と後方咬合小面ｆ１６を有し、近心舌側咬頭頂ｃ７の付近に平衡咬合小面ｆ１７と前方咬合小面ｆ１８を有し、遠心舌側咬頭頂ｃ８の付近に後方咬合小面ｆ１９と平衡咬合小面ｆ２０を有する。
前方咬合小面ｆ１３が咬合平面Ｐ１と成す角度は、矢状面Ｐ２との断面における角度が１８．５°〜２１．０°であり好ましくは１９．５°〜２０．５°であると同時に、前頭面Ｐ３との断面における角度が５．０°〜１１．０°であり好ましくは６．０°〜１０．０°である。
後方咬合小面ｆ１４が咬合平面Ｐ１と成す角度は、矢状面Ｐ２との断面における角度が７．０°〜１２．０°であり好ましくは７．５°〜１０．０°であると同時に、前頭面Ｐ３との断面における角度が９．０°〜１３．０°であり好ましくは１０．０°〜１２．０°である。
前方咬合小面ｆ１５が咬合平面Ｐ１と成す角度は、矢状面Ｐ２との断面における角度が１５．５°〜１９．５°であり好ましくは１７．０°〜１８．５°であると同時に、前頭面Ｐ３との断面における角度が８．０°〜９．０°であり好ましくは８．５°〜９．０°である。
後方咬合小面ｆ１６が咬合平面Ｐ１と成す角度は、矢状面Ｐ２との断面における角度が１８．５°〜２３．０°であり好ましくは１９．０°〜２１．０°であると同時に、前頭面Ｐ３との断面における角度が１１．０°〜１３．５°であり好ましくは１２．０°〜１３．０°である。
平衡咬合小面ｆ１７が咬合平面Ｐ１と成す角度は、矢状面Ｐ２との断面における角度が１４．５°〜１６．５°であり好ましくは１５．０°〜１６．０°であると同時に、前頭面Ｐ３との断面における角度が４０．０°〜４２．０°であり好ましくは４０．５°〜４１．５°である。
前方咬合小面ｆ１８が咬合平面Ｐ１と成す角度は、矢状面Ｐ２との断面における角度が１８．５°〜１９．５°であり好ましくは１８．５°〜１９．０°であると同時に、前頭面Ｐ３との断面における角度が４．５°〜６．５°であり好ましくは５．０°〜６．０°である。
後方咬合小面ｆ１９が咬合平面Ｐ１と成す角度は、矢状面Ｐ２との断面における角度が６．５°〜７．５°であり好ましくは７．０°〜７．５°であると同時に、前頭面Ｐ３との断面における角度が１５．５°〜１８．０°であり好ましくは１６．０〜１７．５°である。
平衡咬合小面ｆ２０が咬合平面Ｐ１と成す角度は、矢状面Ｐ２との断面における角度が３．０°〜１２．０°であり好ましくは５．０°〜１０．０°であると同時に、前頭面Ｐ３との断面における角度が３２．０°〜３８．５°であり好ましくは３３．０°〜３７．０°である。
【００６４】
図１５は記載の上顎用連結人工歯６の上顎第二大臼歯部Ｔ７を咬合面から観た状態を示す。
上顎第二大臼歯部Ｔ７は、近心頬側咬頭頂ｃ９の付近に前方咬合小面ｆ２１と後方咬合小面ｆ２２を有し、遠心頬側咬頭頂ｃ１０の付近に後方咬合小面ｆ２３を有し、近心舌側咬頭頂ｃ１１の付近に平衡咬合小面ｆ２４と前方咬合小面ｆ２５を有する。
前方咬合小面ｆ２１が咬合平面Ｐ１と成す角度は、矢状面Ｐ２との断面における角度が２２．５°〜２５．５°であり好ましくは２３．０°〜２５．０°であると同時に、前頭面Ｐ３との断面における角度が１．０°〜２．５°であり好ましくは１．５°〜２．０°である。
後方咬合小面ｆ２２が咬合平面Ｐ１と成す角度は、矢状面Ｐ２との断面における角度が９．５°〜１７．５°であり好ましくは１０．０°〜１５．０°であると同時に、前頭面Ｐ３との断面における角度が１３．０°〜１６．５°であり好ましくは１４．０°〜１５．５°である。
後方咬合小面ｆ２３が咬合平面Ｐ１と成す角度は、矢状面Ｐ２との断面における角度が６．５°〜１２．０°であり好ましくは７．０°〜１１．５°であると同時に、前頭面Ｐ３との断面における角度が４．５°〜７．０°であり好ましくは５．０°〜６．５°である。
平衡咬合小面ｆ２４が咬合平面Ｐ１と成す角度は、矢状面Ｐ２との断面における角度が０．５°〜１０．０°であり好ましくは２．０°〜７．５°であると同時に、前頭面Ｐ３との断面における角度が３８．５°〜４７．０°であり好ましくは３９．０°〜４５．０°である。
前方咬合小面ｆ２５が咬合平面Ｐ１と成す角度は、矢状面Ｐ２との断面における角度が２０．５°〜２２．５°であり好ましくは２１．０°〜２２．０°であると同時に、前頭面Ｐ３との断面における角度が１．５°〜６．０°であり好ましくは２．０〜４．０°である。
【００６５】
図１６は下顎用連結人工歯５の下顎中切歯部Ｔ８を咬合面から観た状態を示す。図１６Ｂは図１６Ａの下顎中切歯部Ｔ８の前方咬合小面ｆ２６を矢状面Ｐ２側から見た図を示す。図１６Ｃは図１６Ａの下顎中切歯部Ｔ８の前方咬合小面ｆ２６を前頭面Ｐ３側から見た図を示す。
下顎中切歯部Ｔ８は切縁ｉ４に前方咬合小面ｆ２６を有する。
前方咬合小面ｆ２６が咬合平面Ｐ１と成す角度は、矢状面Ｐ２との断面における角度（θ２６ｓ）が２７．０°〜３５．０°であり好ましくは２８．０°〜３３．５°であると同時に、前頭面Ｐ３との断面における角度（θ２６ｆ）が３．５°〜１２．５°であり好ましくは５．０°〜１１．０°である。
【００６６】
図１７は下顎用連結人工歯５の下顎側切歯部Ｔ９を咬合面から観た状態を示す。
下顎側切歯部Ｔ９は切縁ｉ５に前方咬合小面ｆ２７と前方咬合小面ｆ２８を有する。
前方咬合小面ｆ２７が咬合平面Ｐ１と成す角度は、矢状面Ｐ２との断面における角度が３１．０°〜３５．０°であり好ましくは３２．０°〜３３．５°であると同時に、前頭面Ｐ３との断面における角度が０．０°〜１．５°であり好ましくは０．５°〜１．０°である。
前方咬合小面ｆ２８が咬合平面Ｐ１と成す角度は、矢状面Ｐ２との断面における角度が２２．０°〜３５．０°であり好ましくは２３．０°〜３０．５°であると同時に、前頭面Ｐ３との断面における角度が１７．５°〜２６．５°であり好ましくは１８．０°〜２３．５°である。
【００６７】
図１８は下顎用連結人工歯５の下顎犬歯部Ｔ１０を咬合面から観た状態を示す。
下顎犬歯部Ｔ１０は切縁ｉ６に前方咬合小面ｆ２９と後方咬合小面ｆ３０を有する。
前方咬合小面ｆ２９が咬合平面Ｐ１と成す角度は、矢状面Ｐ２との断面における角度が２３．０°〜２８．０°であり好ましくは２４．０°〜２６．０°であると同時に、前頭面Ｐ３との断面における角度が０．５°〜１０．０°であり好ましくは２．５°〜８．０°である。
後方咬合小面ｆ３０が咬合平面Ｐ１と成す角度は、矢状面Ｐ２との断面における角度が１４．５°〜１８．０°であり好ましくは１５．０°〜１６．５°であると同時に、前頭面Ｐ３との断面における角度が１６．０°〜２１．０であり好ましくは１７．５°〜１９．５°である。
【００６８】
図１９は下顎用連結人工歯５の下顎第一小臼歯部Ｔ１１を咬合面から観た状態を示す。
下顎第一小臼歯部Ｔ１１は頬側咬頭頂ｃ１２の周囲に前方咬合小面ｆ３１と後方咬合小面ｆ３２を有し、遠心辺縁隆線に平衡咬合小面ｆ３３を有し、舌側咬頭頂の周囲に前方咬合小面ｆ３４を有する。
前方咬合小面ｆ３１が咬合平面Ｐ１と成す角度は、矢状面Ｐ２との断面における角度が３８．０°〜４１．０°であり好ましくは３９．０°〜４０．０°であると同時に、前頭面Ｐ３との断面における角度が５．０°〜８．５°であり好ましくは６．０°〜７．５°である。
後方咬合小面ｆ３２が咬合平面Ｐ１と成す角度は、矢状面Ｐ２との断面における角度が７．０°〜１７．５°であり好ましくは１０．０°〜１５．０°であると同時に、前頭面Ｐ３との断面における角度が９．０°〜１５．５°であり好ましくは１０．０°〜１３．５°である。
平衡咬合小面ｆ３３が咬合平面Ｐ１と成す角度は、矢状面Ｐ２との断面における角度が１５．０°〜２４．０°であり好ましくは１６．０°〜２３．０°であると同時に、前頭面Ｐ３との断面における角度が２９．０°〜３２．０°であり好ましくは３０．０°〜３１．０°である。
前方咬合小面ｆ３４が咬合平面Ｐ１と成す角度は、矢状面Ｐ２との断面における角度が３．５°〜１０．０°であり好ましくは５．０°〜７．５°であると同時に、前頭面Ｐ３との断面における角度が１．０°〜５．０°であり好ましくは２．５〜４．５°である。
【００６９】
図２０は下顎用連結人工歯５の下顎第二小臼歯部Ｔ１２を咬合面から観た状態を示す。
下顎第二小臼歯部Ｔ１２は、頬側咬頭頂ｃ１３の周囲に前方咬合小面ｆ３５と後方咬合小面ｆ３６を有し、遠心辺縁隆線に平衡咬合小面ｆ３７を有し、舌側咬頭頂の周囲に前方咬合小面ｆ３８を有する。
前方咬合小面ｆ３５が咬合平面Ｐ１と成す角度は、矢状面Ｐ２との断面における角度が２７．５°〜３０．０°であり好ましくは２８．０°〜２９．０°であると同時に、前頭面Ｐ３との断面における角度が１６．０°〜１９．０°であり好ましくは１７．５°〜１８．５°である。
後方咬合小面ｆ３６が咬合平面Ｐ１と成す角度は、矢状面Ｐ２との断面における角度が１３．０°〜１５．０°であり好ましくは１３．５°〜１４．５°であると同時に、前頭面Ｐ３との断面における角度が１７．０°〜２４．０°であり好ましくは１８．５°〜２３．０°である。
平衡咬合小面ｆ３７が咬合平面Ｐ１と成す角度は、矢状面Ｐ２との断面における角度が１．５°〜１７．０°であり好ましくは１５．５°〜１６．５°であると同時に、前頭面Ｐ３との断面における角度が１０．０°〜１６．５°であり好ましくは１２．０°〜１５．５°である。
前方咬合小面ｆ３８が咬合平面Ｐ１と成す角度は、矢状面Ｐ２との断面における角度が２．０°〜５．０°であり好ましくは３．０°〜４．０°であると同時に、前頭面Ｐ３との断面における角度が１２．０°〜１４．５°であり好ましくは１２．５°〜１３．５°である。
【００７０】
図２１は下顎用連結人工歯５の下顎第一大臼歯部Ｔ１３を咬合面から観た状態を示す。
下顎第一大臼歯部Ｔ１３は、近心頬側咬頭頂ｃ１４の周囲に前方咬合小面ｆ３９と後方咬合小面ｆ４０と平衡咬合小面ｆ４１を有し、遠心頬側咬頭頂ｃ１５の周囲に前方咬合小面ｆ４２と後方咬合小面ｆ４３と平衡咬合小面ｆ４４を有し、遠心咬頭頂ｃ１６の周囲に前方咬合小面ｆ４５と平衡咬合小面ｆ４６を有し、中央窩Ｓ３の付近に前方咬合小面ｆ４７を有する。
前方咬合小面ｆ３９が咬合平面Ｐ１と成す角度は、矢状面Ｐ２との断面における角度が２３．５°〜３２．０°であり好ましくは２５．０°〜３０．０°であると同時に、前頭面Ｐ３との断面における角度が７．０°〜１５．０°であり好ましくは８．０°〜１２．０°である。
後方咬合小面ｆ４０が咬合平面Ｐ１と成す角度は、矢状面Ｐ２との断面における角度が７．５°〜１２．０°であり好ましくは９．０°〜１１．０°であると同時に、前頭面Ｐ３との断面における角度が１４．０°〜１６．０°であり好ましくは１４．５  °〜１５．５°である。
平衡咬合小面ｆ４１が咬合平面Ｐ１と成す角度は、矢状面Ｐ２との断面における角度が２．０°〜５．５°であり好ましくは３．０°〜４．５°であると同時に、前頭面Ｐ３との断面における角度が３０．０°〜３２．０°であり好ましくは３０．０°〜３１．５°である。
前方咬合小面ｆ４２が咬合平面Ｐ１と成す角度は、矢状面Ｐ２との断面における角度が１５．５°〜２１．０°であり好ましくは１６．０°〜１９．０°であると同時に、前頭面Ｐ３との断面における角度が８．０°〜１１．０°であり好ましくは９．０°〜１０．５°である。
後方咬合小面ｆ４３が咬合平面と成す角度は、矢状面Ｐ２との断面における角度が２５．０°〜２７．０°であり好ましくは２５．５°〜２６．０°であると同時に、前頭面Ｐ３との断面における角度が２４．０°〜２５．０°であり好ましくは２４．５°〜２５．０°である。
平衡咬合小面ｆ４４が咬合平面と成す角度は、矢状面Ｐ２との断面における角度が１２．０°〜２０．０°であり好ましくは１３．５°〜１８．５°であると同時に、前頭面Ｐ３との断面における角度が３０．０°〜３７．０°であり好ましくは３１．５°〜３３．５°である。
前方咬合小面ｆ４５が咬合平面Ｐ１と成す角度は、矢状面Ｐ２との断面における角度が７．５°〜１３．０°であり好ましくは９．０°〜１１．５°であると同時に、前頭面Ｐ３との断面における角度が１０．０°〜１３．０°であり好ましくは１０．５°〜１２．０°である。
平衡咬合小面ｆ４６が咬合平面Ｐ１と成す角度は、矢状面Ｐ２との断面における角度が２．５°〜４．５°であり好ましくは３．０°〜４．０°であると同時に、前頭面Ｐ３との断面における角度が２７．０°〜３３．０°であり好ましくは２９．０°〜３２．０°である。
前方咬合小面ｆ４７が咬合平面Ｐ１と成す角度は、矢状面Ｐ２との断面における角度が１０．５°〜１８．５°であり好ましくは１２．５°〜１６．５°であると同時に、前頭面Ｐ３との断面における角度が１．０°〜８．０°であり好ましくは２．５°〜６．０°である。
【００７１】
図２２は下顎用連結人工歯５の下顎第二大臼歯部Ｔ１４を咬合面から観た状態を示す。
下顎第二大臼歯部Ｔ１４は、近心頬側咬頭頂ｃ１７の周囲に前方咬合小面ｆ４８と後方咬合小面ｆ４９と平衡咬合小面ｆ５０を有し、遠心頬側咬頭頂ｃ１８の周囲に前方咬合小面ｆ５１と後方咬合小面ｆ５２と平衡咬合小面ｆ５３を有し、中央窩Ｓ４の付近に前方咬合小面ｆ５４を有する。
前方咬合小面ｆ４８が咬合平面Ｐ１と成す角度は、矢状面Ｐ２との断面における角度が２６．０°〜３０．０°であり好ましくは２７．０°〜２９．０°であると同時に、前頭面Ｐ３との断面における角度が１０．０°〜１３．０°であり好ましくは１０．５°〜１２．５°である。
後方咬合小面ｆ４９が咬合平面Ｐ１と成す角度は、矢状面Ｐ２の断面における角度が１４．０°〜１６．０°であり好ましくは１４．５°〜１５．５°であると同時に、前頭面Ｐ３との断面における角度が１５．０°〜１７．５°であり好ましくは１５．５°〜１７．０°である。
平衡咬合小面ｆ５０が咬合平面Ｐ１と成す角度は、矢状面Ｐ２との断面における角度が２．５°〜３．５°であり好ましくは２．５°〜３．０°であると同時に、前頭面Ｐ３との断面における角度が３４．０°〜３８．０°であり好ましくは３５．０°〜３７．０°である。
前方咬合小面ｆ５１が咬合平面Ｐ１と成す角度は、矢状面Ｐ２との断面における角度が１７．０°〜２１．０°であり好ましくは１８．０°〜２０．０°であると同時に、前頭面Ｐ３との断面における角度が４．５°〜６．５°であり好ましくは５．０°〜６．０°である。
後方咬合小面ｆ５２が咬合平面Ｐ１と成す角度は、矢状面Ｐ２との断面における角度が１９．０°〜２２．０°であり好ましくは１９．５°〜２１．０°であると同時に、前頭面Ｐ３との断面における角度が１３．０°〜１４．５°であり好ましくは１３．５°〜１４．０°である。
平衡咬合小面ｆ５３が咬合平面Ｐ１と成す角度は、矢状面Ｐ２との断面における角度が１．０°〜３．０°であり好ましくは１．５°〜２．５°であると同時に、前頭面Ｐ３との断面における角度が３４．０°〜３８．０°であり好ましくは３５．０°〜３７．０°である。
前方咬合小面ｆ５４が咬合平面Ｐ１と成す角度は、矢状面Ｐ２との断面における角度が１５．５°〜２３．０°であり好ましくは１７．０°〜２０．０°であると同時に、前頭面Ｐ３との断面における角度が５．５°〜１２．０°であり好ましくは７．０°〜１０．０°である。
【００７２】
以上の咬合小面を有する上顎用連結人工歯６と下顎用連結人工歯５を平均値咬合器にセットすると、各咬合小面は以下のように接触する。
咬頭嵌合位において図２３に示すように、
咬頭嵌合位では、
上顎中切歯部Ｔ１の前方咬合小面ｆ１は、下顎側切歯部Ｔ９の前方咬合小面ｆ２７と一部接触し、
上顎中切歯部Ｔ１の前方咬合小面ｆ２は、下顎中切歯部Ｔ８の前方咬合小面ｆ２６と一部接触し、
上顎側切歯部Ｔ２の前方咬合小面ｆ３は、下顎犬歯部Ｔ１０の前方咬合小面ｆ２９と一部接触し、
上顎側切歯部Ｔ２の前方咬合小面ｆ４は、下顎側切歯部Ｔ９の前方咬合小面ｆ２８と一部接触し、
上顎犬歯部Ｔ３の前方咬合小面ｆ５は、下顎第一小臼歯部Ｔ１１の前方咬合小面ｆ３１と一部接触し、
上顎犬歯部Ｔ３の後方咬合小面ｆ６は、下顎犬歯部Ｔ１０の後方咬合小面ｆ３０と一部接触し、
上顎第一小臼歯部Ｔ４の前方咬合小面ｆ７は、下顎第二小臼歯部Ｔ１２の前方咬合小面ｆ３５と一部接触し、
上顎第一小臼歯部Ｔ４の後方咬合小面ｆ８は、下顎第一小臼歯部Ｔ１１の後方咬合小面ｆ３２と一部接触し、
上顎第一小臼歯部Ｔ４の平衡咬合小面ｆ９は、下顎第一小臼歯部Ｔ１１の平衡咬合小面ｆ３３と一部接触し、
上顎第二小臼歯部Ｔ５の前方咬合小面ｆ１０は、下顎第一大臼歯部Ｔ１３の前方咬合小面ｆ３９と一部接触し、
上顎第二小臼歯部Ｔ５の後方咬合小面ｆ１１は、下顎第二小臼歯部Ｔ１２の後方咬合小面ｆ３６と一部接触し、
上顎第二小臼歯部Ｔ５の平衡咬合小面ｆ１２は、下顎第二小臼歯部Ｔ１２の平衡咬合小面ｆ３７と一部接触し、
上顎第一大臼歯部Ｔ６の前方咬合小面ｆ１３は、下顎第一大臼歯部Ｔ１３の前方咬合小面ｆ４２と一部接触し、
上顎第一大臼歯部Ｔ６の後方咬合小面ｆ１４は、下顎第一大臼歯部Ｔ１３の後方咬合小面ｆ４０と一部接触し、
上顎第一大臼歯部Ｔ６の前方咬合小面ｆ１５は、下顎第一大臼歯部Ｔ１３の前方咬合小面ｆ４５と一部接触し、
上顎第一大臼歯部Ｔ６の後方咬合小面ｆ１６は、下顎第一大臼歯部Ｔ１３の後方咬合小面ｆ４３と一部接触し、
上顎第一大臼歯部Ｔ６の平衡咬合小面ｆ１７は、下顎第一大臼歯部Ｔ１３の平衡咬合小面ｆ４４と一部接触し、
上顎第一大臼歯部Ｔ６の前方咬合小面ｆ１８は、下顎第一大臼歯部Ｔ１３の前方咬合小面ｆ４７と一部接触し、
上顎第二大臼歯部Ｔ７の前方咬合小面ｆ２１は、下顎第二大臼歯部Ｔ１４の前方咬合小面ｆ５１と一部接触し、
上顎第二大臼歯部Ｔ７の後方咬合小面ｆ２２は、下顎第二大臼歯部Ｔ１４の後方咬合小面ｆ４９と一部接触し、
上顎第二大臼歯部Ｔ７の後方咬合小面ｆ２３は、下顎第二大臼歯部Ｔ１４の後方咬合小面ｆ５２と一部接触し、
上顎第二大臼歯部Ｔ７の平衡咬合小面ｆ２４は、下顎第二大臼歯部Ｔ１４の平衡咬合小面ｆ５３と一部接触し、
上顎第二大臼歯部Ｔ７の前方咬合小面ｆ２５は、下顎第二大臼歯部Ｔ１４の前方咬合小面ｆ５４と一部接触する。
【００７３】
また、前方運動時、側方運動時の作業側および平衡側の各咬合小面は以下のように滑走する。
側方運動時の作業側は、図２４に示すように、
上顎側切歯部Ｔ２の前方咬合小面ｆ４は、下顎側切歯部Ｔ９の前方咬合小面ｆ２８と一部滑走し、
上顎犬歯部Ｔ３の後方咬合小面ｆ６は、下顎犬歯部Ｔ１０の後方咬合小面ｆ３０と一部滑走し、
上顎第一小臼歯部Ｔ４の後方咬合小面ｆ８は、下顎第一小臼歯部Ｔ１１の後方咬合小面ｆ３２と一部滑走し、
上顎第二小臼歯部Ｔ５の後方咬合小面ｆ１１は、下顎第二小臼歯部Ｔ１２の後方咬合小面ｆ３６と一部滑走し、
上顎第一大臼歯部Ｔ６の後方咬合小面ｆ１４は、下顎第一大臼歯部Ｔ１３の後方咬合小面ｆ４０と一部滑走し、
上顎第一大臼歯部Ｔ６の後方咬合小面ｆ１６は、下顎第一大臼歯部Ｔ１３の後方咬合小面ｆ４３と一部滑走し、
上顎第一大臼歯部Ｔ６の前方咬合小面ｆ１８は、下顎第一大臼歯部Ｔ１３の前方咬合小面ｆ４７と一部滑走し、
上顎第二大臼歯部Ｔ７の後方咬合小面ｆ２２は、下顎第二大臼歯部Ｔ１４の後方咬合小面ｆ４９と一部滑走し、
上顎第二大臼歯部Ｔ７の後方咬合小面ｆ２３は、下顎第二大臼歯部Ｔ１４の後方咬合小面ｆ５２と一部滑走し、
上顎第二大臼歯部Ｔ７の前方咬合小面ｆ２５は、下顎第二大臼歯部Ｔ１４の前方咬合小面ｆ５４と一部滑走する。
【００７４】
側方運動時の平衡側は、図２５に示すように、
上顎第一小臼歯部Ｔ４の平衡咬合小面ｆ９は、下顎第一小臼歯部Ｔ１１の平衡咬合小面ｆ３３と一部滑走し、
上顎第二小臼歯部Ｔ５の平衡咬合小面ｆ１２は、下顎第二小臼歯部Ｔ１２の平衡咬合小面ｆ３７及び下顎第一大臼歯部Ｔ１３の平衡咬合小面ｆ４１と一部滑走し、
上顎第一大臼歯部Ｔ６の平衡咬合小面ｆ１７は、下顎第一大臼歯部Ｔ１３の平衡咬合小面ｆ４４と一部滑走し、
上顎第一大臼歯部Ｔ６の平衡咬合小面ｆ２０は、下顎第一大臼歯部Ｔ１３の平衡咬合小面ｆ４６及び下顎第二大臼歯部Ｔ１４の平衡咬合小面ｆ５０と一部滑走し、
上顎第二大臼歯部Ｔ７の平衡咬合小面ｆ２４は、下顎第二大臼歯部Ｔ１４の平衡咬合小面ｆ５３と一部滑走する。
【００７５】
前方運動時には、図２６に示すように、
上顎中切歯部Ｔ１の前方咬合小面ｆ１は、下顎側切歯部Ｔ９の前方咬合小面ｆ２７と一部滑走し、
上顎中切歯部Ｔ１の前方咬合小面ｆ２は、下顎中切歯部Ｔ８の前方咬合小面ｆ２６と一部滑走し、
上顎側切歯部Ｔ２の前方咬合小面ｆ３は、下顎犬歯部Ｔ１０の前方咬合小面ｆ２９と一部滑走し、
上顎犬歯部Ｔ３の前方咬合小面ｆ５は、下顎第一小臼歯部Ｔ１１の前方咬合小面ｆ３１と一部滑走し、
上顎第一小臼歯部Ｔ４の前方咬合小面ｆ７は、下顎第二小臼歯部Ｔ１２の前方咬合小面ｆ３５と一部滑走し、
上顎第二小臼歯部Ｔ５の前方咬合小面ｆ１０は、下顎第一大臼歯部Ｔ１３の前方咬合小面ｆ３９と一部滑走し、
上顎第一大臼歯部Ｔ６の前方咬合小面ｆ１３は、下顎第一大臼歯部Ｔ１３の前方咬合小面ｆ４２と一部滑走し、
上顎第一大臼歯部Ｔ６の前方咬合小面ｆ１５は、下顎第一大臼歯用人工歯Ｔ１３の前方咬合小面ｆ４５及び下顎第二大臼歯用人工歯Ｔ１４の前方咬合小面ｆ４８と一部滑走し、
上顎第一大臼歯部Ｔ６の前方咬合小面ｆ１８は、下顎第一大臼歯用人工歯Ｔ１３の前方咬合小面ｆ４７と一部滑走し、
上顎第二大臼歯部Ｔ７の前方咬合小面ｆ２１は、下顎第二大臼歯部Ｔ１４の前方咬合小面ｆ５１と一部滑走し、
上顎第二大臼歯部Ｔ７の前方咬合小面ｆ２５は、下顎第二大臼歯部Ｔ１４の前方咬合小面ｆ５４と一部滑走する。
【００７６】
以上の構成の上下顎嵌合型連結人工歯セットにおいては、下顎用連結人工歯５と上顎用連結人工歯６とが、同名部位の１歯対１歯、または１歯対２歯の関係で接触嵌合することによって、静的安定性を得ることができる。これにより、術者の技量、及び、無歯顎患者の顎堤形状の違いを問わず調和し、且つ、短時間で容易に理想的な咬合接触関係が確立できる全部床義歯を製作することができる。
【００７７】
尚、同名部位とは、例えば、下顎用連結人工歯５の下顎中切歯部Ｔ８と、上顎用連結人工歯６の上顎中切歯部Ｔ１と表現される中切歯部、下顎用連結人工歯５の下顎第一小臼歯部Ｔ１１と、上顎用連結人工歯６の上顎第一小臼歯部Ｔ４と表現される第一小臼歯部などを意味する。
【００７８】
なお、実施の形態１では、第１仮想曲線１８は、二次関数Ｙｍｍ＝｛（Ｘｍｍ×Ｘｍｍ）／３２ｍｍ｝−５ｍｍで表現される例について説明したが、これに限定されない。第１仮想曲線１８は、二次関数Ｙｍｍ＝｛（Ｘｍｍ×Ｘｍｍ）／α１ｍｍ｝−β１ｍｍで表現されてもよい。ここでα１ｍｍは３０〜３２ｍｍの範囲、β１ｍｍは３〜５ｍｍの範囲でそれぞれ決定されてもよい。
【００７９】
実施の形態１では、第２仮想曲線１９は、二次関数Ｙｍｍ＝｛（Ｘｍｍ×Ｘｍｍ）／８ｍｍ｝＋５ｍｍで表現される例について説明したが、これに限定されない。第２仮想曲線１９は、二次関数Ｙｍｍ＝｛（Ｘｍｍ×Ｘｍｍ）／α２ｍｍ｝＋β２ｍｍで表現されてもよい。ここでα２ｍｍは８〜１６ｍｍの範囲、β２ｍｍは２〜５ｍｍの範囲でそれぞれ決定されてもよい。
【００８０】
実施の形態１では、第３仮想曲線２８は、二次関数Ｙｍｍ＝｛（Ｘｍｍ×Ｘｍｍ）／３２ｍｍ｝−１１ｍｍで表現される例について説明したが、これに限定されない。第３仮想曲線２８は、二次関数Ｙｍｍ＝｛（Ｘｍｍ×Ｘｍｍ）／α３ｍｍ｝−β３ｍｍで表現されてもよい。ここでα３ｍｍは３２〜３６ｍｍの範囲、β３ｍｍは８〜１２ｍｍの範囲でそれぞれ決定されてもよい。
【００８１】
実施の形態１では、第４仮想曲線２９は、二次関数Ｙｍｍ＝｛（Ｘｍｍ×Ｘｍｍ）／８ｍｍ｝＋５ｍｍで表現される例について説明したが、これに限定されない。第４仮想曲線２９は、二次関数Ｙｍｍ＝｛（Ｘｍｍ×Ｘｍｍ）／α４ｍｍ｝＋β４ｍｍで表現されてもよい。ここでα４ｍｍは８〜１６ｍｍの範囲、β４ｍｍは１〜５ｍｍの範囲で決定されてもよい。
【００８２】
実施の形態１では、下顎用連結人工歯５と上顎用連結人工歯６とが、同名部位の１歯対１歯、または１歯対２歯の関係で接触嵌合する例について説明したが、左側、及び右側の部位においてそれぞれいずれかの小臼歯、及びいずれかの大臼歯が接触嵌合すれば、これに限定されない。上下顎嵌合型連結人工歯セットにおいては、下顎用連結人工歯５と上顎用連結人工歯６とが咬頭嵌合状態のとき、左側の部位と右側の部位のそれぞれにおいて、下顎第一小臼歯部Ｔ１１と下顎第二小臼歯部Ｔ１２との少なくとも一方は、上顎第一小臼歯部Ｔ４と上顎第二小臼歯部Ｔ５の少なくとも一方と１箇所以上で接触していればよい。また、下顎第一大臼歯部Ｔ１３と下顎第二大臼歯部Ｔ１４の少なくとも一方は、上顎第一大臼歯部Ｔ６と上顎第二大臼歯部Ｔ７の少なくとも一方と１箇所以上で接触していればよい。また、下顎用連結人工歯５と上顎用連結人工歯６との左右両方の部位における接触箇所の合計は４箇所以上であればよい。このような構成であっても、静的安定性を得ることができる。
【実施例】
【００８３】
実施例を以下に示す。実施例の評価は、全部床義歯製作時の人工歯排列の所要時間、製作した全部床義歯の咬合接触関係確立の完成度、の２項目について行った。
【００８４】
まず試料として、実施例１〜２及び比較例１〜２の合計４種類の連結人工歯セットを準備した。
【００８５】
実施例１の上下顎嵌合型連結人工歯セットについて説明する。
実施例１の上下顎嵌合型連結人工歯セットは、弓形状を有する下顎用連結人工歯５と上顎用連結人工歯６とを備える。
実施例１において、下顎用連結人工歯５は、左右両側にそれぞれ配置される、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４を有する。即ち、下顎用連結人工歯５は、２つの下顎中切歯部Ｔ８、２つの下顎側切歯部Ｔ９、２つの下顎犬歯部Ｔ１０、２つの下顎第一小臼歯部Ｔ１１、２つの下顎第二小臼歯部Ｔ１２、２つの下顎第一大臼歯部Ｔ１３、及び２つの下顎第二大臼歯部Ｔ１４の１４種類の形態を含む。
下顎用連結人工歯５においては、夫々の部位が全て連結されている。具体的には、下顎用連結人工歯５の中央において、左右の下顎中切歯部Ｔ８が互いに連結されている。下顎用連結人工歯５の左右両側の部位のそれぞれにおいて、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４がこの順に連結されている。
下顎用連結人工歯５を仮想ＸＹＺ直交座標系に表した場合、以下の条件（ｉ）〜（ｉｖ）を満たす。
（ｉ）仮想のＸＹＺ直交座標系の原点１と下顎切歯点１０をＸ座標値０ｍｍ、Ｙ座標値０ｍｍ、Ｚ座標値０ｍｍとなるように一致させている；
（ｉｉ）下顎用連結人工歯５は、左右両側の下顎第一大臼歯部Ｔ１６の遠心頬側咬頭頂ｃ１５のＺ座標値が０ｍｍである；
（ｉｉｉ）下顎用連結人工歯５の左側の部位が正（＋）のＸ座標値側に配置され、下顎用連結人工歯５の右側の部位が負（−）のＸ座標値側に配置される；
（ｉｖ）下顎用連結人工歯５の左側の部位における切歯及び犬歯の切縁、及び臼歯の咬頭頂の位置するＸ座標値、Ｙ座標値、Ｚ座標値の絶対値と、下顎用連結人工歯５の右側の部位における切歯及び犬歯の切縁、及び臼歯の咬頭頂の位置するＸ座標値、Ｙ座標値、Ｚ座標値の絶対値とは、それぞれ、等しい。
上記条件（ｉ）〜（ｉｖ）を満たす場合に、
下顎用連結人工歯５の左右両側における、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４の歯冠形態が二次関数Ｙｍｍ＝｛（Ｘｍｍ×Ｘｍｍ）／３２ｍｍ｝−４ｍｍで表現される第１仮想曲線１８と、Ｙｍｍ＝｛（Ｘｍｍ×Ｘｍｍ）／１６ｍｍ｝＋２ｍｍで表現される第２仮想曲線１９の間に配置される；
左側の下顎第二大臼歯部Ｔ１７から右側の下顎第二大臼歯部Ｔ１７までの近遠心方向の幅径の合計Ｌ１が１２６．０ｍｍである；
下顎用連結人工歯５における全ての切歯及び犬歯の切縁、及び全ての臼歯の咬頭頂のＺ座標値は−３．０ｍｍ〜＋４．０ｍｍの間にある。
実施例１において、上顎用連結人工歯６は、左右両側にそれぞれ配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７を有する。即ち、上顎用連結人工歯６は、２つの上顎中切歯部Ｔ１、２つの上顎側切歯部Ｔ２、２つの上顎犬歯部Ｔ３、２つの上顎第一小臼歯部Ｔ４、２つの上顎第二小臼歯部Ｔ５、２つの上顎第一大臼歯部Ｔ６、及び２つの上顎第二大臼歯部Ｔ７の１４種類の形態を含む。
上顎用連結人工歯６においては、夫々の部位が全て連結されている。具体的には、上顎用連結人工歯６の中央において、左右の上顎中切歯部Ｔ１が互いに連結されている。上顎用連結人工歯６の左右両側の部位のそれぞれにおいて、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７がこの順に連結されている。
上顎用連結人工歯６を仮想ＸＹＺ直交座標系に表した場合、以下の条件（ｖ）〜（ｖｉｉｉ）を満たす。
（ｖ）上顎用連結人工歯６は、仮想のＸＹＺ直交座標系の原点１に対し、上顎切歯点２０がＸ座標値０ｍｍ、Ｙ座標値−８．０ｍｍ、Ｚ座標値−２．０ｍｍとなるよう配置される；
（ｖｉ）上顎用連結人工歯６の左側の部位が正（＋）のＸ座標値側に配置され、上顎用連結人工歯６の右側の部位が負（−）のＸ座標値側に配置される；
（ｖｉｉ）上顎用連結人工歯６の左側の部位における切歯及び犬歯の切縁、及び臼歯の咬頭頂の位置するＸ座標値、Ｙ座標値、Ｚ座標値の絶対値と、上顎用連結人工歯６の右側の部位における切歯及び犬歯の切縁、及び臼歯の咬頭頂の位置するＸ座標値、Ｙ座標値、Ｚ座標値の絶対値とが、それぞれ、等しい；
（ｖｉｉｉ）上顎用連結人工歯６は上顎第一大臼歯部Ｔ６の中央窩Ｓ６のＸ座標値及びＹ座標値が、下顎第一大臼歯部Ｔ１６の遠心頬側咬頭頂ｃ１５を中心とする半径３．０ｍｍ以内、Ｚ座標値が＋１．０ｍｍに配置される。
上記条件（ｖ）〜（ｖｉｉｉ）を満たす場合に、
上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の歯冠形態が二次関数Ｙｍｍ＝｛（Ｘｍｍ×Ｘｍｍ）／３２ｍｍ｝−１１ｍｍで表現される第３仮想曲線２８と、Ｙｍｍ＝｛（Ｘｍｍ×Ｘｍｍ）／１６ｍｍ｝＋１ｍｍで表現される第４仮想曲線２９の間に配置される；
左側の上顎第二大臼歯Ｔ７から右側の上顎第二大臼歯Ｔ７までの近遠心方向の幅径の合計Ｌ２が１３０．０ｍｍである；
左側及び右側の上顎第一大臼歯部Ｔ６の頬舌方向の幅径が８．５ｍｍである；
上顎用連結人工歯６における全ての切歯及び犬歯の切縁、及び全ての臼歯の咬頭頂のＺ座標値は−４．０ｍｍ〜＋３．０ｍｍの間にある。
実施例１の上下顎嵌合型連結人工歯セットでは、下顎用連結人工歯５と上顎用連結人工歯６とは、咬頭嵌合状態において、左側の第一小臼歯部で１箇所、左側の第一大臼歯部で１箇所、右側の第一小臼歯部で１箇所、右側の第一大臼歯部で１箇所の合計で４箇所、同名部位の咬頭対窩の関係で接触嵌合し、静的安定性が得られている。
【００８６】
実施例２の上下顎嵌合型連結人工歯セットについて説明する。
実施例２の上下顎嵌合型連結人工歯セットは、実施例１の構成要件に加えて以下の構成要件を備える。
上顎中切歯部Ｔ１は、
切縁ｉ１に前方咬合小面ｆ１と前方咬合小面ｆ２の２面を有し、
前方咬合小面ｆ１が咬合平面Ｐ１と成す角度が、矢状面Ｐ２との断面における角度で２３．５°であると同時に、前頭面Ｐ３との断面における角度で４．０°であり、
前方咬合小面ｆ２が咬合平面Ｐ１と成す角度が、矢状面Ｐ２との断面における角度で２２．０°あると同時に、前頭面Ｐ３との断面における角度で４．０°である。
上顎側切歯部Ｔ２は、
切縁ｉ２に前方咬合小面ｆ３と前方咬合小面ｆ４の２面を有し、
前方咬合小面ｆ３が咬合平面Ｐ１と成す角度が、矢状面Ｐ２との断面における角度で２６．０°であると同時に、前頭面Ｐ３との断面における角度で１６．０°であり、
前方咬合小面ｆ４が咬合平面Ｐ１と成す角度が、矢状面Ｐ２との断面における角度で１８．５°であると同時に、前頭面Ｐ３との断面における角度で１０．０°である。
上顎犬歯部Ｔ３は、
切縁ｉ３に前方咬合小面ｆ５と後方咬合小面ｆ６の２面を有し、
前方咬合小面ｆ５が咬合平面Ｐ１と成す角度が、矢状面Ｐ２との断面における角度で２８．０°であると同時に、前頭面Ｐ３との断面における角度で３．０°であり、
後方咬合小面ｆ６が咬合平面Ｐ１と成す角度が、矢状面Ｐ２との断面における角度で１５．０°であると同時に、前頭面Ｐ３との断面における角度で２２．０°である。
上顎第一小臼歯部Ｔ４は、
頬側咬頭頂Ｃ１の周囲に前方咬合小面ｆ７と後方咬合小面ｆ８の２面を有し、さらに舌側咬頭頂Ｃ２の周囲に平衡咬合小面ｆ９の１面を有し、
頬側咬頭頂Ｃ１付近の前方咬合小面ｆ７が咬合平面Ｐ１と成す角度が、矢状面Ｐ２との断面における角度で２６．０°であると同時に、前頭面Ｐ３との断面における角度で１３．０°であり、
頬側咬頭頂Ｃ１付近の後方咬合小面ｆ８が咬合平面Ｐ１と成す角度が、矢状面Ｐ２との断面における角度で２２．５°であると同時に、前頭面Ｐ３との断面における角度で１４．０°であり、
舌側咬頭頂Ｃ２付近の平衡咬合小面ｆ９が咬合平面Ｐ１と成す角度が、矢状面Ｐ２との断面における角度で３．０°であると同時に、前頭面Ｐ３との断面における角度で３２．０°である。
上顎第二小臼歯部Ｔ５は、
頬側咬頭頂Ｃ３の周囲に前方咬合小面ｆ１０と後方咬合小面ｆ１１の２面を有し、さらに舌側咬頭頂Ｃ４の周囲に平衡咬合小面ｆ１２の１面を有し、
頬側咬頭頂Ｃ３付近の前方咬合小面ｆ１０が咬合平面Ｐ１と成す角度が、矢状面Ｐ２との断面における角度で２５．０°であると同時に、前頭面Ｐ３との断面における角度が１４．０°であり、
頬側咬頭頂Ｃ３付近の後方咬合小面ｆ１１が咬合平面Ｐ１と成す角度が、矢状面Ｐ２との断面における角度で１７．５°であると同時に、前頭面Ｐ３との断面における角度で１５．５°であり、
舌側咬頭頂Ｃ４付近の平衡咬合小面ｆ１２が咬合平面Ｐ１と成す角度が、矢状面Ｐ２との断面における角度で８．０°であると同時に、前頭面Ｐ３との断面における角度で２７．０°である。
上顎第一大臼歯部Ｔ６は、
近心頬側咬頭頂Ｃ５の周囲に前方咬合小面ｆ１３と後方咬合小面ｆ１４の２面を有し、遠心頬側咬頭頂Ｃ６の周囲に前方咬合小面ｆ１５と後方咬合小面ｆ１６の２面を有し、近心舌側咬頭頂Ｃ７の周囲に前方咬合小面ｆ１８と平衡咬合小面ｆ１７の２面を有し、遠心舌側咬頭頂Ｃ８の周囲に後方咬合小面ｆ１９と平衡咬合小面ｆ２０の２面を有し、
近心頬側咬頭頂Ｃ５付近の前方咬合小面ｆ１３が咬合平面Ｐ１と成す角度が、矢状面（Ｐ２）との断面における角度で１９．０°であると同時に、前頭面Ｐ３との断面における角度が８．０°であり、
近心頬側咬頭頂Ｃ５付近の後方咬合小面ｆ１４が咬合平面Ｐ１と成す角度が、矢状面Ｐ２との断面における角度で９．５°であると同時に、前頭面Ｐ３との断面における角度で１１．５°であり、
遠心頬側咬頭頂Ｃ６付近の前方咬合小面ｆ１５が咬合平面Ｐ１と成す角度が、矢状面Ｐ２との断面における角度で１７．５°であると同時に、前頭面Ｐ３との断面における角度で８．５°であり、
遠心頬側咬頭頂Ｃ６付近の後方咬合小面ｆ１６が咬合平面Ｐ１と成す角度が、矢状面Ｐ２との断面における角度で２０．５°であると同時に、前頭面Ｐ３との断面における角度が１２．０°であり、
近心舌側咬頭頂Ｃ７付近の平衡咬合小面ｆ１７が咬合平面Ｐ１と成す角度が、矢状面Ｐ２との断面における角度で１５．５°であると同時に、前頭面Ｐ３との断面における角度で４１．０°であり、
近心舌側咬頭頂Ｃ７付近の前方咬合小面ｆ１８が咬合平面Ｐ１と成す角度が、矢状面Ｐ２との断面における角度で１９．０°あると同時に、前頭面Ｐ３との断面における角度が５．５°であり、
遠心舌側咬頭頂Ｃ８付近の後方咬合小面ｆ１９が咬合平面Ｐ１と成す角度が、矢状面Ｐ２との断面における角度で７．０°であると同時に、前頭面Ｐ３との断面における角度で１６．５°であり、
遠心舌側咬頭頂Ｃ８付近の平衡咬合小面ｆ２０が咬合平面Ｐ１と成す角度が、矢状面Ｐ２との断面における角度で７．５°であると同時に、前頭面Ｐ３との断面における角度で３５．０°である。
上顎第二大臼歯部Ｔ７は、
近心頬側咬頭頂Ｃ９の周囲に前方咬合小面ｆ２１と後方咬合小面ｆ２２の２面を有し、遠心頬側咬頭頂Ｃ１０の周囲に後方咬合小面ｆ２３の１面を有し、近心舌側咬頭頂Ｃ１１の周囲に前方咬合小面ｆ２５と平衡咬合小面ｆ２４の２面を有し、
近心頬側咬頭頂Ｃ９付近の前方咬合小面ｆ２１が咬合平面Ｐ１と成す角度が、矢状面Ｐ２との断面における角度で２４．５°であると同時に、前頭面Ｐ３との断面における角度で１．７°であり、
近心頬側咬頭頂Ｃ９付近の後方咬合小面ｆ２２が咬合平面Ｐ１と成す角度が、矢状面Ｐ２との断面における角度で１３．０°であると同時に、前頭面Ｐ３との断面における角度で１５．０°であり、
遠心頬側咬頭頂Ｃ１０付近の後方咬合小面ｆ２３が咬合平面Ｐ１と成す角度が、矢状面Ｐ２との断面における角度で９．０°であると同時に、前頭面Ｐ３との断面における角度で６．５°であり、
近心舌側咬頭頂Ｃ１１付近の平衡咬合小面ｆ２４が咬合平面Ｐ１と成す角度が、矢状面Ｐ２との断面における角度で５．０°であると同時に、前頭面Ｐ３との断面における角度で４２．０°であり、
近心舌側咬頭頂Ｃ１１付近の前方咬合小面ｆ２５が咬合平面Ｐ１と成す角度が、矢状面Ｐ２との断面における角度で２１．０°であると同時に、前頭面Ｐ３との断面における角度で３．０°である。
下顎中切歯部Ｔ８は、
切縁ｉ４に前方咬合小面ｆ２６を有し、
前方咬合小面ｆ２６が咬合平面Ｐ１と成す角度が、矢状面Ｐ２との断面における角度で３１．０°であると同時に、前頭面Ｐ３との断面における角度で５．０°である。
下顎側切歯部Ｔ９は、
切縁ｉ５に前方咬合小面ｆ２７と前方咬合小面ｆ２８を有し、
前方咬合小面ｆ２７が咬合平面Ｐ１と成す角度が、矢状面Ｐ２との断面における角度で３３．０°であると同時に、前頭面Ｐ３との断面における角度で１．０°であり、
前方咬合小面ｆ２８が咬合平面Ｐ１と成す角度が、矢状面Ｐ２との断面における角度で２８．５°であると同時に、前頭面Ｐ３との断面における角度で２２．０°である。
下顎犬歯部Ｔ１０は、
切縁ｉ６に前方咬合小面ｆ２９と後方咬合小面ｆ３０を有し、
前方咬合小面ｆ２９が咬合平面Ｐ１と成す角度が、矢状面Ｐ２との断面における角度で２５．０°であると同時に、前頭面Ｐ３との断面における角度で７．５°であり、
後方咬合小面ｆ３０が咬合平面Ｐ１と成す角度が、矢状面Ｐ２との断面における角度で１６．０°であると同時に、前頭面Ｐ３との断面における角度で１８．５°である。
下顎第一小臼歯部Ｔ１１は、
頬側咬頭頂Ｃ１２の周囲に前方咬合小面ｆ３１と後方咬合小面ｆ３２の２面を有し、遠心辺縁隆線に平衡咬合小面ｆ３３の１面を有し、舌側咬頭頂の周囲に前方咬合小面ｆ３４の１面を有し、
頬側咬頭頂Ｃ１２付近の前方咬合小面ｆ３１が咬合平面Ｐ１と成す角度が、矢状面Ｐ２との断面における角度で３９．５°であると同時に、前頭面Ｐ３との断面における角度が７．０°であり、
頬側咬頭頂Ｃ１２付近の後方咬合小面ｆ３２が咬合平面Ｐ１と成す角度が、矢状面Ｐ２との断面における角度で１２．５°であると同時に、前頭面Ｐ３との断面における角度で１２．５°であり、
遠心小窩付近の平衡咬合小面ｆ３３が咬合平面Ｐ１と成す角度が、矢状面Ｐ２との断面における角度で１８．０°であると同時に、前頭面Ｐ３との断面における角度で３１．０°であり、
遠心小窩付近の前方咬合小面ｆ３４が咬合平面Ｐ１と成す角度が、矢状面Ｐ２との断面における角度で７．０°であると同時に、前頭面Ｐ３との断面における角度で３．５°である。
下顎第二小臼歯部Ｔ１２は、
頬側咬頭頂Ｃ１３の周囲に前方咬合小面ｆ３５と後方咬合小面ｆ３６の２面を有し、遠心辺縁隆線に平衡咬合小面ｆ３７の１面を有し、舌側咬頭頂の周囲に前方咬合小面ｆ３８の１面を有し、
頬側咬頭頂Ｃ１３付近の前方咬合小面ｆ３５が咬合平面Ｐ１と成す角度が、矢状面Ｐ２との断面における角度で２８．５°であると同時に、前頭面Ｐ３との断面における角度で１７．５°であり、
頬側咬頭頂Ｃ１３付近の後方咬合小面ｆ３６が咬合平面Ｐ１と成す角度が、矢状面Ｐ２との断面における角度で１４．０°であると同時に、前頭面Ｐ３との断面における角度で２１．０°であり、
遠心小窩付近の平衡咬合小面ｆ３７が咬合平面Ｐ１と成す角度が、矢状面Ｐ２との断面における角度で９．０°であると同時に、前頭面Ｐ３との断面における角度で１３．０°であり、
遠心小窩付近の前方咬合小面ｆ３８が咬合平面Ｐ１と成す角度が、矢状面Ｐ２との断面における角度で３．５°であると同時に、前頭面Ｐ３との断面における角度で１３．０°である。
下顎第一大臼歯部Ｔ１３は、
近心頬側咬頭頂Ｃ１４の周囲に前方咬合小面ｆ３９と後方咬合小面ｆ４０と平衡咬合小面ｆ４１の３面を有し、遠心頬側咬頭頂Ｃ１５の周囲に前方咬合小面ｆ４２と後方咬合小面ｆ４３と平衡咬合小面ｆ４４の３面を有し、遠心咬頭頂Ｃ１６の周囲に前方咬合小面ｆ４５と平衡咬合小面ｆ４６の２面を有し、中央窩Ｓ３付近に前方咬合小面ｆ４７の１面を有し、
近心頬側咬頭頂Ｃ１４付近の前方咬合小面ｆ３９が咬合平面Ｐ１と成す角度が、矢状面Ｐ２との断面における角度で２７．５°であると同時に、前頭面Ｐ３との断面における角度で１１．０°であり、
近心頬側咬頭頂Ｃ１４付近の後方咬合小面ｆ４０が咬合平面Ｐ１と成す角度が、矢状面Ｐ２との断面における角度で１０．０°であると同時に、前頭面Ｐ３との断面における角度で１５．０°であり、
近心頬側咬頭頂Ｃ１４付近の平衡咬合小面ｆ４１が咬合平面Ｐ１と成す角度が、矢状面Ｐ２との断面における角度で３．５°であると同時に、前頭面Ｐ３との断面における角度が３１．０°であり、
遠心頬側咬頭頂Ｃ１５付近の前方咬合小面ｆ４２が咬合平面Ｐ１と成す角度が、矢状面Ｐ２との断面における角度で１８．０°であると同時に、前頭面Ｐ３との断面における角度で９．５°であり、
遠心頬側咬頭頂Ｃ１５付近の後方咬合小面ｆ４３が咬合平面Ｐ１と成す角度が、矢状面Ｐ２との断面における角度で２６．０°であると同時に、前頭面Ｐ３との断面における角度が２４．５°であり、
遠心頬側咬頭頂Ｃ１５付近の平衡咬合小面ｆ４４が咬合平面Ｐ１と成す角度が、矢状面Ｐ２との断面における角度で１６．０°であると同時に、前頭面Ｐ３との断面における角度で３３．０°であり、
遠心咬頭頂Ｃ１６付近の前方咬合小面ｆ４５が咬合平面Ｐ１と成す角度が、矢状面Ｐ２との断面における角度で１０．０°であると同時に、前頭面Ｐ３との断面における角度で１１．５°であり、
遠心咬頭頂Ｃ１６付近の平衡咬合小面ｆ４６が咬合平面Ｐ１と成す角度が、矢状面Ｐ２との断面における角度で３．５°であると同時に、前頭面Ｐ３との断面における角度で３０．０°であり、
中央窩Ｓ３付近の前方咬合小面ｆ４７が咬合平面Ｐ１と成す角度が、矢状面Ｐ２との断面における角度で１４．５°であると同時に、前頭面Ｐ３との断面における角度で４．５°である。
下顎第二大臼歯部Ｔ１４は、
近心頬側咬頭頂Ｃ１７の周囲に前方咬合小面ｆ４８と後方咬合小面ｆ４９と平衡咬合小面ｆ５０の３面を有し、遠心頬側咬頭頂Ｃ１８の周囲に前方咬合小面ｆ５１と後方咬合小面ｆ５２と平衡咬合小面ｆ５３の３面を有し、中央窩Ｓ４付近の周囲に前方咬合小面ｆ５４の１面を有し、
近心頬側咬頭頂Ｃ１７付近の前方咬合小面ｆ４８が咬合平面Ｐ１と成す角度が、矢状面Ｐ２との断面における角度で２８．０°であると同時に、前頭面Ｐ３との断面における角度で１１．５°であり、
近心頬側咬頭頂Ｃ１７付近の後方咬合小面ｆ４９が咬合平面Ｐ１と成す角度が、矢状面Ｐ２の断面における角度で１５．０°であると同時に、前頭面Ｐ３との断面における角度で１６．５°であり、
近心頬側咬頭頂Ｃ１７付近の平衡咬合小面ｆ５０が咬合平面Ｐ１と成す角度が、矢状面Ｐ２との断面における角度で３．０°であると同時に、前頭面Ｐ３との断面における角度で３６．０°であり、
遠心頬側咬頭頂Ｃ１８付近の前方咬合小面ｆ５１が咬合平面Ｐ１と成す角度が、矢状面Ｐ２との断面における角度で１９．０°であると同時に、前頭面Ｐ３との断面における角度で５．５°であり、
遠心頬側咬頭頂Ｃ１８付近の後方咬合小面ｆ５２が咬合平面Ｐ１と成す角度が、矢状面Ｐ２との断面における角度で２０．５°であると同時に、前頭面Ｐ３との断面における角度で１４．０°であり、
遠心頬側咬頭頂Ｃ１８付近の平衡咬合小面ｆ５３が咬合平面Ｐ１と成す角度が、矢状面Ｐ２との断面における角度で２．０°であると同時に、前頭面Ｐ３との断面における角度で３６．５°であり、
中央窩Ｓ４付近の前方咬合小面ｆ５４が咬合平面Ｐ１と成す角度が、矢状面Ｐ２との断面における角度で１９．０°であると同時に、前頭面Ｐ３との断面における角度で８．５°である。
咬頭嵌合位では、
上顎中切歯部Ｔ１の前方咬合小面ｆ１は、下顎側切歯部Ｔ９の前方咬合小面ｆ２７と一部接触し、
上顎中切歯部Ｔ１の前方咬合小面ｆ２は、下顎中切歯部Ｔ８の前方咬合小面ｆ２６と一部接触し、
上顎側切歯部Ｔ２の前方咬合小面ｆ３は、下顎犬歯部Ｔ１０の前方咬合小面ｆ２９と一部接触し、
上顎側切歯部Ｔ２の前方咬合小面ｆ４は、下顎側切歯部Ｔ９の前方咬合小面ｆ２８と一部接触し、
上顎犬歯部Ｔ３の前方咬合小面ｆ５は、下顎第一小臼歯部Ｔ１１の前方咬合小面ｆ３１と一部接触し、
上顎犬歯部Ｔ３の後方咬合小面ｆ６は、下顎犬歯部Ｔ１０の後方咬合小面ｆ３０と一部接触し、
上顎第一小臼歯部Ｔ４の前方咬合小面ｆ７は、下顎第二小臼歯部Ｔ１２の前方咬合小面ｆ３５と一部接触し、
上顎第一小臼歯部Ｔ４の後方咬合小面ｆ８は、下顎第一小臼歯部Ｔ１１の後方咬合小面ｆ３２と一部接触し、
上顎第一小臼歯部Ｔ４の平衡咬合小面ｆ９は、下顎第一小臼歯部Ｔ１１の平衡咬合小面ｆ３３と一部接触し、
上顎第二小臼歯部Ｔ５の前方咬合小面ｆ１０は、下顎第一大臼歯部Ｔ１３の前方咬合小面ｆ３９と一部接触し、
上顎第二小臼歯部Ｔ５の後方咬合小面ｆ１１は、下顎第二小臼歯部Ｔ１２の後方咬合小面ｆ３６と一部接触し、
上顎第二小臼歯部Ｔ５の平衡咬合小面ｆ１２は、下顎第二小臼歯部Ｔ１２の平衡咬合小面ｆ３７と一部接触し、
上顎第一大臼歯部Ｔ６の前方咬合小面ｆ１３は、下顎第一大臼歯部Ｔ１３の前方咬合小面ｆ４２と一部接触し、
上顎第一大臼歯部Ｔ６の後方咬合小面ｆ１４は、下顎第一大臼歯部Ｔ１３の後方咬合小面ｆ４０と一部接触し、
上顎第一大臼歯部Ｔ６の前方咬合小面ｆ１５は、下顎第一大臼歯部Ｔ１３の前方咬合小面ｆ４５と一部接触し、
上顎第一大臼歯部Ｔ６の後方咬合小面ｆ１６は、下顎第一大臼歯部Ｔ１３の後方咬合小面ｆ４３と一部接触し、
上顎第一大臼歯部Ｔ６の平衡咬合小面ｆ１７は、下顎第一大臼歯部Ｔ１３の平衡咬合小面ｆ４４と一部接触し、
上顎第一大臼歯部Ｔ６の前方咬合小面ｆ１８は、下顎第一大臼歯部Ｔ１３の前方咬合小面ｆ４７と一部接触し、
上顎第二大臼歯部Ｔ７の前方咬合小面ｆ２１は、下顎第二大臼歯部Ｔ１４の前方咬合小面ｆ５１と一部接触し、
上顎第二大臼歯部Ｔ７の後方咬合小面ｆ２２は、下顎第二大臼歯部Ｔ１４の後方咬合小面ｆ４９と一部接触し、
上顎第二大臼歯部Ｔ７の後方咬合小面ｆ２３は、下顎第二大臼歯部Ｔ１４の後方咬合小面ｆ５２と一部接触し、
上顎第二大臼歯部Ｔ７の平衡咬合小面ｆ２４は、下顎第二大臼歯部Ｔ１４の平衡咬合小面ｆ５３と一部接触し、
上顎第二大臼歯部Ｔ７の前方咬合小面ｆ２５は、下顎第二大臼歯部Ｔ１４の前方咬合小面ｆ５４と一部接触し、
側方運動時には、作業側において、
上顎側切歯部Ｔ２の前方咬合小面ｆ４は、下顎側切歯部Ｔ９の前方咬合小面ｆ２８と一部滑走し、
上顎犬歯部Ｔ３の後方咬合小面ｆ６は、下顎犬歯部Ｔ１０の後方咬合小面ｆ３０と一部滑走し、
上顎第一小臼歯部Ｔ４の後方咬合小面ｆ８は、下顎第一小臼歯部Ｔ１１の後方咬合小面ｆ３２と一部滑走し、
上顎第二小臼歯部Ｔ５の後方咬合小面ｆ１１は、下顎第二小臼歯部Ｔ１２の後方咬合小面ｆ３６と一部滑走し、
上顎第一大臼歯部Ｔ６の後方咬合小面ｆ１４は、下顎第一大臼歯部Ｔ１３の後方咬合小面ｆ４０と一部滑走し、
上顎第一大臼歯部Ｔ６の後方咬合小面ｆ１６は、下顎第一大臼歯部Ｔ１３の後方咬合小面ｆ４３と一部滑走し、
上顎第一大臼歯部Ｔ６の前方咬合小面ｆ１８は、下顎第一大臼歯部Ｔ１３の前方咬合小面ｆ４７と一部滑走し、
上顎第二大臼歯部Ｔ７の後方咬合小面ｆ２２は、下顎第二大臼歯部Ｔ１４の後方咬合小面ｆ４９と一部滑走し、
上顎第二大臼歯部Ｔ７の後方咬合小面ｆ２３は、下顎第二大臼歯部Ｔ１４の後方咬合小面ｆ５２と一部滑走し、
上顎第二大臼歯部Ｔ７の前方咬合小面ｆ２５は、下顎第二大臼歯部Ｔ１４の前方咬合小面ｆ５４と一部滑走すると同時に、平衡側において、
上顎第一小臼歯部Ｔ４の平衡咬合小面ｆ９は、下顎第一小臼歯部Ｔ１１の平衡咬合小面ｆ３３と一部滑走し、
上顎第二小臼歯部Ｔ５の平衡咬合小面ｆ１２は、下顎第二小臼歯部Ｔ１２の平衡咬合小面ｆ３７及び下顎第一大臼歯部Ｔ１３の平衡咬合小面ｆ４１と一部滑走し、
上顎第一大臼歯部Ｔ６の平衡咬合小面ｆ１７は、下顎第一大臼歯部Ｔ１３の平衡咬合小面ｆ４４と一部滑走し、
上顎第一大臼歯部Ｔ６の平衡咬合小面ｆ２０は、下顎第一大臼歯部Ｔ１３の平衡咬合小面ｆ４６及び下顎第二大臼歯部Ｔ１４の平衡咬合小面ｆ５０と一部滑走し、
上顎第二大臼歯部Ｔ７の平衡咬合小面ｆ２４は、下顎第二大臼歯部Ｔ１４の平衡咬合小面ｆ５３と一部滑走し、
前方運動時には、
上顎中切歯部Ｔ１の前方咬合小面ｆ１は、下顎側切歯部Ｔ９の前方咬合小面ｆ２７と一部滑走し、
上顎中切歯部Ｔ１の前方咬合小面ｆ２は、下顎中切歯部Ｔ８の前方咬合小面ｆ２６と一部滑走し、
上顎側切歯部Ｔ２の前方咬合小面ｆ３は、下顎犬歯部Ｔ１０の前方咬合小面ｆ２９と一部滑走し、
上顎犬歯部Ｔ３の前方咬合小面ｆ５は、下顎第一小臼歯部Ｔ１１の前方咬合小面ｆ３１と一部滑走し、
上顎第一小臼歯部Ｔ４の前方咬合小面ｆ７は、下顎第二小臼歯部Ｔ１２の前方咬合小面ｆ３５と一部滑走し、
上顎第二小臼歯部Ｔ５の前方咬合小面ｆ１０は、下顎第一大臼歯部Ｔ１３の前方咬合小面ｆ３９と一部滑走し、
上顎第一大臼歯部Ｔ６の前方咬合小面ｆ１３は、下顎第一大臼歯部Ｔ１３の前方咬合小面ｆ４２と一部滑走し、
上顎第一大臼歯部Ｔ６の前方咬合小面ｆ１５は、下顎第一大臼歯用人工歯Ｔ１３の前方咬合小面ｆ４５及び下顎第二大臼歯用人工歯Ｔ１４の前方咬合小面ｆ４８と一部滑走し、
上顎第一大臼歯部Ｔ６の前方咬合小面ｆ１８は、下顎第一大臼歯用人工歯Ｔ１３の前方咬合小面ｆ４７と一部滑走し、
上顎第二大臼歯部Ｔ７の前方咬合小面ｆ２１は、下顎第二大臼歯部Ｔ１４の前方咬合小面ｆ５１と一部滑走し、
上顎第二大臼歯部Ｔ７の前方咬合小面ｆ２５は、下顎第二大臼歯部Ｔ１４の前方咬合小面ｆ５４と一部滑走する。
【００８７】
比較例１の上下顎嵌合型連結人工歯セットについて説明する。
比較例１の上下顎嵌合型連結人工歯セットは、弓形状を有する下顎用連結人工歯５と上顎用連結人工歯６とを備える。
比較例１では、下顎用連結人工歯は、左右両側のそれぞれに配置される、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４を有する。即ち、下顎用連結人工歯５は、２つの下顎中切歯部Ｔ８、２つの下顎側切歯部Ｔ９、２つの下顎犬歯部Ｔ１０、２つの下顎第一小臼歯部Ｔ１１、２つの下顎第二小臼歯部Ｔ１２、２つの下顎第一大臼歯部Ｔ１３、及び２つの下顎第二大臼歯部Ｔ１４の１４種類の形態を含む。
下顎用連結人工歯５においては、夫々の部位が全て連結されている。具体的には、下顎用連結人工歯５の中央において、左右の下顎中切歯部Ｔ８が互いに連結されている。下顎用連結人工歯５の左右両側の部位のそれぞれにおいて、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４がこの順に連結されている。
下顎用連結人工歯５を仮想ＸＹＺ直交座標系に表した場合、以下の条件（ｉ）〜（ｉｖ）を満たす。
（ｉ）仮想のＸＹＺ直交座標系の原点１と下顎切歯点１０をＸ座標値０ｍｍ、Ｙ座標値０ｍｍ、Ｚ座標値０ｍｍとなるように一致させている；
（ｉｉ）下顎用連結人工歯５は、左右両側の下顎第一大臼歯部Ｔ１６の遠心頬側咬頭頂ｃ１５のＺ座標値が０ｍｍである；
（ｉｉｉ）下顎用連結人工歯５の左側の部位が正（＋）のＸ座標値側に配置され、下顎用連結人工歯５の右側の部位が負（−）のＸ座標値側に配置される；
（ｉｖ）下顎用連結人工歯５の左側の部位における切歯及び犬歯の切縁、及び臼歯の咬頭頂の位置するＸ座標値、Ｙ座標値、Ｚ座標値の絶対値と、下顎用連結人工歯５の右側の部位における切歯及び犬歯の切縁、及び臼歯の咬頭頂の位置するＸ座標値、Ｙ座標値、Ｚ座標値の絶対値とは、それぞれ、等しい。
上記条件（ｉ）〜（ｉｖ）を満たす場合に、
下顎用連結人工歯５の左右両側における、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４の歯冠形態が二次関数Ｙｍｍ＝｛（Ｘｍｍ×Ｘｍｍ）／３６ｍｍ｝−６ｍｍで表現される第１仮想曲線１８と、Ｙｍｍ＝｛（Ｘｍｍ×Ｘｍｍ）／２４ｍｍ｝＋２ｍｍで表現される第２仮想曲線１９の間に配置される；
左側の下顎第二大臼歯部Ｔ１７から右側の下顎第二大臼歯部Ｔ１７までの近遠心方向の幅径の合計Ｌ１が１２６．０ｍｍである；
下顎用連結人工歯５における全ての切歯及び犬歯の切縁及び全ての臼歯の咬頭頂のＺ座標値は−１０．０ｍｍ〜＋０．５ｍｍの間にある。
比較例１において、上顎用連結人工歯６は、左右両側のそれぞれに配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７を有する。即ち、上顎用連結人工歯６は、２つの上顎中切歯部Ｔ１、２つの上顎側切歯部Ｔ２、２つの上顎犬歯部Ｔ３、２つの上顎第一小臼歯部Ｔ４、２つの上顎第二小臼歯部Ｔ５、２つの上顎第一大臼歯部Ｔ６、及び２つの上顎第二大臼歯部Ｔ７の１４種類の形態を含む。
上顎用連結人工歯６においては、夫々の部位が全て連結されている。具体的には、上顎用連結人工歯６の中央において、左右の上顎中切歯部Ｔ１が互いに連結されている。上顎用連結人工歯６の左右両側の部位のそれぞれにおいて、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７がこの順に連結されている。
上顎用連結人工歯６を仮想ＸＹＺ直交座標系に表した場合、以下の条件（ｖ）〜（ｖｉｉｉ）を満たす。
（ｖ）上顎用連結人工歯６は、仮想のＸＹＺ直交座標系の原点１に対し、上顎切歯点２０がＸ座標値０ｍｍ、Ｙ座標値−８．０ｍｍ、Ｚ座標値−２．０ｍｍとなるよう配置される；
（ｖｉ）上顎用連結人工歯６の左側の部位が正（＋）のＸ座標値側に配置され、上顎用連結人工歯６の右側の部位が負（−）のＸ座標値側に配置される；
（ｖｉｉ）上顎用連結人工歯６の左側の部位における切歯及び犬歯の切縁、及び臼歯の咬頭頂の位置するＸ座標値、Ｙ座標値、Ｚ座標値の絶対値と、上顎用連結人工歯６の右側の部位における切歯及び犬歯の切縁、及び臼歯の咬頭頂の位置するＸ座標値、Ｙ座標値、Ｚ座標値の絶対値とが、それぞれ、等しい；
（ｖｉｉｉ）上顎用連結人工歯６は上顎第一大臼歯部Ｔ６の中央窩Ｓ６のＸ座標値及びＹ座標値が、下顎第一大臼歯部Ｔ１６の遠心頬側咬頭頂ｃ１５を中心とする半径３．０ｍｍ以内、Ｚ座標値が＋１．０ｍｍに配置される。
上記条件（ｖ）〜（ｖｉｉｉ）を満たす場合に、
上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の歯冠形態が二次関数Ｙｍｍ＝｛（Ｘｍｍ×Ｘｍｍ）／３６ｍｍ｝−１６ｍｍで表現される第３仮想曲線２８と、Ｙｍｍ＝｛（Ｘｍｍ×Ｘｍｍ）／２４ｍｍ｝＋１ｍｍで表現される第４仮想曲線２９の間に配置される；
左側の上顎第二大臼歯Ｔ７から右側の上顎第二大臼歯Ｔ７までの近遠心方向の幅径の合計Ｌ２が１３０．０ｍｍである；
上顎用連結人工歯６における全ての切歯及び犬歯の切縁及び全ての臼歯の咬頭頂のＺ座標値は−１２．０ｍｍ〜＋１．０ｍｍの間にある。
比較例１の上下顎嵌合型連結人工歯セットでは、下顎用連結人工歯５と上顎用連結人工歯６とは、咬頭嵌合状態において、左側の第一小臼歯部で１箇所、右側の第一大臼歯部で１箇所の合計で２箇所、同名部位の上顎の機能咬頭に対し、下顎の頬側咬頭内斜面で接触している。
【００８８】
比較例２の上下顎嵌合型連結人工歯セットについて説明する。
比較例２の上下顎嵌合型連結人工歯セットは、弓形状を有する下顎用連結人工歯５と上顎用連結人工歯６とを備える。
比較例２では、下顎用連結人工歯５は、左右両側にそれぞれ配置される、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４を有する。即ち、下顎用連結人工歯５は、２つの下顎中切歯部Ｔ８、２つの下顎側切歯部Ｔ９、２つの下顎犬歯部Ｔ１０、２つの下顎第一小臼歯部Ｔ１１、２つの下顎第二小臼歯部Ｔ１２、２つの下顎第一大臼歯部Ｔ１３、２つの下顎第二大臼歯部Ｔ１４の１４種類の形態を含む。
下顎用連結人工歯５においては、夫々の部位が全て連結されている。具体的には、下顎用連結人工歯５の中央において、左右の下顎中切歯部Ｔ８が互いに連結されている。下顎用連結人工歯５の左右両側の部位のそれぞれにおいて、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４がこの順に連結されている。
下顎用連結人工歯５を仮想ＸＹＺ直交座標系に表した場合、以下の条件（ｉ）〜（ｉｖ）を満たす。
（ｉ）仮想のＸＹＺ直交座標系の原点１と下顎切歯点１０をＸ座標値０ｍｍ、Ｙ座標値０ｍｍ、Ｚ座標値０ｍｍとなるように一致させている；
（ｉｉ）下顎用連結人工歯５は、左右両側の下顎第一大臼歯部Ｔ１６の遠心頬側咬頭頂ｃ１５のＺ座標値が０ｍｍに配置される；
（ｉｉｉ）下顎用連結人工歯５の左側の部位が正（＋）のＸ座標値側に配置され、下顎用連結人工歯５の右側の部位が負（−）のＸ座標値側に配置される；
（ｉｖ）下顎用連結人工歯５の左側の部位における切歯及び犬歯の切縁、及び臼歯の咬頭頂の位置するＸ座標値、Ｙ座標値、Ｚ座標値の絶対値と、下顎用連結人工歯５の右側の部位における切歯及び犬歯の切縁、及び臼歯の咬頭頂の位置するＸ座標値、Ｙ座標値、Ｚ座標値の絶対値とは、それぞれ、等しい。
上記条件（ｉ）〜（ｉｖ）を満たす場合に、
下顎用連結人工歯５の左右両側における、下顎中切歯部Ｔ８、下顎側切歯部Ｔ９、下顎犬歯部Ｔ１０、下顎第一小臼歯部Ｔ１１、下顎第二小臼歯部Ｔ１２、下顎第一大臼歯部Ｔ１３、及び下顎第二大臼歯部Ｔ１４の歯冠形態が二次関数Ｙｍｍ＝｛（Ｘｍｍ×Ｘｍｍ）／３２ｍｍ｝−４ｍｍで表現される第１仮想曲線１８と、Ｙｍｍ＝｛（Ｘｍｍ×Ｘｍｍ）／１６ｍｍ｝＋２ｍｍで表現される第２仮想曲線１９の間に配置される；
左側の下顎第二大臼歯部Ｔ１７から右側の下顎第二大臼歯部Ｔ１７までの近遠心方向の幅径の合計Ｌ１が１２６．０ｍｍである；
下顎用連結人工歯５における全ての切歯及び犬歯の切縁及び全ての臼歯の咬頭頂のＺ座標値は−３．０ｍｍ〜＋４．０ｍｍの間にある。
比較例２において、上顎用連結人工歯６は、左右両側のそれぞれに配置される、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７を有する。即ち、上顎用連結人工歯６は、２つの上顎中切歯部Ｔ１、２つの上顎側切歯部Ｔ２、２つの上顎犬歯部Ｔ３、２つの上顎第一小臼歯部Ｔ４、２つの上顎第二小臼歯部Ｔ５、２つの上顎第一大臼歯部Ｔ６、２つの上顎第二大臼歯部Ｔ７の１４種類の形態を含む。
上顎用連結人工歯６においては、夫々の部位が全て連結されている。具体的には、上顎用連結人工歯６の中央において、左右の上顎中切歯部Ｔ１が互いに連結されている。上顎用連結人工歯６の左右両側の部位のそれぞれにおいて、上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７がこの順に連結されている。
上顎用連結人工歯６を仮想ＸＹＺ直交座標系に表した場合、以下の条件（ｖ）〜（ｖｉｉｉ）を満たす。
（ｖ）上顎用連結人工歯６は、仮想のＸＹＺ直交座標系の原点１に対し、上顎切歯点２０がＸ座標値０ｍｍ、Ｙ座標値−８．０ｍｍ、Ｚ座標値−２．０ｍｍとなるよう配置される；
（ｖｉ）上顎用連結人工歯６の左側の部位が正（＋）のＸ座標値側に配置され、上顎用連結人工歯６の右側の部位が負（−）のＸ座標値側に配置される；
（ｖｉｉ）上顎用連結人工歯６の左側の部位における切歯及び犬歯の切縁、及び臼歯の咬頭頂の位置するＸ座標値、Ｙ座標値、Ｚ座標値の絶対値と、上顎用連結人工歯６の右側の部位における切歯及び犬歯の切縁、及び臼歯の咬頭頂の位置するＸ座標値、Ｙ座標値、Ｚ座標値の絶対値とが、それぞれ、等しい；
（ｖｉｉｉ）上顎用連結人工歯６は上顎第一大臼歯部Ｔ６の中央窩Ｓ６のＸ座標値及びＹ座標値が、下顎第一大臼歯部Ｔ１６の遠心頬側咬頭頂ｃ１５を中心とする半径３．０ｍｍ以内、Ｚ座標値が＋１．０ｍｍに配置される。
上記条件（ｖ）〜（ｖｉｉｉ）を満たす場合に、
上顎中切歯部Ｔ１、上顎側切歯部Ｔ２、上顎犬歯部Ｔ３、上顎第一小臼歯部Ｔ４、上顎第二小臼歯部Ｔ５、上顎第一大臼歯部Ｔ６、及び上顎第二大臼歯部Ｔ７の部位の歯冠形態が二次関数Ｙｍｍ＝｛（Ｘｍｍ×Ｘｍｍ）／３２ｍｍ｝−１１ｍｍで表現される第３仮想曲線２８と、Ｙｍｍ＝｛（Ｘｍｍ×Ｘｍｍ）／１６ｍｍ｝＋１ｍｍで表現される第４仮想曲線２９の間に配置される；
左側の上顎第二大臼歯Ｔ７から右側の上顎第二大臼歯Ｔ７までの近遠心方向の幅径の合計Ｌ２が１３０．０ｍｍである；
左側及び右側の上顎第一大臼歯部Ｔ６の頬舌方向の幅径が８．５ｍｍである；
上顎用連結人工歯６における切歯及び犬歯の切縁及び全ての臼歯の咬頭頂のＺ座標値は−４．０ｍｍ〜＋３．０ｍｍの間にある。
比較例２の上下顎嵌合型連結人工歯セットでは、下顎用連結人工歯５と上顎用連結人工歯６とは、咬頭嵌合状態において、左側の第一小臼歯部Ｔ４で１箇所、右側の第一大臼歯部Ｔ６で１箇所の合計で２箇所、同名部位の上顎の機能咬頭に対し、下顎の頬側咬頭内斜面で接触している。
【００８９】
次に、経験年数の異なる３名の術者が、形状・大きさの異なる３名の無歯顎模型に、実施例１〜２及び比較例１〜２の上下顎嵌合型連結人工歯セットをそれぞれ使用し、通法に従って、全部床義歯を作製した。
術者は、全部床義歯の製作経験年数が長い順に、術者ａ、術者ｂ、術者ｃとした。
患者は、外観上の顎の大きい順に、無歯顎模型Ｍ１、無歯顎模型Ｍ２、無歯顎模型Ｍ３とした。
【００９０】
無歯顎模型Ｍ１は、下顎において左右の臼後三角後縁間の距離が６２ｍｍ、上顎において左右のハミュラーノッチ間の距離が５６ｍｍである。無歯顎模型Ｍ２は、下顎において左右の臼後三角後縁間の距離が５６ｍｍ、上顎において左右のハミュラーノッチ間の距離が４８ｍｍである。無歯顎模型Ｍ３は、下顎において左右の臼後三角後縁間の距離が５０ｍｍ、上顎において左右のハミュラーノッチ間の距離が４２ｍｍである。
【００９１】
人工歯排列の所要時間について、
咬合器は平均値咬合器（ハンディＩＩＡ、株式会社松風製）を使用した。咬合平面板を基準に作製した咬合提上に実施例１〜２及び比較例１〜２の上下顎嵌合型連結人工歯セットを術者ａ、術者ｂ、術者ｃによって排列し、排列が完了するまでの所要時間を測定した。
【００９２】
表１に人工歯排列の所要時間の評価結果を示す。
【００９３】
【表１】
2019198630.tif 000003
【００９４】
実施例１の上下顎嵌合型連結人工歯セットを使用した場合、及び実施例２の上下顎嵌合型連結人工歯セットを使用した場合は、比較例１の連結人工歯セットを使用した場合、及び比較例２の連結人工歯セットを使用した場合と比較して明らかに排列操作の所要時間が短いことが判る。
また、同じ連結人工歯セットを使用した場合の、術者の経験年数の差によるばらつきも、少ない事が判る。
このことから、本発明の上下顎嵌合型連結人工歯セットは、術者の技量、及び、無歯顎患者の顎堤形状の違いを問わず、短時間で人工歯排列が可能であることを示唆している。
【００９５】
次に、咬合器上での咬頭嵌合位における連結人工歯セットの各部位の接触状態及び、咬合器の誘導路に沿って側方運動、前方運動させたときの連結人工歯セットの各部位の接触状態について、咬合接触状態の完成度を評価した。
咬合接触関係の完成度は、術者の目視による主観により、「Ａ」、「Ｂ」、「Ｃ」の３段階で評価した。「Ａ」は術者の主観として模型上の顎堤形状に調和しており、且つ、両側性平衡咬合が確立できている状態である。「Ｂ」は模型上の顎堤形状に調和しており、且つ、両側性平衡咬合が確立できているが、全部位の接触ではない状態である。「Ｃ」は術者の主観として模型上の顎堤形状に調和しない、または、咬頭嵌合位での静的安定性が得られていない状態である。
【００９６】
表２に咬合器上での排列状態の完成度の評価結果を示す。
【００９７】
【表２】
2019198630.tif 000004
【００９８】
実施例１の上下顎嵌合型連結人工歯セットを使用した場合、及び実施例２の上下顎嵌合型連結人工歯セットを使用した場合は、比較例１の連結人工歯セットを使用した場合、及び比較例２の連結人工歯セットを使用した場合と比較して明らかに完成度が高いことが判る。
また、実施例１の上下顎嵌合型連結人工歯セットを使用した場合より、実施例２の上下顎嵌合型連結人工歯セットを使用した場合の方が、排列状態の完成度が高い事が判る。
比較例１の連結人工歯セットを使用した場合、何れの実施例でも完成度が低い事が判る。
比較例２の連結人工歯セットを使用した場合、歯列弓の形状は実施例１の上下顎嵌合型連結人工歯セットと同等であるため、無歯顎模型の顎堤形状に対する歯列弓の調和は得られるものの、そのほとんどが両側性平衡咬合が確立できていない状態であり、全条件において低い完成度であった。
このことから、本発明の上下顎嵌合型連結人工歯セットセットは、術者の技量、及び、無歯顎患者の顎堤形状の違いを問わず、従来の連結人工歯より容易に完成度の高い排列が可能であり、理想的な咬合接触関係が確立できることを示唆している。
【産業上の利用可能性】
【００９９】
本発明は全部床義歯に用いる事を主目的としているが、必ずしも全部床義歯の用途に限定されるものではなく、上下顎の何れか片顎のみ用いることや、多数歯欠損の部分床義歯と全部床義歯の組み合わせで義歯を作製する場合に用いる事も有効である。
例えば、上顎は切歯及び犬歯が全て残存しており、臼歯が全て欠損しているのに対し、下顎は全て欠損しているような症例では、本発明品の上顎連結人工歯の犬歯部と第一小臼歯部の間で分割し、臼歯部のみを用いても良い。この時、上顎臼歯は下顎臼歯との嵌合状態が確保されているため、従来の１歯１歯が独立した人工歯を使用するよりも短時間で良好な義歯を製作する事が可能である。
【０１００】
また、超高齢化が進むに従い、歯科医院への通院が困難な患者の増加が予想され、訪問診療先の一般家庭や介護施設、医科の病院など、歯科医療施設の無い環境下で、即時に義歯の製作や人工歯部の補修などの必要に迫られる事が考えられる。本発明は、こうした状況への応用も容易となることが期待できる。
【符号の説明】
【０１０１】
１    仮想座標系の原点
２    仮想座標系Ｘ軸
３    仮想座標系Ｙ軸
４    仮想座標系Ｚ軸
５    下顎用連結人工歯
６    上顎用連結人工歯
１０  下顎切歯点
１８  第１仮想曲線 
１９  第２仮想曲線
２０  上顎切歯点
２８  第３仮想曲線
２９  第４仮想曲線
３１  第１仮想直線
３２  第２仮想直線
３３  第３仮想直線
３４  第４仮想直線
Ｌ１  左側の下顎第二大臼歯部から右側の下顎第二大臼歯部までの近遠心方向の幅径の合計
Ｌ２  左側の上顎第二大臼歯部から右側の上顎第二大臼歯部までの近遠心方向の幅径の合計
Ｔ１    上顎中切歯部
ｉ１    切縁
ｆ１    前方咬合小面
ｆ２    前方咬合小面
Ｔ２    上顎側切歯部
ｉ２    切縁
ｆ３    前方咬合小面
ｆ４    前方咬合小面
Ｔ３    上顎犬歯部
ｉ３    切縁    
ｆ５    前方咬合小面
ｆ６    後方咬合小面
Ｔ４    上顎第一小臼歯部
ｃ１    頬側咬頭頂
ｆ７    前方咬合小面
ｆ８    後方咬合小面
ｃ２    舌側咬頭頂
ｆ９    平衡咬合小面
Ｔ５    上顎第二小臼歯部
ｃ３    頬側咬頭頂
ｆ１０  前方咬合小面
ｆ１１  後方咬合小面
ｃ４    舌側咬頭頂
ｆ１２  平衡咬合小面
Ｔ６    上顎一大臼歯部
ｃ５    近心頬側咬頭頂
ｆ１３  前方咬合小面
ｆ１４  後方咬合小面
ｃ６    遠心頬側咬頭頂
ｆ１５  前方咬合小面
ｆ１６  後方咬合小面
ｃ７    近心舌側咬頭頂
ｆ１７  平衡咬合小面
ｆ１８  前方咬合小面
ｃ８    遠心舌側咬頭頂
ｆ１９  後方咬合小面
ｆ２０  平衡咬合小面
Ｓ６    中央窩
Ｔ７    上顎二大臼歯部
ｃ９    近心頬側咬頭頂
ｆ２１  前方咬合小面
ｆ２２  後方咬合小面
ｃ１０  遠心頬側咬頭頂
ｆ２３  後方咬合小面
ｃ１１  近心舌側咬頭頂
ｆ２４  平衡咬合小面
ｆ２５  前方咬合小面
Ｔ８    下顎中切歯部
ｉ４    切縁
ｆ２６  前方咬合小面
Ｔ９    下顎側切歯部
ｉ５    切縁
ｆ２７  前方咬合小面
ｆ２８  前方咬合小面
Ｔ１０  下顎犬歯部
ｉ６    切縁
ｆ２９  前方咬合小面
ｆ３０  後方咬合小面
Ｔ１１  下顎第一小臼歯部
ｃ１２  頬側咬頭頂
ｆ３１  前方咬合小面
ｆ３２  後方咬合小面
Ｓ１    遠心小窩
ｆ３３  平衡咬合小面
ｆ３４  前方咬合小面
Ｔ１２  下顎第二小臼歯部
ｃ１３  頬側咬頭頂
ｆ３５  前方咬合小面
ｆ３６  後方咬合小面
Ｓ２    遠心小窩
ｆ３７  平衡咬合小面
ｆ３８  前方咬合小面
Ｔ１３  下顎第一大臼歯部
ｃ１４  近心頬側咬頭頂
ｆ３９  前方咬合小面
ｆ４０  後方咬合小面
ｆ４１  平衡咬合小面
ｃ１５  遠心頬側咬頭頂
ｆ４２  前方咬合小面
ｆ４３  後方咬合小面
ｆ４４  平衡咬合小面
ｃ１６  遠心咬頭頂
ｆ４５  前方咬合小面
ｆ４６  平衡咬合小面
Ｓ３    中央窩
ｆ４７  前方咬合小面
Ｔ１４  下顎第二大臼歯部
ｃ１７  近心頬側咬頭頂
ｆ４８  前方咬合小面
ｆ４９  後方咬合小面
ｆ５０  平衡咬合小面
ｃ１８  遠心頬側咬頭頂
ｆ５１  前方咬合小面
ｆ５２  後方咬合小面
【図１】
2019198630.tif 000005
【図２】
2019198630.tif 000006
【図３】
2019198630.tif 000007
【図４】
2019198630.tif 000008
【図５】
2019198630.tif 000009
【図６】
2019198630.tif 000010
【図７Ａ】
2019198630.tif 000011
【図７Ｂ】
2019198630.tif 000012
【図８Ａ】
2019198630.tif 000013
【図８Ｂ】
2019198630.tif 000014
【図９Ａ】
2019198630.tif 000015
【図９Ｂ】
2019198630.tif 000016
【図９Ｃ】
2019198630.tif 000017
【図９Ｄ】
2019198630.tif 000018
【図９Ｅ】
2019198630.tif 000019
【図１０】
2019198630.tif 000020
【図１１】
2019198630.tif 000021
【図１２】
2019198630.tif 000022
【図１３】
2019198630.tif 000023
【図１４】
2019198630.tif 000024
【図１５】
2019198630.tif 000025
【図１６Ａ】
2019198630.tif 000026
【図１６Ｂ】
2019198630.tif 000027
【図１６Ｃ】
2019198630.tif 000028
【図１７】
2019198630.tif 000029
【図１８】
2019198630.tif 000030
【図１９】
2019198630.tif 000031
【図２０】
2019198630.tif 000032
【図２１】
2019198630.tif 000033
【図２２】
2019198630.tif 000034
【図２３】
2019198630.tif 000035
【図２４】
2019198630.tif 000036
【図２５】
2019198630.tif 000037
【図２６】
2019198630.tif 000038